(57)【要約】  本発明は、衣類に設けられた識別タグを識別し、当該識別タグの唯一のタグ情報を取得する識別装置と、唯一のタグ情報と衣類情報との対応関係が記憶された情報記憶装置と、識別装置が取得した唯一のタグ情報に基づいて、情報記憶装置から対応する衣類情報を取得し、及び／又は、識別装置が取得した唯一のタグ情報に基づいて対応する衣類情報を編集する端末、を含む衣類情報管理システム及びその制御方法について開示する。且つ、本発明は、更に、当該衣類情報管理システムに用いられる制御方法を提供する。当該制御方法では、衣類に設けられた識別タグを識別することで、対応する唯一のタグ情報を取得して端末にフィードバックする。端末は、前記唯一のタグ情報に基づいて、情報記憶装置から対応する衣類情報を選択する。或いは、前記端末は、前記唯一のタグ情報に基づいて対応する衣類情報を編集し、前記情報記憶装置に記憶する。【選択図】図１
2021519959.tif 000002
【特許請求の範囲】
【請求項１】
衣類情報管理システムであって、
衣類に設けられた識別タグを識別し、前記識別タグの唯一のタグ情報を取得する識別装置と、
前記唯一のタグ情報と衣類情報との対応関係が記憶された情報記憶装置と、
前記識別装置が取得した前記唯一のタグ情報に基づいて、前記情報記憶装置から対応する衣類情報を取得する端末、を含むことを特徴とする衣類情報管理システム。
【請求項２】
前記唯一のタグ情報には世界で唯一のコードが含まれており、前記情報記憶装置には、各前記世界で唯一のコードと衣類情報との対応関係が含まれており、前記端末／前記識別装置は、前記世界で唯一のコードに基づいて、前記情報記憶装置から対応する衣類情報を取得することを特徴とする請求項１又は２に記載の衣類情報管理システム。
【請求項３】
前記識別タグは、前記唯一のタグ情報を含む図形コードであり、前記識別装置は前記図形コードをスキャンすることで対応する前記唯一のタグ情報を取得し、
好ましくは、前記図形コードはＱＲコード又はバーコードであることを特徴とする請求項１〜３のいずれか１項に記載の衣類情報管理システム。
【請求項４】
前記識別タグは電子タグであり、内部に世界で唯一のコードが記憶されており、前記識別装置は、前記電子タグを読み取ることで、内部に記憶されている前記世界で唯一のコードを取得し、
好ましくは、前記唯一のタグ情報は前記電子タグのＴＩＤ番号であり、前記情報記憶装置には、前記ＴＩＤ番号及び対応する衣類情報が記憶されていることを特徴とする請求項１又は２に記載の衣類情報管理システム。
【請求項５】
前記端末は、更に、前記識別装置が取得した前記唯一のタグ情報に基づいて対応する衣類情報を編集するために用いられ、前記端末は、前記情報記憶装置のデータに接続し、編集した衣類情報と、対応する前記唯一のタグ情報とを対応付けて前記情報記憶装置に記憶することを特徴とする請求項１〜４のいずれか１項に記載の衣類情報管理システム。
【請求項６】
請求項１〜５のいずれか１項に記載の衣類情報管理システムに用いられる制御方法であって、
前記識別装置が、衣類に設けられた前記識別タグを識別して対応する前記唯一のタグ情報を取得し、前記端末は、前記唯一のタグ情報に基づいて、前記情報記憶装置から対応する衣類情報を選択することを特徴とする制御方法。
【請求項７】
前記唯一のタグ情報には世界で唯一のコードが含まれており、前記情報記憶装置には、前記世界で唯一のコードと衣類情報との対応関係が含まれており、前記識別装置は、前記世界で唯一のコードを識別すると前記端末に送信し、前記端末は、前記世界で唯一のコードに基づいて、前記情報記憶装置から対応する衣類情報を選択することを特徴とする請求項６に記載の制御方法。
【請求項８】
前記識別タグは、世界で唯一のコードを含む図形コードであり、前記識別装置は、前記図形コードをスキャンすることで前記世界で唯一のコードを識別し、前記端末は、前記世界で唯一のコードに基づいて、前記情報記憶装置から対応する衣類情報を選択するか、
或いは、前記識別タグは電子タグであり、前記識別装置は前記電子タグのＴＩＤ番号を読み取り、前記端末は、前記ＴＩＤ番号に基づいて、前記情報記憶装置から対応する衣類情報を選択することを特徴とする請求項６又は７に記載の制御方法。
【請求項９】
前記端末は、前記識別装置から送信された世界で唯一のコードを受信すると、前記情報記憶装置に接続して対応する衣類情報を選択し、衣類情報を選択すると選択過程を終了するが、選択できなかった場合には、前記世界で唯一のコードについて対応する衣類情報を編集するようユーザに提示することを特徴とする請求項６〜８のいずれか１項に記載の制御方法。
【請求項１０】
前記端末は、ユーザによる衣類情報の編集操作を受け付けるとともに、ユーザが編集した衣類情報と、対応する世界で唯一のコードとを対応付けて前記情報記憶装置に保存し、対応する衣類を次に識別する際、前記端末は、前記世界で唯一のコードに基づいて、前記情報記憶装置から対応する衣類情報を直接選択することを特徴とする請求項６に記載の制御方法。
【請求項１１】
衣類情報管理システムの制御方法であって、
前記衣類情報管理システムが、識別装置、制御装置、記憶装置、情報編集装置及び衣類に設けられる識別タグを含み、前記識別装置が、前記識別タグを識別して唯一のタグ情報を取得し、前記情報編集装置が、前記唯一のタグ情報について衣類情報を編集し、前記制御装置が、編集された衣類情報を情報処理することで所定の形式の衣類情報コードを生成するとともに、前記所定の形式の衣類情報コードと、対応する前記唯一のタグ情報とを対応付けて前記記憶装置に記憶することを特徴とする制御方法。
【請求項１２】
前記情報編集装置は、ユーザによる自由な衣類情報の編集操作を受け付け、前記制御装置は、ユーザにより編集された衣類情報からキーワードを抽出することで衣類の属性情報を取得するとともに、前記衣類の属性情報を前記所定の形式の衣類情報コードに変換することを特徴とする請求項１１に記載の衣類情報管理システムの制御方法。
【請求項１３】
前記所定の形式の衣類情報コードを生成する過程では、ユーザが編集した衣類情報からキーワードを抽出することで各衣類属性情報を取得し、所定の規則で各衣類属性情報をそれぞれ所定のコードに変換するとともに、各前記所定のコードを直列に組み合わせることで前記所定の形式の衣類情報コードを形成することを特徴とする請求項１２に記載の衣類情報管理システムの制御方法。
【請求項１４】
前記制御装置は、ユーザが編集した衣類情報における衣類の材質属性情報、衣類の色属性情報、衣類の種別属性情報、衣類の規格属性情報、衣類のメーカー属性情報を抽出し、所定の規則で各属性情報をそれぞれ所定の材質情報コード、色情報コード、種別情報コード、規格情報コード、メーカー情報コードに変換し、且つ、所定の順序及び形式で各情報コードを直列に組み合わせることで前記所定の形式の衣類情報コードを形成するとともに、前記記憶装置に保存することを特徴とする請求項１３に記載の衣類情報管理システムの制御方法。
【請求項１５】
前記識別タグの前記唯一のタグ情報について対応する衣類情報が記憶されたあとに、再び前記識別装置により識別される場合、前記制御装置は、前記識別装置が識別した前記唯一のタグ情報に基づいて、対応する衣類情報コードを前記記憶装置から取得するとともに、所定の解析規則を用いて識別可能な衣類情報に解析することを特徴とする請求項１１〜１４のいずれか１項に記載の衣類情報管理システムの制御方法。
【請求項１６】
前記所定の解析規則を用いて識別可能な衣類情報に解析する際には、前記所定の解析規則における長さの形式に基づいて、前記所定の形式の衣類情報コードを複数のサブコードに分割するとともに、各前記サブコードをそれぞれ対応する衣類属性情報に解析することを特徴とする請求項１５に記載の衣類情報管理システムの制御方法。
【請求項１７】
前記識別タグは衣類情報を記憶する記憶領域を含んでおり、前記記憶領域に前記所定の形式の衣類情報コードが記憶され、前記識別装置は、前記記憶領域を読み取って前記所定の形式の衣類情報コードを直接取得するか、或いは、前記識別装置は、前記識別タグの前記唯一のタグ情報を読み取って、対応する前記所定の形式の衣類情報コードを前記記憶装置から間接的に取得し、その後、前記制御装置が、前記所定の解析規則に基づいて識別可能な衣類情報に解析することを特徴とする請求項１１〜１６のいずれか１項に記載の衣類情報管理システムの制御方法。
【請求項１８】
前記識別装置は、優先的に前記記憶領域を読み取って前記記憶領域に記憶されているデータを解析し、解析に成功した場合には制御を終了するが、成功しなかった場合には、前記識別装置が更に前記唯一のタグ情報を読み取り、前記記憶装置から前記所定の形式の衣類情報コードを取得するとともに、前記所定の形式の衣類情報コードを解析するよう制御することを特徴とする請求項１７に記載の衣類情報管理システムの制御方法。
【請求項１９】
前記制御装置は、前記記憶装置から前記所定の形式の衣類情報コードを取得できなかった場合、ユーザに対し、前記唯一のタグ情報について衣類情報を編集するよう提示するとともに、ユーザが編集した衣類情報を情報処理することで前記所定の形式の衣類情報コードを取得して、前記記憶装置に保存することを特徴とする請求項１８に記載の衣類情報管理システムの制御方法。
【請求項２０】
前記識別タグは、前記唯一のタグ情報を含む図形コードであり、前記識別装置は、前記図形コードをスキャンすることで対応する前記唯一のタグ情報を取得し、好ましくは、前記図形コードはＱＲコード又はバーコードであり、
或いは、前記識別タグは電子タグであって前記唯一のタグ情報が記憶されており、前記識別装置は、前記識別タグを読み取ることで内部に記憶されている前記唯一のタグ情報を取得し、好ましくは、前記唯一のタグ情報はＲＦＩＤ電子タグのＴＩＤ番号であることを特徴とする請求項１１〜１９のいずれか１項に記載の衣類情報管理システムの制御方法。
【請求項２１】
衣類情報管理システムの制御方法であって、
前記衣類情報管理システムが、衣類に設けられる識別タグ、識別装置、制御装置、情報記憶装置及び情報編集装置を含み、前記識別装置が、前記識別タグを識別して唯一のタグ情報を取得し、前記情報編集装置は、ユーザが所定の形式に従って選択した衣類情報を受信して前記制御装置に伝送し、前記制御装置が、情報を処理することで衣類情報コードを生成するとともに、前記唯一のタグ情報に対応する衣類情報コードを前記情報記憶装置に記憶することを特徴とする制御方法。
【請求項２２】
前記情報編集装置には衣類情報の選択肢が設定されており、ユーザは、各前記衣類情報の選択肢から衣類の属性に対応する各情報をそれぞれ選択し、前記制御装置は受信した各衣類情報から対応する衣類情報コードを生成することを特徴とする請求項２１に記載の衣類情報管理システムの制御方法。
【請求項２３】
複数の前記衣類情報の選択肢は所定の順序で配列されており、ユーザは、各前記衣類情報の選択肢から衣類の属性に対応する各情報をそれぞれ選択したあと、生成した所定の形式の衣類情報を保存することを特徴とする請求項２２に記載の衣類情報管理システムの制御方法。
【請求項２４】
ユーザは、衣類情報を選択する際に、前記衣類情報の選択肢からプルダウンリストによる選択、及び／又は、スワイプによる選択、及び／又は、キーワード検索による選択で選択を行ったあと、対応する衣類情報を確認して保存し、
好ましくは、前記衣類情報の選択肢には、材質情報の選択肢、色情報の選択肢、種別情報の選択肢、規格情報の選択肢、メーカー情報の選択肢のうちの少なくとも１つが含まれることを特徴とする請求項２２又は２３に記載の衣類情報管理システムの制御方法。
【請求項２５】
前記制御装置が情報を処理することで衣類情報コードを生成する過程において、前記制御装置は、ユーザが各前記衣類情報の選択肢から選択した衣類情報を所定の規則でそれぞれ所定の対応するサブコードに変換し、各前記サブコードを所定の順序で直列に接続することで前記衣類情報コードを形成することを特徴とする請求項２２〜２４のいずれか１項に記載の衣類情報管理システムの制御方法。
【請求項２６】
前記制御装置は、ユーザが各前記衣類情報の選択肢から選択した衣類情報を、対応する材質情報サブコード、色情報サブコード、種別情報サブコード、規格情報サブコード、メーカー情報サブコードにそれぞれ所定の規則で変換するとともに、各前記サブコードを所定の順序で直列に接続することで前記衣類情報コードを形成し、前記情報記憶装置に記憶することを特徴とする請求項２５に記載の衣類情報管理システムの制御方法。
【請求項２７】
前記識別タグが識別され、衣類情報が編集及び記憶されたあとに、再び前記識別装置により識別される場合、前記制御装置は、前記識別装置が識別した前記唯一のタグ情報に基づいて、対応する衣類情報コードを前記情報記憶装置から取得するとともに、所定の解析規則を用いて対応する衣類情報を解析することを特徴とする請求項２１〜２６のいずれか１項に記載の衣類情報管理システムの制御方法。
【請求項２８】
前記識別タグは前記唯一のタグ情報を含む図形コードであり、前記識別装置は前記図形コードをスキャンすることで対応する前記唯一のタグ情報を取得し、好ましくは、前記図形コードはＱＲコード又はバーコードであり、
或いは、前記識別タグには前記唯一のタグ情報が記憶されており、前記識別装置は、前記識別タグを読み取ることで内部に記憶されている前記唯一のタグ情報を取得し、好ましくは、前記識別タグはＲＦＩＤ電子タグであり、前記唯一のタグ情報は前記ＲＦＩＤ電子タグのＴＩＤ番号であり、前記情報記憶装置には、前記ＴＩＤ番号及び対応する衣類情報コードが記憶されていることを特徴とする請求項２１〜２７のいずれか１項に記載の衣類情報管理システムの制御方法。
【請求項２９】
前記識別タグは衣類情報を記憶する記憶領域を含んでおり、前記記憶領域に所定の形式の衣類情報コードが記憶され、前記制御装置は、前記識別装置が前記記憶領域を読み取って前記所定の形式の衣類情報コードを直接取得するよう制御するか、或いは、前記制御装置は、前記識別装置が前記識別タグの前記唯一のタグ情報を読み取って、前記情報記憶装置から対応する前記所定の形式の衣類情報コードを間接的に取得するよう制御し、その後、前記制御装置は、所定の解析規則に基づいて対応する衣類情報を解析し、
前記識別タグの記憶領域における衣類情報コードの記憶規則は、前記情報記憶装置における衣類情報コードの記憶規則と同じであることを特徴とする請求項２１〜２７のいずれか１項に記載の衣類情報管理システムの制御方法。
【請求項３０】
前記識別装置は、優先的に前記記憶領域を読み取って前記記憶領域に記憶されているデータを解析し、解析に成功した場合には衣類情報コードを直接取得するが、成功しなかった場合には、前記識別装置が更に前記唯一のタグ情報を読み取り、前記情報記憶装置から衣類情報コードを取得するとともに、解析により衣類情報を取得し、
好ましくは、前記制御装置は、前記情報記憶装置から前記唯一のタグ情報に対応する衣類情報コードを取得できなかった場合、ユーザに対し、所定の順序で各衣類情報の選択肢から対応する衣類情報を選択して保存するよう提示し、前記制御装置は、情報を処理することで対応する衣類情報コードを生成し、前記情報記憶装置に記憶することを特徴とする請求項２９に記載の衣類情報管理システムの制御方法。
【請求項３１】
衣類情報管理システムの制御方法であって、
前記衣類情報管理システムが、識別装置、制御装置、衣類に設けられる識別タグを含み、前記識別装置が、前記識別タグに記憶されている衣類情報コードを読み取り、前記制御装置が、前記識別装置により識別された衣類情報コードに基づいて、第１の規則を用いて衣類情報を解析し、解析に失敗した場合には、前記識別装置が前記識別タグの唯一のタグ情報を読み取り、第２の規則に基づいて衣類情報を解析するよう制御し、
前記第１の規則とは、所定の解析規則に基づいて、衣類情報コードに含まれる衣類情報を解析することであり、前記第２の規則とは、前記唯一のタグ情報と衣類情報との対応関係に基づいて衣類情報を解析することであることを特徴とする制御方法。
【請求項３２】
前記識別タグ内の衣類情報コードは所定の形式で書き込まれ、前記第１の規則には対応する解析規則が含まれており、前記制御装置は、前記対応する解析規則に基づいて、前記衣類情報コードを識別可能な衣類情報に解析することを特徴とする請求項３１に記載の衣類情報管理システムの制御方法。
【請求項３３】
前記第１の規則に基づいて衣類情報を解析する際、前記制御装置は、前記識別タグ内の衣類情報コードが所定の形式で書き込まれているか否かを判断し、所定の形式の場合には、そのまま読み込んで衣類情報を解析するが、所定の形式でない場合には、前記制御装置が前記識別タグの前記唯一のタグ情報に基づき、前記第２の規則を用いて衣類情報を解析することを特徴とする請求項３１又は３２に記載の制御方法。
【請求項３４】
前記唯一のタグ情報には世界で唯一のコードが含まれており、前記第２の規則には、前記世界で唯一のコードと衣類情報との対応関係が含まれており、前記制御装置は、前記対応関係に基づいて、世界で唯一のタグ情報に対応する衣類情報を取得することを特徴とする請求項３１〜３３のいずれか１項に記載の衣類情報管理システムの制御方法。
【請求項３５】
前記制御装置は、前記第２の規則に基づく衣類情報の解析に失敗した場合、ユーザに対し、前記唯一のタグ情報について対応する衣類情報を編集するとともに、前記唯一のタグ情報と、対応する衣類情報との対応関係を前記第２の規則に追加するよう提示し、対応する衣類を次に識別する際には、前記第２の規則に基づいて対応する衣類情報を取得することを特徴とする請求項３１〜３４のいずれか１項に記載の衣類情報管理システムの制御方法。
【請求項３６】
前記識別タグはＲＦＩＤ電子タグであり、前記唯一のタグ情報は前記ＲＦＩＤ電子タグのＴＩＤ番号であり、前記ＲＦＩＤ電子タグには、衣類情報コードを記憶するＥＰＣ領域が含まれており、前記識別装置は、前記ＥＰＣ領域を読み取って前記衣類情報コードを取得するとともに、前記第１の規則を用いて解析し、解析に成功した場合には制御を終了するが、成功しなかった場合には、更に前記ＴＩＤ番号を読み取り、前記第２の規則に基づいて衣類情報を解析することを特徴とする請求項３５に記載の衣類情報管理システムの制御方法。
【請求項３７】
前記衣類情報管理システムは、更に、前記制御装置及び／又は前記識別装置と通信接続する衣類情報編集装置を含んでおり、前記制御装置又は前記識別装置又は前記衣類情報編集装置に前記第２の規則が記憶され、
或いは、前記衣類情報管理システムはクラウドサーバを含み、前記第２の規則が前記クラウドサーバに記憶され、前記衣類情報編集装置及び／又は前記制御装置は前記クラウドサーバに接続し、前記クラウドサーバから解析された衣類情報を取得することを特徴とする請求項３１〜３６のいずれか１項に記載の衣類情報管理システムの制御方法。
【請求項３８】
Ｓ１：前記識別装置が前記識別タグに記憶されている衣類情報コードを読み取り、前記制御装置が前記第１の規則に基づいて前記衣類情報コードを解析し、
Ｓ２：前記制御装置が解析に成功したか否かを判断し、成功した場合には、解析した衣類情報をそのまま取得してステップＳ６に進むが、成功しなかった場合にはステップＳ３に進み、
Ｓ３：前記識別装置が前記識別タグの前記唯一のタグ情報を読み取り、前記制御装置が前記第２の規則に基づいて対応する衣類情報を解析し、
Ｓ４：前記制御装置が解析に成功したか否かを判断し、成功した場合には解析した衣類情報をそのまま取得してステップＳ６に進むが、成功しなかった場合には、ユーザに対し、前記唯一のタグ情報について対応する衣類情報を編集するよう提示し、
Ｓ５：前記制御装置は、前記唯一のタグ情報と、対応する衣類情報との対応関係を前記第２の規則に追加するよう制御し、
Ｓ６：制御を終了する、とのステップを含むことを特徴とする請求項３１〜３７のいずれか１項に記載の衣類情報管理システムの制御方法。
【請求項３９】
請求項３１〜３８のいずれか１項に記載の衣類情報管理システムの制御方法を用いる衣類情報管理システムであって、
対応する衣類に設けられる識別タグであって、前記識別タグの唯一の個性を標識する前記唯一のタグ情報を有する識別タグと、
前記識別タグに記憶されている衣類情報コードを読み取り、及び／又は、前記識別タグの前記唯一のタグ情報を読み取る識別装置と、
前記識別装置が前記識別タグに記憶されている衣類情報コードを読み取り、前記第１の規則に基づいて衣類情報を解析するよう制御し、及び／又は、前記識別装置が前記識別タグの前記唯一のタグ情報を読み取り、前記第２の規則に基づいて対応する衣類情報を解析するよう制御する制御装置、を含むことを特徴とする衣類情報管理システム。
【請求項４０】
前記識別タグはＲＦＩＤ電子タグであり、前記識別装置にＲＦＩＤリーダが含まれており、前記衣類情報コードは前記ＲＦＩＤ電子タグのＥＰＣ領域に記憶され、前記唯一のタグ情報は前記ＲＦＩＤ電子タグのＴＩＤ領域に記憶されるＴＩＤ番号であり、前記第２の規則には、前記ＴＩＤ番号と、対応する衣類情報との対応関係が含まれていることを特徴とする請求項３９に記載の衣類情報管理システム。
【請求項４１】
衣類処理システムの制御方法であって、
前記衣類処理システムが、洗浄装置、制御装置、識別装置、衣類に設けられる識別タグを含み、前記識別装置が、洗濯待ちの衣類上の前記識別タグを識別して前記識別タグの唯一のタグ情報を読み取り、前記制御装置が、第１の規則に基づいて衣類情報を解析するとともに、前記衣類情報に基づいて洗浄プログラムを取得し、前記洗浄装置が、前記洗浄プログラムに基づいて対応する洗浄過程を実行し、前記第１の規則には、前記唯一のタグ情報と衣類情報との対応関係が含まれていることを特徴とする制御方法。
【請求項４２】
前記唯一のタグ情報には世界で唯一のコードが含まれており、前記第１の規則には、前記世界で唯一のコードと衣類情報との対応関係が含まれており、前記制御装置は、前記対応関係に基づいて、世界で唯一のタグ情報に対応する衣類情報を取得することを特徴とする請求項４１に記載の衣類処理システムの制御方法。
【請求項４３】
衣類処理システムの制御方法であって、
前記衣類処理システムが、洗浄装置、制御装置、識別装置、記憶装置及び情報編集装置を含み、衣類に識別タグが設けられており、前記識別装置が前記識別タグの唯一のタグ情報を識別して取得し、前記情報編集装置は、ユーザが編集した情報を受信すると前記制御装置に伝送し、前記制御装置がこれを処理することで前記唯一のタグ情報に対応する衣類情報コードを生成するとともに、前記記憶装置に記憶し、前記識別装置が前記唯一のタグ情報を再び読み取った際には、前記制御装置は、前記唯一のタグ情報と衣類情報コードとの対応関係に基づいて前記記憶装置から衣類情報を取得し、衣類情報に基づいて対応する洗浄プログラムを提案し、前記洗浄装置が対応する洗浄プログラムを実行することを特徴とする制御方法。
【請求項４４】
ユーザが衣類情報を編集する方式として、ユーザは、前記情報編集装置の所定の形式に従って衣類属性情報を選択し、及び／又は、ユーザは、前記情報編集装置において衣類情報を自由に入力することを特徴とする請求項４３に記載の衣類処理システムの制御方法。
【請求項４５】
識別装置、情報記憶装置、制御装置及び情報編集装置を含む衣類処理システムの制御方法であって、
前記識別装置が衣類に設けられた識別タグを識別しても何の情報も得られない場合、前記情報編集装置は、ユーザが前記衣類について編集した衣類情報を受信し、各衣類には衣類番号が１つずつ対応しており、前記制御装置は、衣類番号及びこれに対応する衣類情報を前記情報記憶装置に記憶することで、識別不可能衣類データベースを形成し、
前記識別装置が前記衣類を再び識別する際、前記制御装置は、前記情報編集装置におけるユーザの操作を取得して、前記衣類の衣類情報を識別不可能衣類データベースから呼び出すとともに、衣類情報に基づいて最適な洗浄プログラムを提案することを特徴とする制御方法。
【請求項４６】
前記識別装置が前記衣類を再び識別する場合、前記情報編集装置はユーザにより入力／選択された情報を取得し、制御装置は、ユーザが前記情報編集装置で入力／選択した情報に基づいて、識別不可能衣類データベースから対応する衣類の衣類情報を呼び出し、
好ましくは、前記衣類情報は、少なくとも１つの衣類属性情報を含み、前記衣類属性情報は、衣類材質の衣類属性情報、衣類の色の衣類属性情報、衣類種別の衣類属性情報、衣類規格の衣類属性情報、衣類メーカーの衣類属性情報であることを特徴とする請求項４５に記載の衣類処理システムの制御方法。
【請求項４７】
衣類処理システムの制御方法であって、
衣類処理システムが、洗浄装置、制御装置及び識別装置を含み、前記識別装置が、洗濯待ちの衣類上の識別タグを識別して前記識別タグの唯一のタグ情報を読み取り、前記制御装置が、第１の規則に基づいて衣類情報を解析し、衣類情報に対応する洗浄プログラムを取得するとともに、洗浄プログラムを論理的に判断することで、衣類の全ての衣類情報に適した最適な洗浄プログラムを取得し、前記洗浄装置が、前記最適な洗浄プログラムに基づいて対応する洗浄過程を実行し、前記第１の規則には、前記唯一のタグ情報と衣類情報との対応関係が含まれていることを特徴とする制御方法。
【請求項４８】
各衣類情報には洗浄プログラムが１つずつ対応付けられており、各洗浄プログラムには異なる優先レベルが対応付けられており、前記制御装置は、各衣類情報に対応する洗浄プログラムを取得するとともに、複数の洗浄プログラムの優先レベルを比較することで、衣類の全ての衣類情報に適した最適な洗浄プログラムを取得し、
好ましくは、衣類情報は、衣類の色情報、衣類の種別情報、衣類の材質情報を含むことを特徴とする請求項４７に記載の衣類処理システムの制御方法。
【請求項４９】
衣類処理システムの制御方法であって、
前記衣類処理システムが、洗浄装置、識別装置及び制御装置を含み、複数の衣類を分類したあと、同じグループに属する複数の衣類を取りまとめて共通のグループ別識別タグを設定し、前記識別装置が前記グループ別識別タグを読み取ると、前記制御装置は、前記グループ別識別タグに対応する前記グループの衣類の情報を解析するとともに、衣類情報に基づいて対応する洗浄プログラムを提案し、前記洗浄装置が洗浄プログラムを実行することを特徴とする制御方法。
【請求項５０】
複数の衣類の分類方式としては、各衣類に各々の識別タグがそれぞれ設けられており、前記識別装置は前記識別タグを識別して読み取り、前記制御装置は、各衣類の衣類情報を取得するとともに、分類規則に基づいて複数の衣類を異なるグループに分け、
或いは、衣類の情報に基づき手動でグループ分けして取りまとめ、各グループにそれぞれ前記グループ別識別タグを設定することを特徴とする請求項４９に記載の衣類処理システムの制御方法。
【請求項５１】
衣類情報管理システムの制御方法であって、
スマート衣類収容システムが、衣類収納装置、識別装置及び制御装置を含み、前記衣類収納装置には複数の衣類収容領域が設けられており、前記識別装置が衣類に設けられた識別タグを識別すると、前記制御装置が対応する衣類属性情報を取得して、前記衣類属性情報に基づき対応する衣類収容領域に収容するよう提案することを特徴とする制御方法。
【請求項５２】
前記衣類収納装置における前記衣類収容領域にはメイン収容領域が含まれており、前記制御装置は、取得した前記衣類属性情報に基づいてメイン衣類属性情報を抽出するとともに、前記メイン衣類属性情報に対応する前記メイン収容領域を提案し、
好ましくは、領域の機能に基づいて前記メイン収容領域を区画し、好ましくは、メイン衣類収容領域には、換気収容領域、乾燥収容領域、殺菌収容領域、アイロン収容領域、防虫収容領域のうちの１つ又はこれらの組み合わせが含まれ、
或いは、衣類の種別に基づいて前記メイン収容領域を区画し、好ましくは、前記メイン収容領域には、アウター収容領域、下着収容領域、スーツ収容領域、スカート収容領域、パンツ収容領域、上着収容領域が含まれることを特徴とする請求項５１に記載の衣類情報管理システムの制御方法。
【発明の詳細な説明】
【技術分野】
【０００１】
本発明は、衣類に設けられた識別タグを読み取ることで衣類情報を取得する衣類情報管理システム及び当該衣類情報管理システムの制御方法に関する。
【背景技術】
【０００２】
スマートワードローブは、衣類に設けられた電子タグを識別することで、内部に予め記憶された衣類情報を取得可能である。しかし、実際の応用においては、ユーザの家庭内にある衣類の多くにはＲＦＩＤ電子タグが備わっていない。或いは、電子タグ内の衣類情報は決まった形式のコードタグを採用しているわけではないため、識別装置が衣類情報を識別できず、使用にあたり不便である。また、衣類情報書き込み装置を設置することで、ユーザは、当該衣類情報書き込み装置を利用して自身で編集した衣類情報を決まった形式のコードに変換したあと、電子タグに直接書き込むことが可能となる。これにより、次に衣類を識別する際には、電子タグ内に記憶されている情報から衣類情報を直接取得できるようになる。
【０００３】
しかし、実際の市場では、物品上の電子タグに衣類情報が記憶されており、データを書き込めないものがある。また、電子タグに決まった形式の衣類情報が記憶されておらず、制御装置による識別が不可能なことがある。
【０００４】
上記に鑑みて、本発明を提案する。
【発明の概要】
【発明が解決しようとする課題】
【０００５】
本発明が解決しようとする技術的課題は、従来技術の瑕疵を解消し、識別装置を設置して、衣類に設けられた識別タグを識別することで唯一のタグ情報を取得するとともに、端末を通じて、当該唯一のタグ情報について対応する衣類情報を定義することで、その後の動作において、前記唯一のタグ情報を直接識別してユーザが編集した衣類情報を取得可能とする衣類情報管理システム及びその制御方法を提供することである。
【課題を解決するための手段】
【０００６】
上記の技術的課題を解決するために、本発明で採用する技術方案の基本思想について以下に述べる。
【０００７】
衣類情報管理システムであって、衣類に設けられた識別タグを識別し、当該識別タグの唯一のタグ情報を取得する識別装置と、唯一のタグ情報と衣類情報との対応関係が記憶された情報記憶装置と、識別装置が取得した唯一のタグ情報に基づいて、情報記憶装置から対応する衣類情報を取得する端末、を含む。
【０００８】
本発明では、唯一のタグ情報と衣類情報との対応関係を構築することで、識別タグ内に衣類情報を予め記憶しておかなくても、識別装置が識別タグの唯一のタグ情報を識別するだけで、情報記憶装置から対応する衣類情報を取得可能である。
【０００９】
好ましくは、前記唯一のタグ情報には世界で唯一のコードが含まれており、前記情報記憶装置には、各世界で唯一のコードと衣類情報との対応関係が含まれている。前記端末／識別装置は、前記世界で唯一のコードに基づいて、情報記憶装置から対応する衣類情報を取得する。
【００１０】
上記の方案では、唯一のタグ情報として世界で唯一のコードを用いるため、誤った衣類情報の識別が効果的に防止される。
【００１１】
好ましくは、前記識別タグは、唯一のタグ情報を含む図形コードであり、前記識別装置は、前記図形コードをスキャンすることで対応する唯一のタグ情報を取得する。
【００１２】
上記の方案において、識別タグは唯一のタグ情報を含む図形コードとされる。当該図形コードは、衣類に直接印刷してもよいし、衣類の洗濯タグに印刷してもよい。当該技術方案によればコストの節約となる。これは、ユーザが衣類ごとに電子タグを設ける必要がなく、コストが低下するためである。
【００１３】
好ましくは、前記図形コードはＱＲコード（登録商標）又はバーコードである。
【００１４】
好ましくは、前記識別タグは電子タグであり、内部に世界で唯一のコードが記憶されている。前記識別装置は、前記電子タグを読み取ることで、内部に記憶されている世界で唯一のコードを取得する。
【００１５】
好ましくは、前記唯一のタグ情報は電子タグのＴＩＤ番号であり、前記情報記憶装置には、前記ＴＩＤ番号及び対応する衣類情報が記憶されている。
【００１６】
好ましくは、端末は、更に、識別装置が取得した唯一のタグ情報に基づいて対応する衣類情報を編集するために用いられる。端末は、情報記憶装置のデータに接続し、編集した衣類情報と、対応する唯一のタグ情報とを対応付けて情報記憶装置に記憶する。
【００１７】
好ましくは、前記識別装置、情報記憶装置、端末は、これらのうちの任意の２つ又は３つを一体的に集積するか、前記識別装置、情報記憶装置、端末を互いに別個に設置する。
【００１８】
好ましくは、前記情報記憶装置と端末を一体的に集積し、ユーザが携帯するのに適した独立構造とする一方、前記識別装置を衣類処理装置に設置する。
【００１９】
上記の方案において、識別装置は衣類処理装置に設置され、唯一のタグ情報を識別するとともに、ユーザが携帯する端末に送信する。ユーザは、端末上で衣類情報を編集し、情報記憶装置に記憶することが可能である。また、当該方案において、識別装置は唯一のタグ情報を識別したあと端末に送信し、端末は情報記憶装置から対応する衣類情報を取得する。
【００２０】
好ましくは、前記識別装置と情報記憶装置は、一体的に集積されて衣類処理装置に装着され、衣類処理装置の制御装置におけるデータに接続する。また、前記端末は、前記識別装置及び／又は情報記憶装置にワイヤレス接続される。
【００２１】
上記の方案において、端末は、主にユーザが編集した衣類情報を受信するとともに、ユーザが編集した衣類情報を衣類処理装置に送信して情報記憶装置に記憶するために用いられる。このように設けることの利点として、衣類処理装置上の識別装置は、唯一のタグ情報を読み取ったあと、端末にワイヤレス接続することなく情報記憶装置から衣類情報を直接取得可能である。そして、対応する衣類情報が情報記憶装置内に記憶されていない場合にのみ、端末との通信接続を構築して、ユーザに対し衣類情報を編集するよう提示する。
【００２２】
好ましくは、前記識別装置、情報記憶装置、端末は全てが一体的に集積され、ユーザの携帯に適した構造を構成する。
【００２３】
上記の方案において、識別装置、情報記憶装置、端末は、全てが一体的に集積されて簡単な衣類識別システムを構成する。
【００２４】
好ましくは、前記識別装置は衣類処理装置に設置され、前記情報記憶装置はリモートサーバとする。また、前記端末は、前記識別装置とリモートサーバにそれぞれ通信接続される。
【００２５】
上記の方案において、衣類処理装置上の識別装置は、唯一のタグ情報を取得したあと、端末にこれを送信し、端末がリモートサーバに対し対応する衣類情報を取得するよう要求するか、或いは、前記識別装置がリモートサーバに直接接続し、対応する衣類情報を取得する。端末は、対応する衣類情報が記憶装置に記憶されていない場合にリモートサーバとの通信接続を構築し、前記唯一のタグ情報について対応する衣類情報を編集するとともに、リモートサーバに保存する。
【００２６】
本発明の他の目的は、前記衣類情報管理システムの制御方法を提供することである。当該制御方法では、識別装置が、衣類に設けられた識別タグを識別し、対応する唯一のタグ情報を取得する。端末は、前記唯一のタグ情報に基づいて、情報記憶装置から対応する衣類情報を選択する。或いは、前記端末は、前記唯一のタグ情報に基づいて対応する衣類情報を編集し、前記情報記憶装置に保存する。
【００２７】
好ましくは、前記唯一のタグ情報は世界で唯一のコードを含んでおり、前記識別装置は世界で唯一のコードを識別して端末に送信する。端末は、ユーザが前記世界で唯一のコードについて編集した対応する衣類情報を受信すると情報記憶装置に送信し、情報記憶装置は、前記世界で唯一のコードと衣類情報との対応関係を記憶する。
【００２８】
或いは、前記情報記憶装置には、世界で唯一のコードと衣類情報との対応関係が記憶されている。前記識別装置は世界で唯一のコードを識別すると端末に送信し、端末は、前記世界で唯一のコードに基づいて、情報記憶装置から対応する衣類情報を選択する。
【００２９】
好ましくは、前記識別タグは、世界で唯一のコードを含む図形コードであり、前記識別装置は、前記図形コードをスキャンすることで前記世界で唯一のコードを識別する。前記端末は、前記世界で唯一のコードに基づいて、情報記憶装置から対応する衣類情報を選択する。或いは、前記端末は、前記世界で唯一のコードに基づいて対応する衣類の衣類情報を編集する。
【００３０】
或いは、前記電子タグには唯一のタグ情報が記憶されている。前記識別装置は前記唯一のタグ情報を読み取り、前記端末は、前記世界で唯一のコードに基づいて、情報記憶装置から対応する衣類情報を選択する。或いは、前記端末は、前記世界で唯一のコードに基づいて対応する衣類の衣類情報を編集する。
【００３１】
好ましくは、端末は、識別装置から送信された世界で唯一のコードを受信すると、情報記憶装置に接続して対応する衣類情報を選択する。そして、衣類情報を選択すると選択過程を終了するが、選択できなかった場合には、当該世界で唯一のコードについて対応する衣類情報を編集するようユーザに提示する。
【００３２】
上記の方案において、端末は、情報記憶装置から対応する衣類情報を選択するとこれを表示及び提示するが、選択できなかった場合には、衣類情報を編集して情報記憶装置に記憶するようユーザに提示する。これにより、その後は情報記憶装置から対応する衣類情報を直接取得可能となる。
【００３３】
好ましくは、端末は、ユーザによる衣類情報の編集操作を受け付けるとともに、ユーザが編集した衣類情報と、対応する世界で唯一のコードとを対応付けて情報記憶装置に保存する。これにより、対応する衣類を次に識別する際、端末は、前記世界で唯一のコードに基づいて、情報記憶装置から対応する衣類情報を直接選択する。
【発明の効果】
【００３４】
上記の技術方案を用いることで、本発明は以下の有益な効果を有する。
【００３５】
１．本発明では、識別装置が、衣類に設けられた識別タグを識別し、対応する唯一のタグ情報を取得する。端末は、前記唯一のタグ情報に基づいて、情報記憶装置から対応する衣類情報を選択する。或いは、前記端末は、前記唯一のタグ情報に基づいて対応する衣類情報を編集し、前記情報記憶装置に保存する。本発明では、唯一のタグ情報と衣類情報との対応関係を構築することで、識別タグ内に衣類情報を予め記憶しておかなくても、識別装置が識別タグの唯一のタグ情報を識別するだけで、情報記憶装置から対応する衣類情報を取得可能である。
【００３６】
２．本発明では、前記唯一のタグ情報に世界で唯一のコードが含まれており、前記情報記憶装置に、各世界で唯一のコードと衣類情報との対応関係が含まれている。前記端末／識別装置は、前記世界で唯一のコードに基づいて、情報記憶装置から対応する衣類情報を取得する。唯一のタグ情報として世界で唯一のコードを用いることで、誤った衣類情報の識別が効果的に防止される。また、前記識別タグは、唯一のタグ情報を含む図形コードである。前記識別装置は、前記図形コードをスキャンして対応する唯一のタグ情報を取得する。当該図形コードは、衣類に直接印刷してもよいし、衣類の洗濯タグに印刷してもよい。当該技術方案によればコストの節約となる。また、ユーザは衣類ごとに電子タグを設ける必要がない。最適には、前記唯一のタグ情報は電子タグのＴＩＤ番号であり、前記情報記憶装置には、前記ＴＩＤ番号及び対応する衣類情報が記憶されている。識別装置は、当該ＲＦＩＤ電子タグのＴＩＤ番号を直接読み取る。識別装置又は端末は、前記ＴＩＤ番号に基づいて、情報記憶装置から対応する衣類情報を取得する。
【００３７】
以下に、図面を組み合わせて、本発明の具体的実施形態につき更に詳細に述べる。
【００３８】
図面は本願の一部として、本発明の更なる理解のために提供される。本発明の概略的実施例及びその説明は本発明の解釈のために用いられるが、本発明を不当に限定するものではない。なお、いうまでもなく、以下で記載する図面は実施例の一部にすぎず、当業者であれば、創造的労働を要することなくこれらの図面からその他の図面を得ることも可能である。
【図面の簡単な説明】
【００３９】
【図１】図１は、本発明の実施例２における好ましい衣類情報管理システムの制御方法のステップ図である。
【図２】図２は、本発明における衣類情報管理システムの制御方法による制御のフローチャートである。
【図３】図３は、本発明の実施例６における衣類情報管理システムの制御方法のフローチャートである。
【図４】図４は、本発明の実施例７における制御方法のロジックチャートである。
【図５】図５は、本発明の実施例１０における好ましい衣類処理システムの制御方法のロジックチャートである。
【図６】図６は、本発明の実施例１３における衣類情報管理システムの制御方法のフローチャートである。
【図７】図７は、本発明の衣類処理システムの制御方法のフローチャートである。
【図８】図８は、本発明の制御方法のフローチャートである。
【図９】図９は、本発明の実施例２０における衣類処理システムの制御方法のフローチャートである。
【図１０】図１０は、本発明の実施例２１におけるスマート衣類収容システムの制御方法のフローチャートである。
【図１１】図１１は、本発明の実施例２２におけるスマート衣類収容システムの制御方法のフローチャートである。
【発明を実施するための形態】
【００４０】
なお、これらの図面及び文字記載は何らかの方式で本発明の構想の範囲を制限するとの意図ではなく、特定の実施例を参照して当業者に本発明の概念を説明するためのものである。
【００４１】
本発明における実施例の目的、技術方案及び利点をより明確とすべく、以下に、本発明の実施例における図面を組み合わせて、実施例の技術方案につき明瞭簡潔に述べる。なお、以下の実施例は本発明を説明するためのものであって、本発明の範囲を制限するものではない。
【実施例１】
【００４２】
本発明は、衣類に設けられた識別タグを識別し、当該識別タグの唯一のタグ情報を取得する識別装置と、唯一のタグ情報と衣類情報との対応関係が記憶された情報記憶装置と、識別装置が取得した唯一のタグ情報に基づいて、情報記憶装置から対応する衣類情報を取得し、及び／又は、識別装置が取得した唯一のタグ情報に基づいて対応する衣類情報を編集し、編集した衣類情報を情報記憶装置に記憶する端末、を含む衣類情報管理システムを提供する。
【００４３】
本発明では、唯一のタグ情報と衣類情報との対応関係を構築することで、識別タグ内に衣類情報を予め記憶しておかなくても、識別装置が識別タグの唯一のタグ情報を識別するだけで、情報記憶装置から対応する衣類情報を取得可能である。
【００４４】
好ましくは、前記唯一のタグ情報とは、前記識別タグに記憶されて当該識別タグの唯一の個性を標識する固有の情報である。
【００４５】
好ましくは、前記衣類情報は衣類の属性情報を含み、前記衣類の属性情報は、衣類の色情報、衣類の種別情報、衣類の材質情報を含む。前記情報記憶装置には、前記唯一のタグ情報及び対応する衣類属性情報が記憶されている。
【００４６】
好ましくは、前記情報記憶装置に記憶される衣類情報は、ユーザが編集して取得したもの及び／又はメーカー独自のものである。
【００４７】
好ましくは、前記唯一のタグ情報には世界で唯一のコードが含まれており、前記情報記憶装置には、各世界で唯一のコードと衣類情報との対応関係が含まれている。前記端末／識別装置は、前記世界で唯一のコードに基づいて、情報記憶装置から対応する衣類情報を取得する。
【００４８】
上記の方案では、唯一のタグ情報として世界で唯一のコードを用いるため、誤った衣類情報の識別が効果的に防止される。
【００４９】
好ましくは、前記識別タグは唯一のタグ情報を含む図形コードであり、前記識別装置は、前記図形コードをスキャンすることで対応する唯一のタグ情報を取得する。
【００５０】
上記の方案において、識別タグは唯一のタグ情報を含む図形コードとされる。当該図形コードは、衣類に直接印刷してもよいし、衣類の洗濯タグに印刷してもよい。当該技術方案によればコストの節約となる。これは、ユーザが衣類ごとに電子タグを設ける必要がなく、コストが低下するためである。
【００５１】
好ましくは、前記図形コードはＱＲコード又はバーコードである。
【００５２】
好ましくは、前記識別タグは電子タグであり、内部に世界で唯一のコードが記憶されている。前記識別装置は、前記電子タグを読み取ることで、内部に記憶されている世界で唯一のコードを取得する。
【００５３】
好ましくは、前記唯一のタグ情報は電子タグのＴＩＤ番号であり、前記情報記憶装置には、前記ＴＩＤ番号及び対応する衣類情報が記憶されている。
【００５４】
好ましくは、端末は、識別装置が取得した唯一のタグ情報に基づいて対応する衣類情報を編集するためにも用いられる。端末は、情報記憶装置のデータに接続し、編集した衣類情報と、対応する唯一のタグ情報とを対応付けて情報記憶装置に記憶する。
【００５５】
好ましくは、前記識別装置、情報記憶装置、端末は、これらのうちの任意の２つ又は３つを一体的に集積するか、前記識別装置、情報記憶装置、端末を互いに別個に設置する。
【００５６】
好ましくは、前記情報記憶装置と端末を一体的に集積し、ユーザが携帯するのに適した独立構造とする一方、前記識別装置を衣類処理装置に設置する。
【００５７】
上記の方案において、識別装置は衣類処理装置に設置され、唯一のタグ情報を識別するとともに、ユーザが携帯する端末に送信する。ユーザは、端末上で衣類情報を編集し、情報記憶装置に記憶することが可能である。また、当該方案において、識別装置は唯一のタグ情報を識別したあと端末に送信し、端末は情報記憶装置から対応する衣類情報を取得する。
【００５８】
好ましくは、前記識別装置と情報記憶装置は、一体的に集積されて衣類処理装置に装着され、衣類処理装置の制御装置におけるデータに接続する。また、前記端末は、前記識別装置及び／又は情報記憶装置にワイヤレス接続される。
【００５９】
上記の方案において、端末は、主にユーザが編集した衣類情報を受信するとともに、ユーザが編集した衣類情報を衣類処理装置に送信して情報記憶装置に記憶するために用いられる。このように設けることの利点として、衣類処理装置上の識別装置は、唯一のタグ情報を読み取ったあと、端末にワイヤレス接続することなく情報記憶装置から衣類情報を直接取得可能である。そして、対応する衣類情報が情報記憶装置内に記憶されていない場合にのみ、端末との通信接続を構築して、ユーザに対し衣類情報を編集するよう提示する。
【００６０】
好ましくは、前記識別装置、情報記憶装置、端末は全てが一体的に集積され、ユーザの携帯に適した構造を構成する。
【００６１】
上記の方案において、識別装置、情報記憶装置、端末は、全てが一体的に集積されて簡単な衣類識別システムを構成する。
【００６２】
好ましくは、前記識別装置は衣類処理装置に設置され、前記情報記憶装置はリモートサーバとする。また、前記端末は、前記識別装置とリモートサーバにそれぞれ通信接続される。
【００６３】
上記の方案において、衣類処理装置上の識別装置は、唯一のタグ情報を取得したあと、端末にこれを送信し、端末がリモートサーバに対し対応する衣類情報を取得するよう要求するか、或いは、前記識別装置がリモートサーバに直接接続し、対応する衣類情報を取得する。端末は、対応する衣類情報が記憶装置に記憶されていない場合にリモートサーバとの通信接続を構築し、前記唯一のタグ情報について対応する衣類情報を編集するとともに、リモートサーバに保存する。
【００６４】
好ましくは、前記端末は表示部と編集部を含む。前記表示部は、識別装置が識別した唯一のタグ情報に対応する衣類情報を表示するために用いられる。また、前記編集部は、識別装置が識別した唯一のタグ情報について、対応する衣類情報を編集／修正するとともに、情報記憶装置に記憶するために用いられる。
【実施例２】
【００６５】
本実施例は、実施例１の衣類情報管理システムの制御方法を提供する。当該制御方法では、識別装置が、衣類に設けられた識別タグを識別し、対応する唯一のタグ情報を取得する。端末は、前記唯一のタグ情報に基づいて、情報記憶装置から対応する衣類情報を選択する。或いは、前記端末は、前記唯一のタグ情報に基づいて対応する衣類情報を編集し、前記情報記憶装置に保存する。
【００６６】
好ましくは、前記唯一のタグ情報は世界で唯一のコードを含んでおり、前記識別装置は世界で唯一のコードを識別して端末に送信する。端末は、ユーザが前記世界で唯一のコードについて編集した対応する衣類情報を受信すると情報記憶装置に送信し、情報記憶装置は、前記世界で唯一のコードと衣類情報との対応関係を記憶する。
【００６７】
或いは、前記情報記憶装置には、世界で唯一のコードと衣類情報との対応関係が記憶されている。前記識別装置は世界で唯一のコードを識別すると端末に送信し、端末は、前記世界で唯一のコードに基づいて、情報記憶装置から対応する衣類情報を選択する。
【００６８】
好ましくは、前記識別タグは、世界で唯一のコードを含む図形コードであり、前記識別装置は、前記図形コードをスキャンすることで前記世界で唯一のコードを識別する。前記端末は、前記世界で唯一のコードに基づいて、情報記憶装置から対応する衣類情報を選択する。或いは、前記端末は、前記世界で唯一のコードに基づいて対応する衣類の衣類情報を編集する。
【００６９】
或いは、前記識別タグは電子タグであり、内部に唯一のタグ情報が記憶されている。前記識別装置は前記唯一のタグ情報を読み取り、前記端末は、前記世界で唯一のコードに基づいて、情報記憶装置から対応する衣類情報を選択する。或いは、前記端末は、前記世界で唯一のコードに基づいて対応する衣類の衣類情報を編集する。
【００７０】
好ましくは、端末は、識別装置から送信された世界で唯一のコードを受信すると、情報記憶装置に接続して対応する衣類情報を選択する。そして、衣類情報を選択すると選択過程を終了するが、選択できなかった場合には、当該世界で唯一のコードについて対応する衣類情報を編集するようユーザに提示する。
【００７１】
上記の方案において、端末は、情報記憶装置から対応する衣類情報を選択すると、これを表示及び提示するが、選択できなかった場合には、衣類情報を編集するようユーザに提示するとともに、ユーザが編集した衣類情報を情報記憶装置に記憶する。これにより、その後は情報記憶装置から対応する衣類情報を直接取得可能となる。
【００７２】
好ましくは、端末は、ユーザによる衣類情報の編集操作を受け付けるとともに、ユーザが編集した衣類情報と、対応する世界で唯一のコードとを対応付けて情報記憶装置に保存する。これにより、対応する衣類を次に識別する際、端末は、前記世界で唯一のコードに基づいて、情報記憶装置から対応する衣類情報を直接選択する。
【００７３】
図１を参照して、本発明の実施例２における好ましい衣類情報管理システムの制御方法のステップは以下の通りである。
【００７４】
Ｓ１０１：識別装置は、衣類に設けられた識別タグを識別し、対応する唯一のタグ情報を取得して端末に送信する。
【００７５】
Ｓ１０２：端末は、前記唯一のタグ情報に基づき、情報記憶装置に接続して対応する衣類情報を選択する。そして、対応する衣類情報が選択された場合にはステップＳ１０５に進むが、選択されなかった場合にはステップＳ１０３に進む。
【００７６】
Ｓ１０３：端末は、唯一のタグ情報について対応する衣類情報を編集するようユーザに提示する。
【００７７】
Ｓ１０４：端末は、ユーザが編集した衣類情報を受信すると、対応する唯一のタグ情報と対応付けて情報記憶装置に保存する。
【００７８】
Ｓ１０５：制御を終了する。
【実施例３】
【００７９】
実施例３では、実施例２を元に、衣類情報管理システムの制御方法について更に開示する。実施例３では、衣類に設けられた電子タグが、衣類情報を記憶するための記憶領域を更に含んでいる。当該記憶領域に記憶される衣類情報は衣類情報コードである。更に、当該衣類情報管理システムは制御装置を含む。本実施例で規定する制御装置は、前記端末としてもよいし、前記端末とは別個に存在する制御専用の装置としてもよい。制御装置は、識別装置が電子タグに記憶されている衣類情報コードを読み取り、第１の規則に基づいて衣類情報を解析するよう制御する。そして、解析に失敗した場合には、識別装置が電子タグの唯一のタグ情報を読み取り、第２の規則に基づいて対応する衣類情報を解析するよう制御する。本実施例において、第２の規則は前記情報記憶装置に記憶される。前記第２の規則には、唯一のタグ情報と衣類情報との対応関係が含まれており、制御装置は、前記対応関係に基づいて前記唯一のタグ情報に対応する衣類情報を取得する。好ましくは、第１の規則もまた前記情報記憶装置に記憶される。
【００８０】
上記の方案では、電子タグに記憶されている衣類情報コード及び電子タグの唯一のタグ情報に応じて、それぞれ第１の規則と第２の規則を用いて衣類情報を解析する。これにより、電子タグ内に衣類情報が記憶されていない場合でも、制御装置は第２の規則に基づいて衣類情報を取得することができる。
【００８１】
好ましくは、前記電子タグ内の衣類情報コードは所定の形式で書き込まれ、前記第１の規則には所定の解析規則が含まれている。制御装置は、前記所定の解析規則に基づいて、前記衣類情報コードを識別可能な衣類情報に解析する。
【００８２】
前記第１の規則に基づいて衣類情報を解析する際、制御装置は、識別タグ内の衣類情報コードが所定の形式で書き込まれているか否かを判断する。そして、所定の形式の場合には、そのまま読み込んで衣類情報を解析する。一方、所定の形式でない場合、制御装置は識別タグの唯一のタグ情報に基づき、第２の規則を用いて衣類情報を解析する。
【００８３】
好ましくは、制御装置が前記第１の規則に基づく衣類情報の解析に失敗する場合には、前記衣類情報コードを解析できない場合、又は、誤った衣類情報が解析される場合が含まれる。制御装置は、前記衣類情報コードを解析できない場合、或いは、誤った衣類情報が解析された場合には、電子タグの唯一のタグ情報を読み取り、第２の規則に基づいて対応する衣類情報を取得する。
【００８４】
上記の方案では、２種類の異なる方式で衣類情報を取得することで、異なる電子タグの識別による衣類情報の取得を保証している。
【００８５】
好ましくは、前記唯一のタグ情報とは、前記電子タグに記憶されて当該電子タグの唯一の個性を標識する固有の情報である。
【００８６】
好ましくは、前記唯一のタグ情報には世界で唯一のコードが含まれており、前記第２の規則には、世界で唯一のコードと衣類情報との対応関係が含まれている。制御装置は、前記対応関係に基づいて、前記世界で唯一のタグ情報に対応する衣類情報を選択する。
【００８７】
上記の方案では、唯一のタグ情報として世界で唯一のコードを用いるため、識別による誤った衣類情報の取得が効果的に防止される。
【００８８】
好ましくは、制御装置は、第２の規則に基づく衣類情報の解析に失敗した場合、ユーザに対し、前記唯一のタグ情報について対応する衣類情報を編集するとともに、前記唯一のタグ情報と、対応する衣類情報との対応関係を第２の規則に追加するよう提示する。これにより、対応する衣類を次に識別する際には、第２の規則に基づいて対応する衣類情報が選択される。
【００８９】
上記の方案において、当該第２の規則とは、ユーザの関与によって構築され、且つ次第に増加するものである。
【００９０】
好ましくは、前記電子タグはＲＦＩＤ電子タグであり、前記唯一のタグ情報はＲＦＩＤ電子タグのＴＩＤ番号である。前記ＲＦＩＤ電子タグには、衣類情報コードを記憶するＥＰＣ領域が含まれている。前記制御装置は、識別装置がＥＰＣ領域を読み取って前記衣類情報コードを取得し、第１の規則を用いて解析するよう制御する。そして、解析に成功した場合には制御を終了するが、成功しなかった場合には、更に前記ＴＩＤ番号を読み取り、第２の規則に基づいて衣類情報を解析するよう制御する。
【００９１】
上記の方案では、第２の規則がＴＩＤ番号と衣類情報との対応関係を含んでいる。制御装置は、識別装置が識別した唯一のタグ情報に基づいて、第２の規則により対応する衣類情報を取得する。
【００９２】
好ましくは、制御装置又は識別装置又は端末に、前記第２の規則が記憶される。
【００９３】
好ましくは、前記衣類情報管理システムはクラウドサーバを含み、前記第２の規則がクラウドサーバに記憶される。前記端末及び／又は制御装置は前記クラウドサーバに接続し、クラウドサーバから解析された衣類情報を取得する。
【００９４】
好ましくは、制御方法は以下のステップを含む。
【００９５】
Ｓ１：制御装置は、識別装置が電子タグに記憶されている衣類情報コードを読み取り、第１の規則に基づいて前記衣類情報を解析するよう制御する。
【００９６】
Ｓ２：制御装置は解析に成功したか否かを判断し、成功した場合には、解析した衣類情報をそのまま取得してステップＳ６に進むが、成功しなかった場合にはステップＳ３に進む。
【００９７】
Ｓ３：制御装置は、識別装置が前記電子タグの唯一のタグ情報を読み取って、第２の規則に基づき対応する衣類情報を解析するよう制御する。
【００９８】
Ｓ４：制御装置は解析に成功したか否かを判断し、成功した場合には解析した衣類情報をそのまま取得してステップＳ６に進むが、成功しなかった場合には、ユーザに対し、当該唯一のタグ情報について対応する衣類情報を編集するよう提示する。
【００９９】
Ｓ５：制御装置は、前記唯一のタグ情報とユーザが編集した衣類情報との対応関係を第２の規則に追加するよう制御する。
【０１００】
Ｓ６：制御を終了する。
【実施例４】
【０１０１】
実施例４では、当該衣類情報管理システムの制御方法における衣類情報の編集制御について開示する。制御装置は、識別装置が前記識別タグを識別して唯一のタグ情報を取得するよう制御する。また、前記端末が、ユーザによる前記唯一のタグ情報についての衣類情報の編集操作を受け付けるよう制御する。且つ、ユーザが編集した衣類情報を情報処理することで、所定の形式の衣類情報コードを生成するとともに、前記唯一のタグ情報と、対応する所定の形式の衣類情報コードとを対応付けて前記情報記憶装置に追加するよう制御する。
【０１０２】
好ましくは、ユーザが入力する衣類情報は自由に編集した衣類情報である。制御装置は、ユーザが編集した衣類情報からキーワードを抽出することで衣類の属性情報を取得するとともに、前記衣類の属性情報を所定の形式の衣類情報コードに変換する。
【０１０３】
好ましくは、制御装置が所定の形式の衣類情報コードを生成する過程では、ユーザが編集した衣類情報からキーワードを抽出することで各衣類属性情報を取得し、所定の規則で各衣類属性情報をそれぞれ所定のコードに変換する。且つ、各所定のコードを直列に組み合わせることで、前記所定の形式の衣類情報コードを形成する。
【０１０４】
好ましくは、制御装置は、ユーザが編集した衣類情報における衣類の材質属性情報、衣類の色属性情報、衣類の種別属性情報、衣類の規格属性情報、衣類のメーカー属性情報を抽出し、所定の規則で各属性情報をそれぞれ所定の材質情報コード、色情報コード、種別情報コード、規格情報コード、メーカー情報コードに変換する。且つ、所定の順序及び形式で各情報コードを直列に組み合わせることで前記所定の形式の衣類情報コードを形成するとともに、前記記憶装置に保存する。
【０１０５】
好ましくは、識別タグが識別され、衣類情報が編集及び記憶されたあとに、再び識別装置により識別される場合、制御装置は、識別装置が識別した唯一のタグ情報に基づいて、対応する衣類情報コードを記憶装置から取得するとともに、所定の解析規則（実施例３の第１の規則と同じ）を用いて識別可能な衣類情報に解析する。即ち、本実施例では、電子タグに記憶されている衣類情報コードと、ユーザが編集した衣類情報を制御装置／端末により情報処理することで生成される所定の形式の衣類情報コードとが同じ規則及び形式で記憶される。これにより、衣類情報を解析する際には、同一の解析規則（即ち、第１の規則）で衣類情報が解析される。
【０１０６】
好ましくは、前記制御装置が、所定の解析規則（第１の規則）を用いて識別可能な衣類情報に解析する際には、所定の解析規則における長さの形式に基づいて、所定の形式の衣類情報コードを複数のサブコードに分割するとともに、各サブコードをそれぞれ対応する衣類属性情報に解析する。
【０１０７】
好ましくは、前記電子タグは衣類情報を記憶する記憶領域を含んでおり、当該記憶領域に所定の形式の衣類情報コードが記憶される。前記制御装置は、識別装置が前記記憶領域を読み取って所定の形式の衣類情報コードを直接取得するよう制御する。或いは、制御装置は、識別装置が電子タグの唯一のタグ情報を読み取って、対応する所定の形式の衣類情報コードを記憶装置から間接的に取得するよう制御する。その後、制御装置は、所定の解析規則に基づいて、識別可能な衣類情報に解析する。
【０１０８】
好ましくは、前記制御装置は、識別装置が優先的に前記記憶領域を読み取り、当該記憶領域に記憶されているデータを解析するよう制御する。そして、解析に成功した場合には制御を終了するが、成功しなかった場合には、識別装置が更に前記唯一のタグ情報を読み取り、前記記憶装置から所定の形式の衣類情報コードを取得するとともに、前記所定の形式の衣類情報コードを解析するよう制御する。
【０１０９】
好ましくは、前記制御装置は、記憶装置から所定の形式の衣類情報コードを取得できなかった場合、ユーザに対し、前記唯一のタグ情報について衣類情報を編集するよう提示する。そして、ユーザが編集した衣類情報を情報処理することで所定の形式の衣類情報コードを取得し、前記記憶装置に保存する。
【０１１０】
同様に、当該実施例４で規定する制御装置は、前記端末としてもよいし、端末とは別個に存在する制御装置としてもよい。
【実施例５】
【０１１１】
本発明は、衣類情報管理システムの制御方法を提供する。衣類情報管理システムは、識別装置、制御装置、記憶装置、情報編集装置及び衣類に設けられる識別タグを含む。前記制御方法では、識別装置が前記識別タグを識別して唯一のタグ情報を取得し、情報編集装置が、前記唯一のタグ情報について衣類情報を編集する。制御装置は、編集された衣類情報を情報処理することで所定の形式の衣類情報コードを生成し、当該衣類情報コードと、対応する唯一のタグ情報とを対応付けて前記記憶装置に記憶する。
【０１１２】
上記の方案では、ユーザが当該情報編集装置を通じて衣類情報を自由に入力し、制御装置が、ユーザにより入力された衣類情報からキーワードを抽出することで所望の情報を選択するため、ユーザは所定の形式の衣類情報を入力する必要がない。よって、ユーザによる衣類情報の編集が容易となり、ユーザが編集した衣類情報から所望の衣類情報がスマートに選択される。また、編集した衣類情報を衣類情報コードに変換して記憶することで、衣類情報の記憶容量が節約される。よって、従来の記憶方式と比較して、本方案によれば小さな記憶空間に多くの衣類情報が記憶される。
【０１１３】
好ましくは、前記情報編集装置がユーザによる自由な衣類情報の編集操作を受け付け、制御装置が、ユーザにより編集された衣類情報からキーワードを抽出することで衣類の属性情報を取得するとともに、前記衣類の属性情報を所定の形式の衣類情報コードに変換する。
【０１１４】
上記の方案では、制御装置が、ユーザにより編集された衣類情報からキーワードを抽出することで衣類の属性情報を選択する。衣類の属性情報は、当該衣類の特性、用途及び洗浄方式、記憶方式等を標識している。そのため、衣類の属性情報を取得することは、様々な制御分野にとって有利となる。例えば、当該制御方法を洗濯分野に応用する場合には、洗濯機が、衣類の材質情報及び／又は色情報に基づいて対応する洗浄プログラムを取得するために有利となる。また、当該制御方法をワードローブ分野に応用する場合には、衣類の属性情報に基づいてユーザが必要とする衣類を取得するのに有利となる。
【０１１５】
好ましくは、所定の形式の衣類情報コードを生成する過程では、ユーザが編集した衣類情報からキーワードを抽出することで各衣類属性情報を取得し、所定の規則で各衣類属性情報をそれぞれ所定のコードに変換する。そして、各所定のコードを直列に組み合わせることで前記所定の形式の衣類情報コードを形成する。
【０１１６】
上記の方案では、衣類の異なる属性における各実際の属性にそれぞれ所定のコードが対応付けられている。そのため、１着の衣類の複数の属性情報を迅速且つ容易に所定のコードに変換可能である。例えば、比較的少ないバイナリーディジット（ｂｉｔ）で具体的な衣類属性情報を代替することで、記憶空間を節約するとの作用が奏されるとともに、その後の衣類情報の解析過程にも有利となる。
【０１１７】
好ましくは、衣類の異なる属性情報ごとの具体的な種別数に基づいて、衣類の各属性情報に適切なビット数を割り当てることで相応の情報を記憶する。
【０１１８】
好ましくは、制御装置は、ユーザが編集した衣類情報における衣類の材質属性情報、衣類の色属性情報、衣類の種別属性情報、衣類の規格属性情報、衣類のメーカー属性情報を抽出し、所定の規則で各属性情報をそれぞれ所定の材質情報コード、色情報コード、種別情報コード、規格情報コード、メーカー情報コードに変換する。且つ、所定の順序及び形式で各情報コードを直列に組み合わせることで前記所定の形式の衣類情報コードを形成するとともに、前記記憶装置に保存する。
【０１１９】
好ましくは、メーカー情報コードの占有ビット＞種別情報コードの占有ビット＞色情報コードの占有ビット≧規格情報コードの占有ビット＞材質情報コードの占有ビットとする。より具体的には、前記メーカー情報コードが１２ビットを占有し、規格情報コードが５ビットを占有し、種別情報コードが６ビットを占有し、前記色情報コードが５ビットを占有し、前記材質情報コードが４ビットを占有する。
【０１２０】
上記の各属性コードには、衣類の属性自体の具体的な種別数に基づいて適切なビット数が割り当てられ、相応の情報が記憶される。これらの割り当て方式は、膨大な統計・研究の中で総括されたものであり、記憶空間を節約し、且つ解析を簡単・便利にするとの作用を奏し得る。
【０１２１】
好ましくは、識別タグの唯一のタグ情報に対応する衣類情報が記憶されたあと、識別装置によって再び識別される場合、制御装置は、識別装置が識別した唯一のタグ情報に基づいて、対応する衣類情報コードを記憶装置から取得するとともに、所定の解析規則を用いて識別可能な衣類情報に解析する。
【０１２２】
好ましくは、上記の所定の解析規則を用いて識別可能な衣類情報に解析する際には、所定の解析規則における長さの形式に基づいて、所定の形式の衣類情報コードを複数のサブコードに分割するとともに、各サブコードをそれぞれ対応する衣類属性情報に解析する。
【０１２３】
好ましくは、前記識別タグは衣類情報を記憶する記憶領域を含んでおり、当該記憶領域に所定の形式の衣類情報コードが記憶される。前記識別装置は、前記記憶領域を読み取って所定の形式の衣類情報コードを直接取得する。或いは、識別装置は、識別タグの唯一のタグ情報を読み取って、対応する所定の形式の衣類情報コードを記憶装置から間接的に取得する。その後、制御装置は、前記所定の解析規則に基づいて、識別可能な衣類情報に解析する。
【０１２４】
上記の方案では、識別タグに記憶されている衣類情報コードと、ユーザが編集した衣類情報を制御装置により情報処理することで生成される所定の形式の衣類情報コードとが同じ規則及び形式で記憶されるため、衣類情報を解析する際には、同一の解析規則で対応する衣類情報を解析可能である。これによれば、１つの解析規則（即ち、前記所定の解析規則）で記憶位置の異なる２種類の衣類情報コードを解析可能となるため、衣類情報を解析する際のデータ処理方法が簡略化される。よって、２つの解析規則を設けて識別タグに記憶されている衣類情報コードと記憶装置内の衣類情報コードを別々に解析することで、制御装置の作業量が増加する結果、制御装置の制御過程が複雑化し、迅速且つ正確な衣類情報の解析に不利になるとの事態が生じない。
【０１２５】
好ましくは、前記識別装置は、優先的に前記記憶領域を読み取り、当該記憶領域に記憶されているデータを解析する。そして、解析に成功した場合には制御を終了するが、成功しなかった場合には、識別装置が更に前記唯一のタグ情報を読み取り、前記記憶装置から所定の形式の衣類情報コードを取得するとともに、前記所定の形式の衣類情報コードを解析するよう制御する。
【０１２６】
好ましくは、前記制御装置は、記憶装置から所定の形式の衣類情報コードを取得できなかった場合、ユーザに対し、前記唯一のタグ情報について衣類情報を編集するよう提示する。そして、ユーザが編集した衣類情報を情報処理することで所定の形式の衣類情報コードを取得し、前記記憶装置に保存する。
【０１２７】
好ましくは、前記識別タグは、唯一のタグ情報を含む図形コードであり、識別装置は、前記図形コードをスキャンすることで対応する唯一のタグ情報を取得する。好ましくは、前記図形コードはＱＲコード又はバーコードである。
【０１２８】
或いは、前記識別タグは電子タグであり、前記唯一のタグ情報が記憶されている。前記識別装置は、前記識別タグを読み取ることで内部に記憶されている唯一のタグ情報を取得する。好ましくは、前記唯一のタグ情報はＲＦＩＤ電子タグのＴＩＤ番号である。
【０１２９】
以上述べたように、本発明において、図２を参照して、衣類情報管理システムの制御方法は以下の実行ステップを含む。
【０１３０】
Ｓ１：識別装置は、前記識別タグを識別して唯一のタグ情報を取得する。
【０１３１】
Ｓ２：情報編集装置は、前記唯一のタグ情報について衣類情報を編集する。
【０１３２】
Ｓ３：制御装置は、編集された衣類情報を情報処理することで所定の形式の衣類情報コードを生成する。
【０１３３】
Ｓ４：制御装置は、当該衣類情報コードと、対応する唯一のタグ情報とを対応付けて前記記憶装置に記憶する。
【０１３４】
ステップＳ３は、更に以下のステップを含む。
【０１３５】
Ｓ３０１：ユーザが編集した衣類情報からキーワードを抽出することで、各衣類属性情報を取得する。
【０１３６】
Ｓ３０２：所定の規則で各衣類属性情報をそれぞれ所定のコードに変換する。
【０１３７】
Ｓ３０３：ステップＳ３０２で取得した各所定のコードを直列に組み合わせることで最終的な所定の形式の衣類情報コードを形成する。
【０１３８】
当該衣類情報管理システムが衣類情報を解析する過程には、以下のステップが含まれる。
【０１３９】
Ｓ５０１：識別装置は、識別タグに記憶されている衣類情報コードを読み取る。
【０１４０】
Ｓ５０２：制御装置は、所定の解析規則を優先的に用い、前記ステップＳ５０１で取得した衣類情報コードを解析する。
【０１４１】
Ｓ５０３：制御装置は解析に成功したか否かを判断し、成功した場合には、解析した衣類情報を取得してステップＳ５０６に進むが、成功しなかった場合にはステップＳ５０４に進む。
【０１４２】
Ｓ５０４：識別装置は識別タグの唯一のタグ情報を読み取り、制御装置は、当該唯一のタグ情報に基づいて、記憶装置から対応する衣類情報コードを取得する。
【０１４３】
Ｓ５０５：制御装置は、取得した衣類情報コードを前記所定の解析規則を用いて解析する。
【０１４４】
Ｓ５０６：制御を終了する。
【０１４５】
取得した衣類情報コードを所定の解析規則を用いて解析する際には、以下のステップが含まれる。
【０１４６】
Ｓ６０１：制御装置は、所定の解析規則における長さの形式に基づいて、所定の形式の衣類情報コードを複数のサブコードに分割する。
【０１４７】
Ｓ６０２：各サブコードをそれぞれ対応する衣類属性情報に解析する。
【０１４８】
前記長さの形式には、前記所定の形式の衣類情報コードにおける各異なる属性情報コードが占有する異なる長さのビット数が含まれている。これにより、前記所定の形式の衣類情報コードを複数の異なる属性のサブコードに分解する。更に、制御装置は、各サブコードと具体的な衣類属性情報との関係に基づき、最終的に解析された識別可能な衣類情報を取得する。
【実施例６】
【０１４９】
本実施例は、実施例２又は実施例３の方案を元に更なる限定を加え、衣類情報管理システムの制御方法を提供するとともに、主として、衣類情報編集の制御方法を提供する。具体的には、以下の通りである。
【０１５０】
衣類情報管理システムは、衣類に設けられる識別タグ、識別装置、制御装置、情報記憶装置及び情報編集装置を含む。前記制御方法では、識別装置が前記識別タグを識別して唯一のタグ情報を取得する。情報編集装置は、ユーザが所定の形式に従って選択した衣類情報を受信して制御装置に伝送する。制御装置は、情報を処理することで衣類情報コードを生成し、前記唯一のタグ情報に対応する衣類情報コードを情報記憶装置に記憶する。
【０１５１】
衣類上の識別タグにおける唯一のタグ情報に応じ、ユーザは、所定の形式に従って衣類の情報を選択し、保存することが可能である。制御装置は、既定の規則通りに配列された各衣類情報を受信すると、次に識別する際に直接呼び出せるよう、情報を処理することで衣類情報コードを生成し、記憶する。これによれば、ユーザは、所定の規則に従って情報を比較的自由に編集したり、選択したりすることが可能である。また、こうした所定の規則に基づく入力方式によれば、情報コードを正確に生成して記憶できるため、エラーの発生を回避可能となり、情報を記憶するのに有利である。また、編集した衣類情報を衣類情報コードに変換して記憶することで、衣類情報の記憶容量も節約される。よって、従来の記憶方式と比較して、本方案によれば小さな記憶空間に多くの衣類情報が記憶される。
【０１５２】
識別装置が衣類上の識別タグを再び識別して唯一のタグ情報を取得する場合には、記憶装置から対応する衣類情報を直接呼び出せるため、簡単且つスピーディーである。また、当該識別タグが衣類から取り外されて別の衣類に取り付けられた場合、ユーザは、新たな衣類に対応する情報を編集し直せばよい。これにより、識別タグの再利用が実現されるため、いっそう便利且つ柔軟となり、コストダウンも可能である。
【０１５３】
本実施例で規定する制御装置は、端末としてもよいし、端末とは別個に存在する制御装置としてもよい。
【０１５４】
更に、情報編集装置には衣類情報の選択肢が設定されている。ユーザは、各衣類情報の選択肢から衣類の属性に対応する各情報をそれぞれ選択し、制御装置は、受信した各衣類情報から対応する衣類情報コードを生成する。
【０１５５】
本方案における情報編集装置は、端末の編集部としてもよいし、端末とは別個に存在する情報編集装置としてもよい。更に、端末に表示部を設け、各衣類情報の選択肢を表示してもよい。又は、情報編集装置は単独で設置され、且つ表示機能を有する表示装置に一体的に集積される。これにより、ユーザによるメニューのチェック及び編集が容易となる。また、複数の衣類情報の選択肢によって衣類情報メニューが形成される。ユーザは、選択肢から衣類に対応する情報を１つずつ選ぶことで選択を完了してもよいし、必要な衣類情報の選択肢の選択を完了してから保存してもよい。これにより、各衣類情報は既定の規則通りに配列されるため、制御装置は、保存された所定の形式の衣類情報を受信したあと、既定の規則に従って対応する衣類情報コードを生成可能である。これによれば、余分な情報の干渉を受けないため、制御装置の情報処理量を減らすことが可能であるとともに、情報の精度を保証することも可能である。
【０１５６】
更に、複数の衣類情報の選択肢は所定の順序で配列される。ユーザは、各衣類情報の選択肢から衣類の属性に対応する各情報をそれぞれ選択したあと、生成した所定の形式の衣類情報を保存する。
【０１５７】
複数の衣類情報の選択肢は既定の順序で配列されるため、例えば、最初を材質情報とする、或いは最後をメーカー情報とするなど、衣類ごとに入力される情報の属性を既定の規則通りに順に配列することが可能である。これにより、制御装置が情報を処理することで所定の形式の衣類情報コードを生成するための前提が提供されるため、情報の記憶及び解析の精度が保証される。
【０１５８】
更に、ユーザは、衣類情報を選択する際に、衣類情報の選択肢からプルダウンリストによる選択、及び／又は、スワイプによる選択、及び／又は、キーワード検索による選択で選択を行ったあと、対応する衣類情報を確認して保存する。
【０１５９】
各衣類情報の選択肢から、ユーザは、プルダウンリストによる選択、及び／又は、スワイプによる選択、及び／又は、キーワード検索による選択を用いて当該選択肢の全ての情報を呼び出し、それらの中から衣類に対応する情報を探し出したあと、選択して決定すればよい。これにより、ユーザに自由な編集の余地が与えられるとともに、ユーザによる入力も容易となる。選択は形式に従って行うだけでよいため、エラーの確率が大幅に減少する。各衣類情報の選択肢の全て、或いは、少なくとも必要な衣類情報の選択肢の全てについて選択を行い、保存すると、制御装置が情報を処理可能となって、衣類情報コードを生成し、記憶する。
【０１６０】
好ましくは、前記衣類情報の選択肢には、材質情報の選択肢、色情報の選択肢、種別情報の選択肢、規格情報の選択肢、メーカー情報の選択肢のうちの少なくとも１つが含まれる。
【０１６１】
各衣類情報に基づいて、制御装置は、次の操作を行いやすいよう分析処理を実施可能である。これにより、衣類管理分野に適用可能なだけでなく、衣類洗浄分野又はスマートワードローブ分野等にも適用可能となる。
【０１６２】
更に、制御装置が情報を処理することで衣類情報コードを生成する過程において、制御装置は、ユーザが各衣類情報の選択肢から選択した衣類情報を所定の規則でそれぞれ所定の対応するサブコードに変換し、各サブコードを所定の順序で直列に接続することで前記衣類情報コードを形成する。
【０１６３】
衣類の各衣類情報の選択肢のうちの各実際の属性にはそれぞれ所定のコードが対応付けられている。そのため、１着の衣類の複数の属性情報を迅速且つ容易に所定のコードに変換可能である。例えば、比較的少ないバイナリーディジット（ｂｉｔ）で具体的な衣類属性情報を代替することで、記憶空間を節約するとの作用が奏されるとともに、その後の衣類情報の解析過程にも有利となる。
【０１６４】
好ましくは、衣類の異なる属性情報ごとの具体的な種別数に基づいて、衣類の各属性情報に適切なビット数を割り当てることで相応の情報を記憶する。
【０１６５】
更に、制御装置は、ユーザが各衣類情報の選択肢から選択した衣類情報を、対応する材質情報サブコード、色情報サブコード、種別情報サブコード、規格情報サブコード、メーカー情報サブコードにそれぞれ所定の規則で変換するとともに、各サブコードを所定の順序で直列に接続することで前記衣類情報コードを形成し、情報記憶装置に記憶する。
【０１６６】
好ましくは、メーカー情報コードの占有ビット＞種別情報コードの占有ビット＞色情報コードの占有ビット≧規格情報コードの占有ビット＞材質情報コードの占有ビットとする。より具体的には、前記メーカー情報コードが１２ビットを占有し、規格情報コードが５ビットを占有し、種別情報コードが６ビットを占有し、前記色情報コードが５ビットを占有し、前記材質情報コードが４ビットを占有する。
【０１６７】
上記の各属性コードには、衣類の属性自体の具体的な種別数に基づいて適切なビット数が割り当てられ、相応の情報が記憶される。これらの割り当て方式は、膨大な統計・研究の中で総括されたものであり、記憶空間を節約し、且つ解析を簡単・便利にするとの作用を奏し得る。
【０１６８】
更なる方案として、識別タグが識別され、衣類情報が編集及び記憶されたあとに、再び識別装置により識別される場合、制御装置は、識別装置が識別した唯一のタグ情報に基づいて、対応する衣類情報コードを情報記憶装置から取得するとともに、所定の解析規則を用いて対応する衣類情報を解析する。
【０１６９】
上記の所定の解析規則を用いて識別可能な衣類情報に解析する際には、所定の解析規則における長さの形式に基づいて、所定の形式の衣類情報コードを複数のサブコードに分割するとともに、各サブコードをそれぞれ対応する衣類属性情報に解析する。
【０１７０】
更なる方案として、前記識別タグは、唯一のタグ情報を含む図形コードであり、制御装置は、識別装置が前記図形コードをスキャンすることで対応する唯一のタグ情報を取得するよう制御する。好ましくは、前記図形コードはＱＲコード又はバーコードである。
【０１７１】
或いは、前記識別タグには前記唯一のタグ情報が記憶されている。制御装置は、前記識別装置が前記識別タグを読み取ることで内部に記憶されている唯一のタグ情報を取得するよう制御する。好ましくは、前記識別タグはＲＦＩＤ電子タグであり、前記唯一のタグ情報はＲＦＩＤ電子タグのＴＩＤ番号である。前記情報記憶装置は、前記ＴＩＤ番号及び対応する衣類情報コードを記憶する。
【０１７２】
更なる方案として、前記識別タグは衣類情報を記憶する記憶領域を含んでおり、当該記憶領域に所定の形式の衣類情報コードが記憶される。前記制御装置は、識別装置が前記記憶領域を読み取って所定の形式の衣類情報コードを直接取得するよう制御する。或いは、制御装置は、識別装置が識別タグの唯一のタグ情報を読み取って、情報記憶装置から対応する所定の形式の衣類情報コードを間接的に取得するよう制御する。その後、制御装置は、所定の解析規則に基づいて対応する衣類情報を解析する。
【０１７３】
識別タグの記憶領域における衣類情報コードの記憶規則は、情報記憶装置における衣類情報コードの記憶規則と同じである。
【０１７４】
上記の方案では、識別タグに記憶されている衣類情報コードと、ユーザが編集した衣類情報を制御装置により情報処理することで生成される所定の形式の衣類情報コードとが同じ規則及び形式で記憶されるため、衣類情報を解析する際には、同一の解析規則で対応する衣類情報を解析可能である。これによれば、１つの解析規則（即ち、前記所定の解析規則）で記憶位置の異なる２種類の衣類情報コードを解析可能となるため、衣類情報を解析する際のデータ処理方法が簡略化される。よって、２つの解析規則を設けて識別タグに記憶されている衣類情報コードと記憶装置内の衣類情報コードを別々に解析することで、制御装置の作業量が増加する結果、制御装置の制御過程が複雑化し、迅速且つ正確な衣類情報の解析に不利になるとの事態が生じない。
【０１７５】
更なる方案として、前記識別装置は、優先的に前記記憶領域を読み取り、当該記憶領域に記憶されているデータを解析する。そして、解析に成功した場合には衣類情報コードを直接取得するが、成功しなかった場合には、識別装置が更に前記唯一のタグ情報を読み取り、前記情報記憶装置から衣類情報コードを取得するとともに、解析により衣類情報を取得するよう制御する。
【０１７６】
好ましくは、制御装置は、情報記憶装置から唯一のタグ情報に対応する衣類情報コードを取得できなかった場合、ユーザに対し、所定の順序で各衣類情報の選択肢から対応する衣類情報を選択して保存するよう提示する。また、制御装置は、情報を処理することで対応する衣類情報コードを生成し、情報記憶装置に記憶する。
【０１７７】
以上述べたように、本発明において、図３を参照して、衣類情報管理システムの制御方法は以下の実行ステップを含む。
【０１７８】
Ｓ１：識別装置は、前記識別タグを識別して唯一のタグ情報を取得する。
【０１７９】
Ｓ２：情報編集装置は、ユーザが所定の形式に従って選択した衣類情報を受信して制御装置に伝送する。
【０１８０】
Ｓ３：制御装置は、編集された衣類情報を情報処理することで所定の形式の衣類情報コードを生成する。
【０１８１】
Ｓ４：制御装置は、当該衣類情報コードと、対応する唯一のタグ情報とを対応付けて前記記憶装置に記憶する。
【０１８２】
ステップＳ２において、ユーザが所定の形式に従って衣類情報を選択する方式には以下が含まれる。
【０１８３】
Ｓ２０１：ユーザは、各衣類情報の選択肢から、プルダウンリストによる選択、及び／又は、スワイプによる選択、及び／又は、キーワード検索による選択によって選択を行う。
【０１８４】
Ｓ２０２：ユーザは、少なくとも全ての必要な衣類情報の選択肢を選択したあと、対応する衣類情報を確認して保存する。
【０１８５】
ステップＳ３は、更に以下のステップを含む。
【０１８６】
Ｓ３０１：所定の規則で、各衣類情報の選択肢における衣類属性情報を所定のサブコードに変換する。
【０１８７】
Ｓ３０２：ステップＳ３０１で取得した各所定のサブコードを直列に組み合わせることで最終的な所定の形式の衣類情報コードを形成する。
【０１８８】
当該衣類情報管理システムが衣類情報を解析する過程には、以下のステップが含まれる。
【０１８９】
Ｓ５０１：識別装置は、識別タグに記憶されている衣類情報コードを読み取る。
【０１９０】
Ｓ５０２：制御装置は、所定の解析規則を優先的に用い、前記ステップＳ５０１で取得した衣類情報コードを解析する。
【０１９１】
Ｓ５０３：制御装置は解析に成功したか否かを判断し、成功した場合には、解析した衣類情報をそのまま取得してステップＳ５０６に進むが、成功しなかった場合にはステップＳ５０４に進む。
【０１９２】
Ｓ５０４：識別装置は識別タグの唯一のタグ情報を読み取り、制御装置は、当該唯一のタグ情報に基づいて、記憶装置から対応する衣類情報コードを取得する。
【０１９３】
Ｓ５０５：制御装置は、取得した衣類情報コードを前記所定の解析規則を用いて解析する。
【０１９４】
Ｓ５０６：制御を終了する。
【０１９５】
取得した衣類情報コードを所定の解析規則を用いて解析する際には、以下のステップが含まれる。
【０１９６】
Ｓ６０１：制御装置は、所定の解析規則における長さの形式に基づいて、所定の形式の衣類情報コードを複数のサブコードに分割する。
【０１９７】
Ｓ６０２：各サブコードをそれぞれ対応する衣類属性情報に解析する。
【０１９８】
前記長さの形式には、前記所定の形式の衣類情報コードにおける各異なる属性情報コードが占有する異なる長さのビット数が含まれている。これにより、前記所定の形式の衣類情報コードを複数の異なる属性のサブコードに分解する。更に、制御装置は、各サブコードと具体的な衣類属性情報との関係に基づき、最終的に解析された識別可能な衣類情報を取得する。
【実施例７】
【０１９９】
本発明は、衣類情報管理システムの制御方法を提供する。衣類情報管理システムは、識別装置、制御装置、衣類に設けられる識別タグを含む。前記制御方法では、識別装置が識別タグに記憶されている衣類情報コードを読み取り、制御装置が第１の規則に基づいて衣類情報を解析する。そして、解析に失敗した場合には、識別装置が識別タグの唯一のタグ情報を読み取り、第２の規則に基づいて対応する衣類情報を解析するよう制御する。前記第２の規則には、唯一のタグ情報と衣類情報との対応関係が含まれており、制御装置は、前記対応関係に基づいて前記唯一のタグ情報に対応する衣類情報を取得する。
【０２００】
上記の方案では、識別タグに記憶されている衣類情報コードと識別タグの唯一のタグ情報に応じて、それぞれ第１の規則と第２の規則を用いて衣類情報を解析する。これにより、電子タグ内に衣類情報が記憶されていない場合でも、制御装置は第２の規則に基づいて衣類情報を取得することができる。
【０２０１】
好ましくは、前記識別タグ内の衣類情報コードは所定の形式で書き込まれ、前記第１の規則には対応する解析規則が含まれている。制御装置は、前記対応する解析規則に基づいて、前記衣類情報コードを識別可能な衣類情報に解析する。
【０２０２】
好ましくは、前記第１の規則に基づいて衣類情報を解析する際、制御装置は、識別タグ内の衣類情報コードが所定の形式で書き込まれているか否かを判断する。そして、所定の形式の場合には、そのまま読み込んで衣類情報を解析する。一方、所定の形式でない場合、制御装置は識別タグの唯一のタグ情報に基づき、第２の規則を用いて衣類情報を解析する。
【０２０３】
好ましくは、制御装置が前記第１の規則に基づく衣類情報の解析に失敗する場合には、前記衣類情報コードを解析できない場合、又は、誤った衣類情報が解析される場合が含まれる。制御装置は、前記衣類情報コードを解析できない場合、或いは、誤った衣類情報が解析された場合には、識別タグの唯一のタグ情報を読み取り、第２の規則に基づいて対応する衣類情報を取得する。
【０２０４】
上記の方案では、２種類の異なる方式で衣類情報を取得することで、異なる識別タグの識別による衣類情報の取得を保証している。
【０２０５】
好ましくは、前記唯一のタグ情報とは、前記識別タグに記憶されて当該識別タグの唯一の個性を標識する固有の情報である。
【０２０６】
好ましくは、前記唯一のタグ情報には世界で唯一のコードが含まれており、前記第２の規則には、世界で唯一のコードと衣類情報との対応関係が含まれている。制御装置は、前記対応関係に基づいて、前記世界で唯一のタグ情報に対応する衣類情報を取得する。
【０２０７】
上記の方案では、唯一のタグ情報として世界で唯一のコードを用いるため、識別による誤った衣類情報の取得が効果的に防止される。
【０２０８】
好ましくは、制御装置は、第２の規則に基づく衣類情報の解析に失敗した場合、ユーザに対し、前記唯一のタグ情報について対応する衣類情報を編集するとともに、前記唯一のタグ情報と、対応する衣類情報との対応関係を第２の規則に追加するよう提示する。これにより、対応する衣類を次に識別する際には、第２の規則に基づいて対応する衣類情報が取得される。
【０２０９】
上記の方案において、当該第２の規則とは、ユーザの関与によって構築され、且つ次第に増加するものである。
【０２１０】
好ましくは、前記識別タグはＲＦＩＤ電子タグであり、前記唯一のタグ情報はＲＦＩＤ電子タグのＴＩＤ番号である。前記ＲＦＩＤ電子タグには、衣類情報コードを記憶するＥＰＣ領域が含まれる。前記識別装置は、ＥＰＣ領域を読み取って前記衣類情報コードを取得し、第１の規則を用いて解析する。そして、解析に成功した場合には制御を終了するが、成功しなかった場合には、更に前記ＴＩＤ番号を読み取り、第２の規則に基づいて衣類情報を解析する。
【０２１１】
上記の方案では、第２の規則がＴＩＤ番号と衣類情報との対応関係を含んでいる。制御装置は、識別装置が識別した唯一のタグ情報に基づいて、第２の規則により対応する衣類情報を取得する。
【０２１２】
好ましくは、前記衣類情報管理システムは、更に、制御装置及び／又は識別装置と通信接続する衣類情報編集装置を含んでおり、前記制御装置又は識別装置又は衣類情報編集装置に前記第２の規則が記憶される。
【０２１３】
好ましくは、前記衣類情報管理システムはクラウドサーバを含み、前記第２の規則がクラウドサーバに記憶される。前記衣類情報編集装置及び／又は制御装置は前記クラウドサーバに接続し、クラウドサーバから解析された衣類情報を取得する。
【０２１４】
本実施例において、衣類情報には主に衣類の属性情報が含まれている。
【０２１５】
好ましくは、図４を参照して、前記制御方法は以下のステップを含む。
【０２１６】
Ｓ１：識別装置が識別タグに記憶されている衣類情報コードを読み取り、制御装置が第１の規則に基づいて前記衣類情報コードを解析する。
【０２１７】
Ｓ２：制御装置は解析に成功したか否かを判断し、成功した場合には、解析した衣類情報をそのまま取得してステップＳ６に進むが、成功しなかった場合にはステップＳ３に進む。
【０２１８】
Ｓ３：識別装置が前記識別タグの唯一のタグ情報を読み取り、制御装置が第２の規則に基づいて対応する衣類情報を解析する。
【０２１９】
Ｓ４：制御装置は解析に成功したか否かを判断し、成功した場合には解析した衣類情報をそのまま取得してステップＳ６に進むが、成功しなかった場合には、ユーザに対し、当該唯一のタグ情報について対応する衣類情報を編集するよう提示する。
【０２２０】
Ｓ５：制御装置は、前記唯一のタグ情報とユーザが編集した衣類情報との対応関係を第２の規則に追加するよう制御する。
【０２２１】
Ｓ６：制御を終了する。
【実施例８】
【０２２２】
実施例８では、実施例７を元に、衣類情報管理システムの制御方法における衣類情報の編集制御について詳細に開示する。識別装置が前記識別タグを識別して唯一のタグ情報を取得すると、ユーザによる前記唯一のタグ情報についての衣類情報の編集操作を衣類情報編集装置が受け付けるよう制御する。そして、ユーザが編集した衣類情報を情報処理することで所定の形式の衣類情報コードを生成するとともに、前記唯一のタグ情報と、対応する所定の形式の衣類情報コードとの対応関係を第２の規則に追加するよう制御する。好ましくは、当該衣類情報編集装置は、例えばスマートフォンのようなユーザが携帯可能な端末である。
【０２２３】
好ましくは、ユーザが入力する衣類情報は自由に編集した衣類情報である。制御装置は、ユーザが編集した衣類情報からキーワードを抽出することで衣類の属性情報を取得するとともに、前記衣類の属性情報を所定の形式の衣類情報コードに変換する。
【０２２４】
好ましくは、制御装置が所定の形式の衣類情報コードを生成する過程では、ユーザが編集した衣類情報からキーワードを抽出することで各衣類属性情報を取得し、所定の規則で各衣類属性情報をそれぞれ所定のコードに変換する。且つ、各所定のコードを直列に組み合わせることで、前記所定の形式の衣類情報コードを形成する。
【０２２５】
好ましくは、制御装置は、ユーザが編集した衣類情報における衣類の材質属性情報、衣類の色属性情報、衣類の種別属性情報、衣類の規格属性情報、衣類のメーカー属性情報を抽出し、所定の規則で各属性情報をそれぞれ所定の材質情報コード、色情報コード、種別情報コード、規格情報コード、メーカー情報コードに変換する。且つ、所定の順序及び形式で各情報コードを直列に組み合わせることで前記所定の形式の衣類情報コードを形成するとともに、唯一のタグ情報と、当該所定の形式の衣類情報コードとの対応関係を第２の規則に追加する。
【０２２６】
好ましくは、識別タグが識別され、衣類情報が編集及び記憶されたあとに、再び識別装置により識別される場合、制御装置は、識別装置が識別した唯一のタグ情報に基づいて、第２の規則により対応する衣類情報コードを取得するとともに、所定の解析規則（実施例１の第１の規則と同じ）を用いて識別可能な衣類情報に解析する。即ち、本実施例では、識別タグに記憶されている衣類情報コードと、ユーザが編集した衣類情報を制御装置により情報処理することで生成される所定の形式の衣類情報コードとが同じ規則及び形式で記憶される。これにより、衣類情報を解析する際には、同一の解析規則（即ち、第１の規則）で衣類情報が解析される。
【０２２７】
好ましくは、前記制御装置が、所定の解析規則（第１の規則）を用いて識別可能な衣類情報に解析する際には、所定の解析規則における長さの形式に基づいて、所定の形式の衣類情報コードを複数のサブコードに分割するとともに、各サブコードをそれぞれ対応する衣類属性情報に解析する。
【０２２８】
好ましくは、前記識別タグは衣類情報を記憶する記憶領域を含んでおり、当該記憶領域に所定の形式の衣類情報コードが記憶される。前記識別装置は、前記記憶領域を読み取って所定の形式の衣類情報コードを直接取得する。或いは、識別装置は、識別タグの唯一のタグ情報を読み取って、第２の規則により対応する所定の形式の衣類情報コードを取得する。その後、制御装置は、第１の規則に基づいて、識別可能な衣類情報に解析する。
【０２２９】
好ましくは、前記識別装置は優先的に前記記憶領域を読み取り、当該記憶領域に記憶されているデータを解析する。そして、解析に成功した場合には制御を終了するが、成功しなかった場合には、識別装置が更に前記唯一のタグ情報を読み取り、前記第２の規則により所定の形式の衣類情報コードを取得するとともに、前記所定の形式の衣類情報コードを解析するよう制御する。
【０２３０】
好ましくは、前記制御装置は、第２の規則で所定の形式の衣類情報コードを取得できなかった場合、ユーザに対し、前記唯一のタグ情報について衣類情報を編集するよう提示する。そして、ユーザが編集した衣類情報を情報処理することで所定の形式の衣類情報コードを取得し、前記第２の規則に追加する。
【実施例９】
【０２３１】
本実施例９は、上記実施例７及び実施例８の制御方法を用いる衣類情報管理システムを提供する。当該システムは、対応する衣類に設けられる識別タグであって、当該識別タグの唯一の個性を標識する唯一のタグ情報を有する識別タグと、識別タグに記憶されている衣類情報コードを読み取り、及び／又は、識別タグの唯一のタグ情報を読み取る識別装置と、識別装置が識別タグに記憶されている衣類情報コードを読み取り、第１の規則に基づいて衣類情報を解析するよう制御し、及び／又は、識別装置が識別タグの唯一のタグ情報を読み取り、第２の規則に基づいて対応する衣類情報を解析するよう制御する制御装置、を含む。
【０２３２】
本実施例において、当該識別タグは、衣類の工場出荷時又は販売時にメーカーによって衣類に取り付けられるものであって、ユーザが識別しやすいよう、メーカーが対応する衣類情報コードを記憶領域に記憶してもよいし、ユーザが購入した識別タグとし、その後に識別しやすいよう、対応する衣類に固定してもよい。要するに、衣類情報の管理過程において、衣類が識別タグを有している場合には、記憶されている衣類情報を識別装置により識別可能である。一方、識別タグを有していない場合、或いは、識別タグの内部に衣類情報が記憶されていない場合には、ユーザが当該衣類に識別タグを専用に取り付けるとともに、既存の識別タグの唯一のタグ情報について衣類情報を定義して記憶すればよい。
【０２３３】
好ましくは、前記識別タグはＲＦＩＤ電子タグであり、前記識別装置にＲＦＩＤリーダが含まれている。前記衣類情報コードはＲＦＩＤ電子タグのＥＰＣ領域に記憶される。また、前記唯一のタグ情報はＲＦＩＤ電子タグのＴＩＤ領域に記憶されるＴＩＤ番号であり、前記第２の規則には、ＴＩＤ番号と、対応する衣類情報との対応関係が含まれている。
【０２３４】
好ましくは、本実施例において、前記制御装置は、例えばスマートフォンのようなユーザが携帯可能な制御端末とすればよく、当該第１の規則、第２の規則を制御端末に記憶してもよい。
【０２３５】
或いは、当該衣類情報管理システムはクラウドサーバを更に含み、少なくとも当該第２の規則がクラウドサーバに記憶される。実際の動作において、識別装置が衣類上の識別タグの唯一のタグ情報を識別すると、識別装置がクラウドサーバに直接接続するか、或いは、制御装置がクラウドサーバに接続して、識別された唯一のタグ情報をクラウドサーバに送信するとともに、クラウドサーバ側から解析された衣類情報を取得する。好ましくは、衣類情報管理システムが識別タグに対応する衣類情報を素早く取得できるよう、当該第１の規則は制御装置又は識別装置に記憶すればよい。そして、対応する衣類情報が得られない場合には、更に、制御装置又は識別装置がクラウドサーバに接続し、クラウドサーバ側から解析された識別可能な衣類情報を取得する。
【実施例１０】
【０２３６】
本実施例は、衣類処理システムの制御方法を提供する。衣類処理システムは、洗浄装置、制御装置、識別装置、衣類に設けられる識別タグを含む。前記制御方法では、識別装置が洗濯待ちの衣類上の識別タグを識別し、前記識別タグの唯一のタグ情報を取得する。制御装置は、第１の規則に基づいて衣類情報を解析するとともに、前記衣類情報に基づいて洗浄プログラムを取得する。前記第１の規則には、唯一のタグ情報と衣類情報との対応関係が含まれている。
【０２３７】
上記の方案において、衣類処理システムは、識別タグの唯一のタグ情報に基づいて衣類情報を取得する。これにより、各種の異なる識別タグに対応する衣類情報を取得可能となるため、衣類情報が記憶されていない識別タグから衣類情報を取得できないとの問題が回避される。
【０２３８】
好ましくは、前記唯一のタグ情報とは、前記識別タグに記憶されて当該識別タグの唯一の個性を標識する固有の情報である。
【０２３９】
好ましくは、前記唯一のタグ情報には世界で唯一のコードが含まれており、前記第１の規則には、世界で唯一のコードと衣類情報との対応関係が含まれている。制御装置は、前記対応関係に基づいて、前記世界で唯一のタグ情報に対応する衣類情報を取得する。
【０２４０】
上記の方案において、唯一のタグ情報には世界で唯一のコードが含まれているため、識別による誤った衣類情報の取得が効果的に防止される。
【０２４１】
好ましくは、前記識別タグは、唯一のタグ情報を含む図形コードであり、識別装置は前記図形コードをスキャンすることで対応する唯一のタグ情報を取得する。
【０２４２】
上記の方案において、好ましくは、当該識別タグは衣類に縫い付けられた小型のタグであり、タグに前記図形コードが印刷されている。洗浄の過程で、識別装置は前記図形コードをスキャンして対応する唯一のタグ情報を取得する。
【０２４３】
好ましくは、前記図形コードはＱＲコード又はバーコードである。
【０２４４】
好ましくは、前記識別タグは電子タグであり、内部に前記唯一のタグ情報が記憶されている。識別装置は、前記識別タグを読み取ることで内部に記憶されている唯一のタグ情報を取得する。
【０２４５】
好ましくは、前記識別タグはＲＦＩＤ電子タグであり、前記識別装置にＲＦＩＤリーダが含まれている。前記唯一のタグ情報はＲＦＩＤ電子タグのＴＩＤ番号であり、前記第１の規則にはＴＩＤ番号と衣類情報との対応関係が含まれている。制御装置は、ＲＦＩＤリーダがＲＦＩＤ電子タグのＴＩＤ番号を読み取り、第１の規則に基づいて対応する衣類情報を取得するよう制御する。
【０２４６】
好ましくは、衣類処理システムは端末を含む。前記識別装置は洗浄装置又は端末に設置され、前記制御装置は洗浄装置又は端末に設置される。洗浄装置と端末はクラウドサーバを介して通信接続する。また、前記第１の規則は、洗浄装置／端末／クラウドサーバに記憶される。
【０２４７】
当該端末は洗浄装置にワイヤレス接続される。端末は、当該洗浄装置を遠隔制御するために用いられる。第１の規則が端末に記憶されている場合、洗濯時において、識別装置は、唯一のタグ情報を識別したあとこれを端末に送信する。端末は、当該唯一のタグ情報を受信すると、第１の規則に基づいて解析し、解析の結果を洗浄装置に送信するとともに、洗浄装置から衣類情報に基づいて洗浄プログラムを取得する。
【０２４８】
好ましくは、前記第１の規則はクラウドサーバに記憶される。洗濯時には、制御装置が前記クラウドサーバに接続し、識別された唯一のタグ情報を前記クラウドサーバに送信することで衣類情報の解析を行うとともに、解析された衣類情報をクラウドサーバから取得する。
【０２４９】
上記の方案では、第１の規則をクラウドサーバに記憶することでデータの安全性を保障しているため、ＩｏＴ衣類処理システムの利用に適している。且つ、端末及び洗浄装置が対応する衣類情報を取得するのにも便利である。
【０２５０】
好ましくは、前記識別タグには衣類情報コード記憶領域が含まれている。識別装置は、当該記憶領域に記憶されているデータを優先的に読み取り、第２の規則を用いて衣類情報の解析を行う。そして、解析に成功した場合には、当該衣類情報に基づいて洗浄プログラムを取得するが、解析に失敗した場合には、識別タグの唯一のタグ情報を取得して、第１の規則に基づき衣類情報の解析を行う。
【０２５１】
上記の方案において、識別タグに衣類情報コードが記憶されている場合には、優先的に当該衣類情報コードに基づき、第２の規則を用いて解析することで衣類情報を取得する。制御装置は、第２の規則による衣類情報の解析に失敗した場合、更に第１の規則を用いて衣類情報を解析する。これにより、衣類情報コードが記憶されている識別タグと衣類情報コードが記憶されていない識別タグの双方を識別して衣類情報を取得することが可能となる。
【０２５２】
好ましくは、前記識別タグ内の衣類情報コードは所定の形式で書き込まれ、前記第２の規則には所定の解析規則が含まれている。前記制御装置は、前記所定の解析規則に基づいて、前記衣類情報コードを識別可能な衣類情報に解析する。
【０２５３】
前記第２の規則に基づいて衣類情報を解析する際、制御装置は、識別タグ内の衣類情報コードが所定の形式で書き込まれているか否かを判断する。そして、所定の形式の場合には、そのまま読み込んで衣類情報を解析する。一方、所定の形式でない場合、制御装置は識別タグの唯一のタグ情報に基づき、第１の規則を用いて衣類情報を解析する。
【０２５４】
好ましくは、制御装置が前記第２の規則に基づく衣類情報の解析に失敗する場合には、前記衣類情報コードを解析できない場合、又は、誤った衣類情報が解析される場合が含まれる。制御装置は、第２の規則では前記衣類情報コードを解析できない場合、或いは、誤った衣類情報が解析された場合には、識別装置が識別タグの唯一のタグ情報を読み取り、第１の規則に基づいて対応する衣類情報を取得するよう制御する。
【０２５５】
好ましくは、制御装置は、第１の規則に基づく衣類情報の解析に失敗した場合、ユーザに対し、前記唯一のタグ情報について対応する衣類情報を編集するとともに、前記唯一のタグ情報とユーザが編集した衣類情報を対応付けて第１の規則に追加するよう提示する。これにより、次に対応する衣類を洗浄する際には、ユーザが編集した衣類情報が第１の規則に基づき取得されるとともに、当該衣類情報に基づいて洗浄プログラムが取得される。
【０２５６】
好ましくは、前記衣類情報とは洗濯パラメータに影響する衣類属性情報であり、衣類の色情報及び／又は衣類の材質情報及び/又は衣類の種別情報を含む。制御装置は、各洗濯待ちの衣類の衣類属性情報を取得すると、各衣類の属性に適した洗濯パラメータを算出し、実行可能な洗浄プログラムを生成する。或いは、制御装置は、洗浄装置に記憶されている複数の洗浄プログラムから、洗濯パラメータが各衣類属性情報に適した洗浄プログラムを選択する。例えば、解析された衣類情報の材質がウールの場合には、対応する洗浄水の温度を相応に設定する。また、解析した複数の衣類に下着が含まれている場合には、例えば、低めの脱水回転速度で脱水するというように、低強度の洗濯パラメータの洗浄プログラムを提案する。
【０２５７】
具体的に、制御装置は、前記衣類情報に基づいて洗浄プログラムを取得する過程において、各洗濯待ちの衣類の衣類属性情報に基づき適切な洗濯パラメータを選択する。前記洗濯パラメータには、洗浄パラメータ、及び／又はすすぎパラメータ、及び／又は脱水パラメータが含まれる。また、前記洗浄パラメータには、洗浄時間、及び／又は洗浄温度、及び／又は回転速度、及び／又は水位が含まれ、前記すすぎパラメータには、水位、すすぎ時間、すすぎ回数が含まれ、前記脱水パラメータには、回転速度、脱水時間が含まれる。
【０２５８】
上記の方案において、ユーザが編集する衣類情報には洗濯パラメータに影響を及ぼす衣類情報が含まれているため、制御装置が洗浄プログラムを取得するにあたってのデータ的根拠が提供される。
【０２５９】
より好ましくは、前記端末は、ユーザが対応する衣類情報を編集するための編集部を含む。ユーザは衣類情報を自由に編集してもよいし、端末によってユーザが既定の形式に従い衣類情報を編集するよう制御してもよい。
【０２６０】
図５を参照して、本実施例１における好ましい衣類処理システムの制御方法は、以下のステップを含む。
【０２６１】
Ｓ１：識別装置が識別タグに記憶されている衣類情報コードを読み取り、制御装置が第２の規則を用いて前記衣類情報コードを解析する。
【０２６２】
Ｓ２：制御装置は解析に成功したか否かを判断し、成功した場合には、解析した衣類情報をそのまま取得してステップＳ６に進むが、成功しなかった場合にはステップＳ３に進む。
【０２６３】
Ｓ３：制御装置は、識別装置が前記識別タグの唯一のタグ情報を読み取り、第１の規則に基づいて対応する衣類情報を解析するよう制御する。
【０２６４】
Ｓ４：制御装置は解析に成功したか否かを判断し、成功した場合には解析した衣類情報をそのまま取得してステップＳ６に進むが、成功しなかった場合には、ユーザに対し、当該唯一のタグ情報について対応する衣類情報を編集するよう提示する。
【０２６５】
Ｓ５：制御装置は、前記唯一のタグ情報とユーザが編集した衣類情報との対応関係を第１の規則に追加するよう制御する。
【０２６６】
Ｓ６：制御装置は、前記衣類情報に基づいて洗浄プログラムを取得する。
【実施例１１】
【０２６７】
実施例１１では、実施例１０を元に、衣類処理システムの制御方法において、制御装置が解析された衣類情報に基づいて洗浄プログラムを取得する際の制御について更に開示する。
【０２６８】
本実施例において、制御装置は、洗濯待ちの衣類の複数の属性情報を解析によって取得したあと、各属性情報にそれぞれ対応する洗浄プログラムを取得する。そして、洗浄プログラムを論理的に判断することで、衣類の全ての属性情報に適した最適な洗浄プログラムを選択する。
【０２６９】
好ましくは、各属性情報には洗浄プログラムが１つずつ対応付けられており、各洗浄プログラムには異なる優先レベルが対応付けられている。制御装置は、各属性情報にそれぞれ対応する洗浄プログラムを取得すると、複数の洗浄プログラムの優先レベルを比較して、衣類の全ての属性情報に適した最適な洗浄プログラムを選択する。
【０２７０】
好ましくは、前記属性情報には衣類の材質情報と衣類の種別情報が含まれる。
【０２７１】
好ましくは、前記洗浄プログラムの優先レベルは、洗浄装置の回転速度及び／又は洗浄装置の加熱温度に対応している。
【０２７２】
好ましくは、洗浄装置の回転速度が小さいほど優先レベルが高くなるか、或いは、洗浄装置の加熱温度が低いほど優先レベルが高くなる。
【０２７３】
好ましくは、以下のステップを含む。
【０２７４】
Ｓ１０１：制御装置は、１着の洗濯待ちの衣類の洗浄に要する複数の属性情報を解析によって取得する。各属性情報には洗浄プログラムが１つずつ対応付けられている。制御装置は、各属性情報にそれぞれ対応する洗浄プログラムを取得するとともに、上記複数の洗浄プログラムの優先レベルを比較する。そして、当該衣類の全ての属性情報に適した最適な洗浄プログラムを取得する。
【０２７５】
Ｓ１０２：上記の方法に基づき、各洗濯待ちの衣類の最適な洗浄プログラムを取得する。制御装置は、各洗濯待ちの衣類の最適な洗浄プログラムの優先レベルを比較し、衣類の全ての属性情報に適した最適な洗浄プログラムを取得する。
【０２７６】
好ましくは、ステップＳ１０１の具体的方法は以下の通りである。
【０２７７】
洗浄装置は、洗濯待ちの衣類の属性情報ＣＺ１、ＣＺ２・・・ＣＺｎと、これらに対応する洗浄プログラムが順に洗浄プログラムＣＸ１、ＣＸ２・・・ＣＸａ・・・ＣＸｎ（ｎは正の整数）である旨、及び、属性情報ＫＳ１、ＫＳ２・・・ＫＳｍと、これらに対応する洗浄プログラムが順に洗浄プログラムＣＸ１、ＣＸ２・・・ＣＸｂ・・・ＣＸｍ（ｍは正の整数）である旨を予め設定する。洗浄プログラムＣＸにおけるａ、ｂの値が大きいほど優先レベルは高くなる。
【０２７８】
洗浄装置又は洗浄装置と通信接続する端末は、１着の洗濯待ちの衣類の属性情報ＣＺａ及び属性情報ＫＳｂを識別する。制御装置は、属性情報ＣＺａと属性情報ＫＳｂを洗浄装置に予め設定されている属性と照合し、属性情報ＣＺａ及び属性情報ＫＳｂにそれぞれ対応する洗浄プログラムＣＸａ及びＣＸｂを取得する。次に、ａとｂの値を比較して、ａ≦ｂならば、当該衣類の全ての属性情報に適した最適な洗浄プログラムは洗浄プログラムＣＸｂとなる。また、ａ＞ｂならば、当該衣類の全ての属性情報に適した最適な洗浄プログラムは洗浄プログラムＣＸａとなる。
【０２７９】
言うまでもなく、洗浄プログラムのマッチング過程は次のようにしてもよい。即ち、洗浄装置又は洗浄装置と通信接続する端末は、洗濯待ちの衣類ごとに複数の属性情報を識別する。制御装置は、各属性情報にそれぞれ対応する洗浄プログラムを取得するとともに、全ての洗浄プログラムの優先レベルを比較する。そして、衣類の全ての属性情報に適した最適な洗浄プログラムを取得する。
【０２８０】
好ましくは、全ての洗浄プログラムの優先レベルを比較する前に、全ての洗浄プログラムの集合を求めてから、集合内の洗浄プログラムの優先レベルを比較して、全ての衣類の全属性に適した最適な洗浄プログラムを取得する。
【０２８１】
例えば、以下のステップを含む。
【０２８２】
洗浄装置は、洗濯待ちの衣類の属性情報ＣＺ１、ＣＺ２・・・ＣＺｎと、これらに対応する洗浄プログラムが順に洗浄プログラムＣＸ１、ＣＸ２・・・ＣＸａ・・・ＣＸｎ（ｎは正の整数）である旨、及び、属性情報ＫＳ１、ＫＳ２・・・ＫＳｍと、これらに対応する洗浄プログラムが順に洗浄プログラムＣＸ１、ＣＸ２・・・ＣＸａ・・・ＣＸｍ（ｍは正の整数）である旨を予め設定する。洗浄プログラムＣＸａにおけるａの値が大きいほど優先レベルは高くなる。
【０２８３】
制御装置は、１着目の洗濯待ちの衣類の属性情報ＣＺ１ａと属性情報ＫＳ１ｂを解析する。制御装置は、属性情報ＣＺ１ａと属性情報ＫＳ１ｂに基づいて、これらにそれぞれ対応する洗浄プログラムＣＸａ及びＣＸｂを取得する。
【０２８４】
また、２着目の洗濯待ちの衣類の属性情報ＣＺ２ｃ及び属性情報ＫＳ２ｄについて、制御装置は、属性情報ＣＺ２ｃと属性情報ＫＳ２ｄに基づいて、これらにそれぞれ対応する洗浄プログラムＣＸｃ及びＣＸｄを取得する。
【０２８５】
・・・そして、ｔ着目の洗濯待ちの衣類の属性情報ＣＺｔｅ及び属性情報ＫＳｔｆについて、制御装置は、属性情報ＣＺｔｅと属性情報ＫＳｔｆに基づいて、これらにそれぞれ対応する洗浄プログラムＣＸｅ及びＣＸｆを取得する。
【０２８６】
ａ、ｂ、ｃ、ｄ、ｅ、ｆの値を比較し、ａが最大ならば洗浄プログラムＣＸａを実行し、ｂが最大ならば洗浄プログラムＣＸｂを実行し、ｃが最大ならば洗浄プログラムＣＸｃを実行し、ｄが最大ならば洗浄プログラムＣＸｄを実行し、ｅが最大ならば洗浄プログラムＣＸｅを実行し、ｆが最大ならば洗浄プログラムＣＸｆを実行する。
【０２８７】
好ましくは、洗浄装置は、洗浄装置に設置された識別タグ読取装置（例えば、ＲＦＩＤリーダ）によって、洗浄装置に投入された衣類上の識別タグ（例えば、ＲＦＩＤ電子タグ）内の衣類情報コード又は唯一のタグ情報を読み取る。そして、制御装置が第１の規則又は第２の規則を用いて解析することで、衣類の材質情報及び／又は衣類の種別情報等を取得する。
【実施例１２】
【０２８８】
実施例１２は、実施例１０を元に、当該衣類処理システムの制御方法における衣類情報の編集制御について更に詳細に開示する。制御装置は、識別装置が識別タグの唯一のタグ情報を読み取るよう制御するとともに、衣類情報編集装置（好ましくは、例えばスマートフォンのようなユーザが携帯可能な端末とする）が、前記唯一のタグ情報に対するユーザによる衣類情報の編集操作を受け付けるよう制御する。また、ユーザが編集した衣類情報を情報処理することで、所定の形式の衣類情報コードを生成するとともに、前記唯一のタグ情報と、対応する所定の形式の衣類情報コードとを対応付けて第１の規則に追加するよう制御する。
【０２８９】
好ましくは、ユーザが入力する衣類情報は自由に編集した衣類情報である。制御装置は、ユーザが編集した衣類情報からキーワードを抽出することで衣類の属性情報を取得するとともに、前記衣類の属性情報を所定の形式の衣類情報コードに変換する。
【０２９０】
好ましくは、制御装置が所定の形式の衣類情報コードを生成する過程では、ユーザが編集した衣類情報からキーワードを抽出することで各衣類属性情報を取得し、所定の規則で各衣類属性情報をそれぞれ所定のコードに変換する。且つ、各所定のコードを直列に組み合わせることで、前記所定の形式の衣類情報コードを形成する。
【０２９１】
好ましくは、制御装置は、ユーザが編集した衣類情報における衣類の材質属性情報、衣類の色属性情報、衣類の種別属性情報、衣類の規格属性情報、衣類のメーカー属性情報を抽出し、所定の規則で各属性情報をそれぞれ所定の材質情報コード、色情報コード、種別情報コード、規格情報コード、メーカー情報コードに変換する。且つ、所定の順序及び形式で各情報コードを直列に組み合わせることで前記所定の形式の衣類情報コードを形成するとともに、前記第１の規則に追加する。
【０２９２】
好ましくは、識別タグが識別され、衣類情報が編集及び記憶されたあとに、再び識別装置により識別される場合、制御装置は、識別装置が識別した唯一のタグ情報に基づいて、第１の規則により対応する衣類情報コードを取得するとともに、所定の解析規則（実施例１の第２の規則と同じ）を用いて識別可能な衣類情報に解析する。即ち、本実施例では、識別タグに記憶されている衣類情報コードと、ユーザが編集した衣類情報を制御装置又は衣類情報編集装置により情報処理することで生成される所定の形式の衣類情報コードとが同じ規則及び形式で記憶される。これにより、衣類情報を解析する際には、同一の解析規則（即ち、第２の規則）で衣類情報が解析される。
【０２９３】
好ましくは、前記制御装置が所定の解析規則（第２の規則）を用いて識別可能な衣類情報に解析する際には、所定の解析規則における長さの形式に基づいて、所定の形式の衣類情報コードを複数のサブコードに分割するとともに、各サブコードをそれぞれ対応する衣類属性情報に解析する。
【０２９４】
好ましくは、前記識別タグは衣類情報を記憶する記憶領域を含んでおり、当該記憶領域に所定の形式の衣類情報コードが記憶される。前記制御装置は、識別装置が前記記憶領域を読み取って所定の形式の衣類情報コードを直接取得するよう制御する。或いは、制御装置は、識別装置が識別タグの唯一のタグ情報を読み取って、第１の規則により対応する所定の形式の衣類情報コードを間接的に取得するよう制御する。その後、制御装置は、所定の解析規則（第２の規則）に基づいて、識別可能な衣類情報に解析する。
【０２９５】
好ましくは、前記制御装置は、識別装置が優先的に前記記憶領域を読み取り、第２の規則を用いて当該記憶領域に記憶されているデータを解析するよう制御する。そして、解析に成功した場合には制御を終了するが、成功しなかった場合には、識別装置が更に前記唯一のタグ情報を読み取り、前記第１の規則により所定の形式の衣類情報コードを取得するとともに、第２の規則を用いて前記所定の形式の衣類情報コードを解析するよう制御する。
【０２９６】
好ましくは、前記制御装置は、第１の規則で所定の形式の衣類情報コードを取得できなかった場合、ユーザに対し、前記唯一のタグ情報について衣類情報を編集するよう提示する。そして、ユーザが編集した衣類情報を情報処理することで所定の形式の衣類情報コードを取得し、前記第１の規則に追加する。
【０２９７】
本発明の衣類処理システムによれば、情報間の対応関係を利用して識別タグで表現可能な記憶内容を拡張することで、衣類情報が記憶されていない／所定の形式で記憶されていない識別タグであっても、衣類情報の媒体となり得、且つ効果的に識別される。
【実施例１３】
【０２９８】
本実施例は、実施例２又は実施例３を元に、衣類処理システムの制御方法を提供する。具体的には、以下の通りである。
【０２９９】
本実施例は、衣類処理システムの制御方法を提供する。衣類処理システムは、洗浄装置、制御装置、識別装置、記憶装置及び情報編集装置を含む。前記制御方法では、衣類に識別タグが設けられており、識別装置が識別タグの唯一のタグ情報を識別して取得する。情報編集装置は、ユーザが編集した情報を受信すると制御装置に伝送し、制御装置がこれを処理することで唯一のタグ情報に対応する衣類情報コードを生成するとともに、記憶装置に記憶する。識別装置が唯一のタグ情報を再び読み取った際には、制御装置は、唯一のタグ情報と衣類情報コードとの対応関係に基づいて、記憶装置から衣類情報を取得し、衣類情報に基づいて対応する洗浄プログラムを提案する。そして、洗浄装置が対応する洗浄プログラムを実行する。
【０３００】
識別装置は、初めて衣類上の識別タグの唯一のタグ情報を識別する際、ユーザに対し衣類情報を編集するよう提示する。ユーザは、衣類自体の性質、又は衣類に付属する各種タグの情報に基づき、唯一のタグ情報に対応する衣類情報を自身で編集する。制御装置は、当該衣類情報を処理して記憶したあと、対応する洗浄プログラムを提案する。そして、洗浄装置が対応する洗浄プログラムを実行する。このような方式によれば、衣類情報の編集がより柔軟且つスマートとなり、ユーザのニーズをいっそう満たすことが可能となる。また、情報入力の精度が向上するとともに、提案する洗浄プログラムがいっそう最適化されるため、対応する衣類の洗浄により適するようになる。
【０３０１】
識別装置が衣類上の識別タグを再び識別し、唯一のタグ情報を取得した場合には、対応する衣類情報及び対応する洗浄プログラムを記憶装置から直接呼び出すことが可能である。そして、ユーザの確認後に、洗浄装置はすぐに洗浄プログラムを実行可能なため、簡単且つスピーディーとなる。また、当該識別タグが衣類から取り外されて別の衣類に取り付けられた場合、ユーザは、新たな衣類に対応する情報を編集し直せばよい。これにより、識別タグの再利用が実現されるため、いっそう便利且つ柔軟となり、コストダウンも可能である。
【０３０２】
制御装置、識別装置、記憶装置及び情報編集装置はそれぞれ別個に設置してもよいし、全てを洗浄装置に集積してもよいし、少なくとも１つを洗浄装置に設置してもよい。
【０３０３】
更に、ユーザが衣類情報を編集する方式として、ユーザは、情報編集装置の所定の形式に従って衣類属性情報を選択する。及び／又は、ユーザは、情報編集装置において衣類情報を自由に入力する。そして、次に呼び出せるよう、制御装置は処理を行うことで唯一のタグ情報に対応する衣類情報コードを生成し、記憶装置に記憶する。
【０３０４】
ユーザは、所定の形式に従って情報を編集及び選択する場合、一定の自由度をもって選択できるだけでなく、こうした所定の規則に基づく入力方式によれば、情報コードを正確に生成して記憶することも可能となる。よって、エラーの発生を回避可能となり、情報を記憶するのに有利である。
【０３０５】
ユーザは、情報編集装置を通じて衣類情報を自由に入力する場合、必要に応じて衣類の情報を任意に入力すればよく、所定の形式の衣類情報を入力する必要はない。この場合には、規制がより少なく、柔軟性がいっそう高まる。
【０３０６】
上記２種類の編集方式によれば、ユーザが編集を終えたあと、制御装置は、編集された衣類情報を衣類情報コードに変換して記憶するため、衣類情報の記憶容量が節約される。よって、従来の記憶方式と比較して、本方案によれば小さな記憶空間に多くの衣類情報が記憶される。
【０３０７】
更に、ユーザが情報編集装置において所定の形式に従って衣類情報を選択する際、前記情報編集装置には衣類情報の選択肢が設定されている。ユーザは、各衣類情報の選択肢から衣類の属性に対応する各情報をそれぞれ選択し、制御装置は、受信した各衣類情報から対応する衣類情報コードを生成する。
【０３０８】
本方案の情報編集装置は、モバイル端末に設置してもよいし、洗浄装置に設置してもよい。また、モバイル端末又は洗浄装置に表示部を設け、各衣類情報の選択肢を表示してもよい。又は、情報編集装置は単独で設置され、且つ表示機能を有する表示装置に一体的に集積される。これにより、ユーザによるメニューのチェック及び編集が容易となる。また、複数の衣類情報の選択肢によって衣類情報メニューが形成される。ユーザは、選択肢から衣類に対応する情報を１つずつ選ぶことで選択を完了してもよいし、必要な衣類情報の選択肢の選択を完了してから保存してもよい。これにより、各衣類情報は既定の規則通りに配列されるため、制御装置は、保存された所定の形式の衣類情報を受信したあと、既定の規則に従って対応する衣類情報コードを生成可能である。これによれば、余分な情報の干渉を受けないため、制御装置の情報処理量を減らすことが可能であるとともに、情報の精度を保証することも可能である。
【０３０９】
好ましくは、複数の衣類情報の選択肢は所定の順序で配列される。ユーザは、各衣類情報の選択肢から衣類の属性に対応する各情報をそれぞれ選択したあと、生成した所定の形式の衣類情報を保存する。
【０３１０】
複数の衣類情報の選択肢は既定の順序で配列されるため、例えば、最初を材質情報とする、或いは最後をメーカー情報とするなど、衣類ごとに入力される情報の属性を既定の規則通りに順に配列することが可能である。これにより、制御装置が情報を処理することで所定の形式の衣類情報コードを生成するための前提が提供されるため、情報の記憶及び解析の精度が保証される。
【０３１１】
更なる方案として、ユーザは、衣類情報を選択する際に、衣類情報の選択肢からプルダウンリストによる選択、及び／又は、スワイプによる選択、及び／又は、キーワード検索による選択で選択を行ったあと、対応する衣類情報を確認して保存する。
【０３１２】
各衣類情報の選択肢から、ユーザは、プルダウンリストによる選択、及び／又は、スワイプによる選択、及び／又は、キーワード検索による選択を用いて当該選択肢の全ての情報を呼び出し、それらの中から衣類に対応する情報を探し出したあと、選択して決定すればよい。これにより、ユーザに自由な編集の余地が与えられるとともに、ユーザによる入力も容易となる。選択は形式に従って行うだけでよいため、エラーの確率が大幅に減少する。各衣類情報の選択肢の全て、或いは、少なくとも必要な衣類情報の選択肢の全てについて選択を行い、保存すると、制御装置が情報を処理可能となって、衣類情報コードを生成し、記憶する。
【０３１３】
好ましくは、前記衣類情報の選択肢には、材質情報の選択肢、色情報の選択肢、種別情報の選択肢、規格情報の選択肢、メーカー情報の選択肢のうちの少なくとも１つが含まれる。
【０３１４】
各衣類情報に基づいて、制御装置は、次の操作を行いやすいよう分析処理を実施可能である。これにより、衣類管理分野に適用可能なだけでなく、衣類洗浄分野又はスマートワードローブ分野等にも適用可能となる。
【０３１５】
更なる方案として、ユーザが情報編集装置で衣類情報を自由に入力すると、制御装置は、ユーザが編集した衣類情報からキーワードを抽出することで衣類の属性情報を取得するとともに、前記衣類の属性情報を所定の形式の衣類情報コードに変換して記憶装置に記憶する。
【０３１６】
好ましくは、前記衣類属性情報には、材質情報、色情報、種別情報、規格情報、メーカー情報のうちの少なくとも１つが含まれる。
【０３１７】
上記の方案では、制御装置が、ユーザにより編集された衣類情報からキーワードを抽出することで衣類の属性情報を選択する。衣類の属性情報は、当該衣類の特性、用途及び洗浄方式、記憶方式等を標識している。そのため、衣類の属性情報を取得することは、様々な制御分野への適用に有利となる。本方案では、衣類処理分野に応用しているため、例えば、洗濯機が衣類の材質情報及び／又は色情報に基づいて対応する洗浄プログラムを取得し、洗浄装置が対応する洗浄プログラムを実行するというように、洗浄装置の実現に有利となる。
【０３１８】
更に、制御装置が情報を処理することで衣類情報コードを生成する過程において、制御装置は、ユーザが各衣類情報の選択肢から選択した衣類情報、及び／又は、ユーザが自由に入力した情報からキーワードを抽出することで取得した各衣類属性情報を、それぞれ所定の規則で所定の対応するサブコードに変換するとともに、各サブコードを所定の順序で直列に接続することで前記衣類情報コードを形成する。
【０３１９】
衣類の異なる属性のうちの各実際の属性にはそれぞれ所定のコードが対応付けられているため、１着の衣類の複数の属性情報を迅速且つ容易に所定のコードに変換可能である。例えば、比較的少ないバイナリーディジット（ｂｉｔ）で具体的な衣類属性情報を代替することで、記憶空間を節約するとの作用が奏されるとともに、その後の衣類情報の解析過程にも有利となる。
【０３２０】
好ましくは、衣類の異なる属性情報ごとの具体的な種別数に基づいて、衣類の各属性情報に適切なビット数を割り当てることで相応の情報を記憶する。
【０３２１】
好ましくは、制御装置は、衣類情報を、対応する材質情報サブコード、色情報サブコード、種別情報サブコード、規格情報サブコード、メーカー情報サブコードにそれぞれ所定の規則で変換するとともに、各サブコードを所定の順序で直列に接続することで前記衣類情報コードを形成し、記憶装置に記憶する。
【０３２２】
好ましくは、メーカー情報コードの占有ビット＞種別情報コードの占有ビット＞色情報コードの占有ビット≧規格情報コードの占有ビット＞材質情報コードの占有ビットとする。より具体的には、前記メーカー情報コードが１２ビットを占有し、規格情報コードが５ビットを占有し、種別情報コードが６ビットを占有し、前記色情報コードが５ビットを占有し、前記材質情報コードが４ビットを占有する。
【０３２３】
上記の各属性コードには、衣類の属性自体の具体的な種別数に基づいて適切なビット数が割り当てられ、相応の情報が記憶される。これらの割り当て方式は、膨大な統計・研究の中で総括されたものであり、記憶空間を節約し、且つ解析を簡単・便利にするとの作用を奏し得る。
【０３２４】
更なる方案として、衣類を洗浄する際に、識別装置は衣類上の識別タグを再び識別する。すると、制御装置は唯一のタグ情報を取得し、唯一のタグ情報と衣類情報コードとの対応関係に基づいて、記憶装置から衣類情報コードを取得する。そして、当該衣類情報コードを衣類の異なる属性情報を表す複数のサブコードに分解し、各サブコードを具体的な情報に翻訳することで、当該衣類情報コードが表す具体的な衣類属性情報を取得する。その後、対応する洗浄プログラムを提案すると、洗浄装置が対応する洗浄プログラムを実行する。
【０３２５】
更に、取得した各衣類の属性情報には洗浄プログラムが１つずつ対応付けられており、各洗浄プログラムには異なる優先レベルが対応付けられている。制御装置は、各衣類属性情報にそれぞれ対応する洗浄プログラムを取得すると、複数の洗浄プログラムの優先レベルを比較して最適な洗浄プログラムを選択する。そして、洗浄装置が最適な洗浄プログラムを実行する。
【０３２６】
好ましくは、前記洗浄プログラムの優先レベルは、洗浄装置の回転速度及び／又は洗浄装置の加熱温度に対応している。
【０３２７】
好ましくは、洗浄装置の回転速度が小さいほど優先レベルが高くなるか、或いは、洗浄装置の加熱温度が低いほど優先レベルが高くなる。
【０３２８】
好ましくは、ステップＳ１０１の具体的方法は以下の通りである。
【０３２９】
洗浄装置は、洗濯待ちの衣類の属性情報ＣＺ１、ＣＺ２・・・ＣＺｎと、これらに対応する洗浄プログラムが順に洗浄プログラムＣＸ１、ＣＸ２・・・ＣＸａ・・・ＣＸｎ（ｎは正の整数）である旨、及び、属性情報ＫＳ１、ＫＳ２・・・ＫＳｍと、これらに対応する洗浄プログラムが順に洗浄プログラムＣＸ１、ＣＸ２・・・ＣＸｂ・・・ＣＸｍ（ｍは正の整数）である旨を予め設定する。洗浄プログラムＣＸにおけるａ、ｂの値が大きいほど優先レベルは高くなる。
【０３３０】
洗浄装置又は洗浄装置と通信接続する端末は、１着の洗濯待ちの衣類の属性情報ＣＺａ及び属性情報ＫＳｂを識別する。制御装置は、属性情報ＣＺａと属性情報ＫＳｂを洗浄装置に予め設定されている属性と照合し、属性情報ＣＺａ及び属性情報ＫＳｂにそれぞれ対応する洗浄プログラムＣＸａ及びＣＸｂを取得する。次に、ａとｂの値を比較して、ａ≦ｂならば、当該衣類の全ての属性情報に適した最適な洗浄プログラムは洗浄プログラムＣＸｂとなる。また、ａ＞ｂならば、当該衣類の全ての属性情報に適した最適な洗浄プログラムは洗浄プログラムＣＸａとなる。
【０３３１】
更に、複数の衣類を一緒に洗浄したい場合には、識別装置が各衣類の識別タグの唯一のタグ情報をそれぞれ読み取る。そして、制御装置は、記憶装置から各唯一のタグ情報に対応する衣類属性情報をそれぞれ取得することで、異なる衣類属性情報にそれぞれ対応する洗浄プログラムを更に取得する。且つ、洗浄プログラムを論理的に判断することで、各衣類に適した最適な洗浄プログラムを提案する。
【０３３２】
本方案において、制御装置は、各洗濯待ちの衣類の衣類属性情報を取得すると、各衣類の属性に適した洗濯パラメータを算出し、実行可能な洗浄プログラムを生成する。或いは、制御装置は、洗浄装置に記憶されている複数の洗浄プログラムから、洗濯パラメータが各衣類属性情報に適した洗浄プログラムを選択する。例えば、解析された衣類情報の材質がウールの場合には、対応する洗浄水の温度を相応に設定する。また、解析した複数の衣類に下着が含まれている場合には、例えば、低めの脱水回転速度で脱水するというように、低強度の洗濯パラメータの洗浄プログラムを提案する。
【０３３３】
具体的に、制御装置は、前記衣類情報に基づいて洗浄プログラムを取得する過程において、各洗濯待ちの衣類の衣類属性情報に基づき適切な洗濯パラメータを選択する。前記洗濯パラメータには、洗浄パラメータ、及び／又はすすぎパラメータ、及び／又は脱水パラメータが含まれる。また、前記洗浄パラメータには、洗浄時間、及び／又は洗浄温度、及び／又は回転速度、及び／又は水位が含まれ、前記すすぎパラメータには、水位、すすぎ時間、すすぎ回数が含まれ、前記脱水パラメータには、回転速度、脱水時間が含まれる。
【０３３４】
上記の方案において、ユーザが編集する衣類情報には洗濯パラメータに影響を及ぼす衣類情報が含まれているため、制御装置が洗浄プログラムを取得するにあたってのデータ的根拠が提供される。
【０３３５】
更に、前記識別タグは、唯一のタグ情報を含む図形コードであり、識別装置は、前記図形コードをスキャンすることで対応する唯一のタグ情報を取得する。好ましくは、前記図形コードはＱＲコード又はバーコードである。
【０３３６】
或いは、前記識別タグには前記唯一のタグ情報が記憶されている。識別装置は、識別タグを読み取ることで内部に記憶されている唯一のタグ情報を取得する。好ましくは、識別装置はＲＦＩＤリーダを含む。前記識別タグはＲＦＩＤ電子タグであり、前記唯一のタグ情報はＲＦＩＤ電子タグのＴＩＤ番号である。前記記憶装置は、前記ＴＩＤ番号及び対応する衣類情報コードを記憶する。
【０３３７】
更なる方案として、前記識別タグは衣類情報を記憶する記憶領域を更に含んでおり、当該記憶領域に所定の形式の衣類情報コードが記憶される。識別装置は、前記記憶領域を読み取って所定の形式の衣類情報コードを直接取得する。その後、制御装置は、前記所定の解析規則に基づいて、識別可能な衣類情報に解析する。識別タグの記憶領域における衣類情報コードの記憶規則は、記憶装置における衣類情報コードの記憶規則と同じである。
【０３３８】
上記の方案では、識別タグに記憶されている衣類情報コードと、ユーザが編集した衣類情報を制御装置により情報処理することで生成される所定の形式の衣類情報コードとが同じ規則及び形式で記憶されるため、衣類情報を解析する際には、同一の解析規則で対応する衣類情報を解析可能である。これによれば、１つの解析規則（即ち、前記所定の解析規則）で記憶位置の異なる２種類の衣類情報コードを解析可能となるため、衣類情報を解析する際のデータ処理方法が簡略化される。よって、２つの解析規則を設けて識別タグに記憶されている衣類情報コードと記憶装置内の衣類情報コードを別々に解析することで、制御装置の作業量が増加する結果、制御装置の制御過程が複雑化し、迅速且つ正確な衣類情報の解析に不利になるとの事態が生じない。
【０３３９】
好ましくは、前記識別装置は、優先的に前記記憶領域を読み取り、当該記憶領域に記憶されているデータを解析する。そして、解析に成功した場合には制御を終了するが、成功しなかった場合には、識別装置が更に前記唯一のタグ情報を読み取り、前記記憶装置から所定の形式の衣類情報コードを取得するとともに、前記所定の形式の衣類情報コードを解析して衣類情報を取得するよう制御する。
【０３４０】
好ましくは、前記制御装置は、記憶装置から所定の形式の衣類情報コードを取得できなかった場合、ユーザに対し、前記唯一のタグ情報について衣類情報を編集するよう提示する。そして、ユーザが編集した衣類情報を情報処理することで所定の形式の衣類情報コードを取得し、前記記憶装置に保存する。
【０３４１】
以上述べたように、本実施例では、図６に示すように、衣類処理システムの制御方法は以下の実行ステップを含む。
【０３４２】
Ｓ１：識別装置は、前記識別タグを識別して唯一のタグ情報を取得する。
【０３４３】
Ｓ２：情報編集装置は、ユーザが編集した衣類情報を受信して制御装置に伝送する。
【０３４４】
Ｓ３：制御装置は、編集された衣類情報を情報処理することで所定の形式の衣類情報コードを生成する。
【０３４５】
Ｓ４：制御装置は、当該衣類情報コードと、対応する唯一のタグ情報とを対応付けて前記記憶装置に記憶する。
【０３４６】
Ｓ５：識別装置が唯一のタグ情報を再び読み取ると、制御装置は、唯一のタグ情報に対応する衣類情報を記憶装置から取得し、衣類情報に基づいて対応する洗浄プログラムを提案する。そして、洗浄装置が対応する洗浄プログラムを実行する。
【０３４７】
ステップ２において、ユーザが衣類情報を編集する方式として、ユーザは、各衣類情報の選択肢から、プルダウンリストによる選択、及び／又は、スワイプによる選択、及び／又は、キーワード検索による選択によって選択を行い、少なくとも全ての必要な衣類情報の選択肢を選択したあと、対応する衣類情報を確認して保存する。或いは、ユーザは、衣類情報を自由に入力する。
【０３４８】
ステップＳ３は、更に以下のステップを含む。
【０３４９】
Ｓ３０１：各衣類情報の選択肢のうちの衣類属性情報、又は、ユーザが自由に編集した情報からキーワードを抽出して取得した衣類属性情報を、所定の規則でそれぞれ所定のサブコードに変換する。
【０３５０】
Ｓ３０２：ステップＳ３０１で取得した各所定のサブコードを直列に組み合わせることで最終的な所定の形式の衣類情報コードを形成する。
【０３５１】
当該衣類情報管理システムが衣類情報を解析する過程には、以下のステップが含まれる。
【０３５２】
Ｓ５０１：識別装置は、識別タグの記憶領域に記憶されている衣類情報コードを読み取る。
【０３５３】
Ｓ５０２：制御装置は、所定の解析規則を優先的に用い、前記ステップＳ５０１で取得した衣類情報コードを解析する。
【０３５４】
Ｓ５０３：制御装置は解析に成功したか否かを判断し、成功した場合には、解析した衣類情報を取得してステップＳ５０６に進むが、成功しなかった場合にはステップＳ５０４に進む。
【０３５５】
Ｓ５０４：識別装置は識別タグの唯一のタグ情報を読み取り、制御装置は、当該唯一のタグ情報に基づいて、記憶装置から対応する衣類情報コードを取得する。
【０３５６】
Ｓ５０５：制御装置は、取得した衣類情報コードを前記所定の解析規則を用いて解析する。
【０３５７】
Ｓ５０６：制御装置は、衣類属性情報に基づいて洗浄プログラムを提案し、洗浄装置が対応する洗浄プログラムを実行する。
【０３５８】
取得した衣類情報コードを所定の解析規則を用いて解析する際には、以下のステップが含まれる。
【０３５９】
Ｓ６０１：制御装置は、所定の解析規則における長さの形式に基づいて、所定の形式の衣類情報コードを複数のサブコードに分割する。
【０３６０】
Ｓ６０２：各サブコードをそれぞれ対応する衣類属性情報に解析する。
【０３６１】
前記長さの形式には、前記所定の形式の衣類情報コードにおける各異なる属性情報コードが占有する異なる長さのビット数が含まれている。これにより、前記所定の形式の衣類情報コードを複数の異なる属性のサブコードに分解する。更に、制御装置は、各サブコードと具体的な衣類属性情報との関係に基づき、最終的に解析された識別可能な衣類情報を取得する。
【実施例１４】
【０３６２】
本実施例は、実施例１〜実施例４に基づく衣類処理システムの制御方法である。実施例３における第１の規則は本実施例では第２の規則と記載され、第２の規則は本実施例では第１の規則と記載される。衣類処理システムの制御方法において、衣類処理システムは、識別装置、情報記憶装置、制御装置及び情報編集装置を含む。前記制御方法では、識別装置が衣類に設けられた識別タグを識別しても何の情報も得られない場合、情報編集装置は、ユーザが当該衣類について編集した衣類情報を受信する。各衣類には衣類番号が１つずつ対応しているため、制御装置は、衣類番号及びこれに対応する衣類情報を情報記憶装置に記憶することで、識別不可能衣類データベースを形成する。
【０３６３】
識別装置が当該衣類を再び識別する際、制御装置は、情報編集装置におけるユーザの操作を取得して、当該衣類の衣類情報を識別不可能衣類データベースから呼び出すとともに、衣類情報に基づいて最適な洗浄プログラムを提案する。
【０３６４】
識別装置は、例えば、衣類上の識別タグが破損している場合や、識別された情報が文字化けしていて判別不可能である場合には、衣類上の識別タグを識別することができない。これらの場合には、識別不可能衣類データベースを構築し、識別不可能な衣類の衣類情報を当該データベースに記憶する。これにより、識別装置が識別不可能衣類データベースに記憶されている衣類を再び識別する際に、制御装置は、情報編集装置におけるユーザの操作を取得し、ユーザの操作に基づいて当該データベースから当該衣類の衣類情報を呼び出すことで、最適な洗浄プログラムを提案する。また、洗浄時に、当該衣類の衣類情報とその他の正常に識別された衣類の衣類情報を一括し、全ての衣類に適した最適な洗浄プログラムを提案してもよい。これにより、識別タグから衣類情報を取得できない衣類について衣類情報を抽出するとの課題が解決される。
【０３６５】
前記衣類情報は、少なくとも１つの衣類属性情報を含み、前記衣類属性情報は、衣類材質の衣類属性情報、衣類の色の衣類属性情報、衣類種別の衣類属性情報、衣類規格の衣類属性情報、衣類メーカーの衣類属性情報である。
【０３６６】
例えば、衣類Ａの衣類情報が、綿１００％、白色、シャツ、海瀾之家（Ｈｅｉｌａｎ Ｈｏｍｅ，ＨＬＡ）の場合に、識別装置が衣類に設けられた識別タグを識別しても何の情報も得られない場合、情報編集装置は、ユーザが衣類Ａについて編集した衣類情報として、綿１００％、白色、シャツ、ＨＬＡを受信する。制御装置は、衣類Ａの衣類情報（綿１００％、白色、シャツ、ＨＬＡ）を情報記憶装置に記憶することで、識別不可能衣類データベース内の１組のデータを形成する。
【実施例１５】
【０３６７】
本実施例は、上記の実施例１４を更に限定する。識別装置は、当該衣類を再び識別する場合、情報編集装置で情報を入力／選択するようユーザに提示する。情報編集装置がユーザにより入力／選択された情報を取得すると、制御装置は、ユーザが情報編集装置で入力／選択した情報に基づいて、識別不可能衣類データベースから対応する衣類の衣類情報を呼び出す。
【０３６８】
ユーザが情報編集装置で情報を入力し、情報編集装置がユーザにより入力／選択された情報を取得すると、制御装置は、上記の情報に基づいて、識別不可能衣類データベースから対応する衣類の衣類情報を呼び出す。
【０３６９】
更に、情報編集装置が取得するユーザにより入力／選択される情報には、衣類描写情報／衣類属性情報／衣類情報／及び衣類情報に対応する衣類番号が含まれる。制御装置は、衣類描写情報／衣類属性情報／衣類情報／衣類番号に基づいて、識別不可能衣類データベースから対応する衣類の衣類情報を呼び出す。
【０３７０】
方案１：識別装置が当該衣類を再び識別する場合、情報編集装置はユーザが入力した衣類属性情報を取得する。また、制御装置は、ユーザが入力した衣類属性情報に基づいて、識別不可能衣類データベースから対応する衣類の衣類情報を呼び出す。
【０３７１】
例えば、衣類Ａの衣類情報が、綿１００％、白色、シャツ、海瀾之家（Ｈｅｉｌａｎ Ｈｏｍｅ，ＨＬＡ）であるとする。識別装置は衣類Ａを再び識別する際に、情報編集装置に情報を入力するようユーザに提示する。ユーザが、情報編集装置に、シャツ、ＨＬＡと入力すると、制御装置は、衣類Ａの衣類情報（白色、シャツ、ＨＬＡ）を識別不可能衣類データベースから呼び出す。
【０３７２】
方案２：識別装置が当該衣類を再び識別する場合、情報編集装置はユーザが入力した衣類描写情報を取得する。また、制御装置は、ユーザが入力した衣類描写情報に基づいて、識別不可能衣類データベースから対応する衣類の衣類情報を呼び出す。
【０３７３】
具体的に、識別装置が当該衣類を再び識別する場合、情報編集装置はユーザが入力した衣類描写情報を取得する。制御装置は、衣類描写情報からキーワードを抽出することで少なくとも１つの衣類属性情報を取得し、入力された衣類属性情報に基づいて、識別不可能衣類データベースから対応する衣類の衣類情報を呼び出す。
【０３７４】
ユーザは、衣類属性情報を正確に入力する必要はなく、衣類描写情報を入力するだけで、制御装置が衣類描写情報に基づいてキーワードを抽出し、衣類属性情報を取得することが可能である。当該方法はよりスマートであり、いっそう使用しやすい。
【０３７５】
例えば、ユーザが「白色のＨＬＡの衣類」と入力すると、制御装置は、キーワードとして「白色」及び「ＨＬＡ」を抽出することで、衣類Ａに対応する衣類情報を識別不可能衣類データベースから呼び出すことができる。
【０３７６】
方案３：情報編集装置には、所定の形式の衣類属性情報の選択肢が設定されている。識別装置が当該衣類を再び識別する場合、情報編集装置はユーザが選択した衣類属性情報を取得する。また、制御装置は、ユーザが選択した衣類属性情報に基づいて、ユーザが選択した衣類属性情報に対応する衣類の衣類情報を識別不可能衣類データベースから呼び出す。
【０３７７】
ユーザは、情報編集装置に設定された所定の形式の衣類属性情報の選択肢に基づいて衣類属性情報を選択可能なため、時間と手間が更に節約される。
【０３７８】
方案４：識別装置が当該衣類を再び識別する場合、情報編集装置はユーザが入力／選択した衣類番号を取得する。また、制御装置は、ユーザが入力／選択した衣類番号に基づいて、識別不可能衣類データベースから衣類番号に対応する衣類の衣類情報を呼び出す。
【０３７９】
衣類番号を入力して衣類の衣類情報を取得する方式は、より直接的且つスピーディーである。しかし、ユーザにとっては、識別不可能な衣類の衣類番号を覚えねばならないため、やや面倒となる。この問題を解決するためには、衣類に衣類番号を標記することで、ユーザが衣類番号を覚える手間を省けばよい。
【０３８０】
なお、衣類番号は下記の方式で取得可能である。
【０３８１】
第１の方式：前記衣類番号は、ユーザが情報編集装置で前記衣類について編集した番号である。制御装置は、衣類情報と、入力された衣類番号とを対応付けて識別不可能衣類データベースに記憶する。
【０３８２】
第２の方式：前記衣類番号は、前記情報編集装置がユーザにより編集された衣類情報を受信して生成した番号である。制御装置は、衣類情報と、生成された衣類番号とを対応付けて識別不可能衣類データベースに記憶する。
【０３８３】
方案５：識別装置が当該衣類を再び識別する場合、制御装置は識別不可能衣類データベースの全データを呼び出す。また、情報編集装置は、ユーザが全データから選択した当該衣類の衣類情報を取得する。
【０３８４】
制御装置が識別不可能衣類データベースの全データを呼び出すと、ユーザは衣類情報を選択して識別不可能衣類データベースから呼び出す。しかし、識別不可能な衣類があまりにも多い場合、このような方式はやや面倒である。
【０３８５】
更に、識別装置が衣類に設けられた識別タグを識別しても、識別タグの唯一のタグ情報及び衣類情報を得られない場合には、識別装置が識別タグから何の情報も取得できないと判定する。
【０３８６】
具体的に、識別装置が衣類の識別タグを識別すると、制御装置は、まず、識別装置が識別タグ上の衣類情報を取得可能か否かを判断する。そして、取得不可能な場合には、識別装置が識別タグ上の唯一のタグ情報を取得可能か否かを判断し、取得不可能な場合には、識別装置が識別タグから何の情報も取得できないと判定する。
【０３８７】
衣類処理システムの制御方法は、以下のステップを含む。
【０３８８】
Ｓ１：識別装置が衣類上の識別タグを識別すると、制御装置は、まず識別装置が識別タグ上の衣類情報を取得可能か否かを判断する。そして、取得可能な場合には衣類情報をそのまま取得し、衣類情報に基づいて最適な洗浄プログラムを選択するが、取得不可能な場合にはＳ２を実行する。
【０３８９】
Ｓ２：制御装置は、識別装置が識別タグの唯一のタグ情報を取得可能か否かを判断する。そして、取得可能な場合、制御装置は、記憶装置から唯一のタグ情報に対応する衣類情報を呼び出し、衣類情報に基づいて最適な洗浄プログラムを選択するが、取得不可能な場合にはＳ３を実行する。
【０３９０】
Ｓ３：制御装置は、情報編集装置におけるユーザの操作を取得することで当該衣類の衣類情報を取得し、衣類情報に基づいて最適な洗浄プログラムを選択する。
【実施例１６】
【０３９１】
本実施例では、実施例１４及び実施例１５を元に、更に、衣類処理システムの制御方法において、制御装置が衣類情報に基づき最適な洗浄プログラムを取得する際の制御方法について限定する。
【０３９２】
本実施例において、制御装置は、衣類の衣類情報を取得したあと、各衣類属性情報にそれぞれ対応する洗浄プログラムを取得する。そして、洗浄プログラムを論理的に判断することで、最適な洗浄プログラムを提案する。
【０３９３】
更に、各衣類属性情報には洗浄プログラムが１つずつ対応付けられており、各洗浄プログラムには異なる優先レベルが対応付けられている。制御装置は、各衣類属性情報にそれぞれ対応する洗浄プログラムを取得すると、複数の洗浄プログラムの優先レベルを比較して最適な洗浄プログラムを提案する。
【０３９４】
衣類処理システムは、更に洗浄装置を含む。洗浄装置は制御装置に通信接続される。制御装置が衣類の全ての衣類属性情報に適した最適な洗浄プログラムを選択すると、洗浄装置は、前記最適な洗浄プログラムに基づいて対応する洗浄過程を実行する。
【０３９５】
更に、前記洗浄プログラムの優先レベルは、洗浄装置の回転速度及び／又は洗浄装置の加熱温度に対応している。
【０３９６】
更に、洗浄装置の回転速度が小さいほど優先レベルが高くなるか、或いは、洗浄装置の加熱温度が低いほど優先レベルが高くなる。
【０３９７】
更に、以下のステップを含む。
【０３９８】
Ｓ１０１：制御装置は、１着の洗濯待ちの衣類の複数の衣類属性情報を取得する。各衣類属性情報には洗浄プログラムが１つずつ対応付けられている。制御装置は、各衣類属性情報にそれぞれ対応する洗浄プログラムを取得するとともに、上記複数の洗浄プログラムの優先レベルを比較する。そして、当該衣類の全ての衣類属性情報に適した最適な洗浄プログラムを取得する。
【０３９９】
Ｓ１０２：上記の方法に基づき、各洗濯待ちの衣類の最適な洗浄プログラムを取得する。制御装置は、各洗濯待ちの衣類の最適な洗浄プログラムの優先レベルを比較し、衣類の全ての衣類属性情報に適した最適な洗浄プログラムを取得する。
【０４００】
好ましくは、ステップＳ１０１の具体的方法は以下の通りである。
【０４０１】
洗浄装置は、洗濯待ちの衣類の属性情報ＣＺ１、ＣＺ２・・・ＣＺｎと、これらに対応する洗浄プログラムが順に洗浄プログラムＣＸ１、ＣＸ２・・・ＣＸａ・・・ＣＸｎ（ｎは正の整数）である旨、及び、衣類属性情報ＫＳ１、ＫＳ２・・・ＫＳｍと、これらに対応する洗浄プログラムが順に洗浄プログラムＣＸ１、ＣＸ２・・・ＣＸｂ・・・ＣＸｍ（ｍは正の整数）である旨を予め設定する。洗浄プログラムＣＸにおけるａ、ｂの値が大きいほど優先レベルは高くなる。
【０４０２】
制御装置は、１着目の洗濯待ちの衣類の衣類属性情報ＣＺａと衣類属性情報ＫＳｂを取得する。制御装置は、衣類属性情報ＣＺａと衣類属性情報ＫＳｂを洗浄装置に予め設定されている衣類属性と照合し、衣類属性情報ＣＺａ及び衣類属性情報ＫＳｂにそれぞれ対応する洗浄プログラムＣＸａ及びＣＸｂを取得する。次に、ａとｂの値を比較して、ａ≦ｂならば、当該衣類の全ての衣類属性情報に適した最適な洗浄プログラムは洗浄プログラムＣＸｂとなる。また、ａ＞ｂならば、当該衣類の全ての衣類属性情報に適した最適な洗浄プログラムは洗浄プログラムＣＸａとなる。
【０４０３】
言うまでもなく、洗浄プログラムのマッチング過程は次のようにしてもよい。即ち、制御装置は、各洗濯待ちの衣類の複数の衣類属性情報を取得するとともに、各衣類属性情報にそれぞれ対応する洗浄プログラムを取得する。そして、全ての洗浄プログラムの優先レベルを比較して、衣類の全ての属性情報に適した最適な洗浄プログラムを取得する。
【０４０４】
好ましくは、全ての洗浄プログラムの優先レベルを比較する前に、全ての洗浄プログラムの集合を求めてから、集合内の洗浄プログラムの優先レベルを比較して、全衣類の全ての衣類属性情報に適した最適な洗浄プログラムを取得する。
【０４０５】
例えば、以下のステップを含む。
【０４０６】
洗浄装置は、洗濯待ちの衣類の属性情報ＣＺ１、ＣＺ２・・・ＣＺｎと、これらに対応する洗浄プログラムＣＸ１、ＣＸ２・・・ＣＸａ・・・ＣＸｎ（ｎは正の整数）、及び、衣類属性情報ＫＳ１、ＫＳ２・・・ＫＳｍと、これらに対応する洗浄プログラムＣＸ１、ＣＸ２・・・ＣＸａ・・・ＣＸｍ（ｍは正の整数）を予め設定する。洗浄プログラムＣＸａにおけるａの値が大きいほど優先レベルは高くなる。
【０４０７】
制御装置は、１着目の洗濯待ちの衣類の衣類属性情報ＣＺ１ａと衣類属性情報ＫＳ１ｂを取得する。制御装置は、衣類属性情報ＣＺ１ａと衣類属性情報ＫＳ１ｂに基づいて、これらにそれぞれ対応する洗浄プログラムＣＸａ及びＣＸｂを取得する。
【０４０８】
また、２着目の洗濯待ちの衣類の衣類属性情報ＣＺ２ｃ及び衣類属性情報ＫＳ２ｄについて、制御装置は、衣類属性情報ＣＺ２ｃと衣類属性情報ＫＳ２ｄに基づいて、これらにそれぞれ対応する洗浄プログラムＣＸｃ及びＣＸｄを取得する。
【０４０９】
・・・そして、ｔ着目の洗濯待ちの衣類の衣類属性情報ＣＺｔｅ及び衣類属性情報ＫＳｔｆについて、制御装置は、衣類属性情報ＣＺｔｅと衣類属性情報ＫＳｔｆに基づいて、これらにそれぞれ対応する洗浄プログラムＣＸｅ及びＣＸｆを取得する。
【０４１０】
ａ、ｂ、ｃ、ｄ、ｅ、ｆの値を比較し、ａが最大ならば洗浄プログラムＣＸａを実行し、ｂが最大ならば洗浄プログラムＣＸｂを実行し、ｃが最大ならば洗浄プログラムＣＸｃを実行し、ｄが最大ならば洗浄プログラムＣＸｄを実行し、ｅが最大ならば洗浄プログラムＣＸｅを実行し、ｆが最大ならば洗浄プログラムＣＸｆを実行する。
【０４１１】
図７に示すように、衣類処理システムの制御方法は、以下のステップを含む。
【０４１２】
Ｓ１：識別装置が衣類上の識別タグを識別すると、制御装置は、まず識別装置が識別タグ上の衣類情報を取得可能か否かを判断する。そして、取得可能な場合には衣類情報をそのまま取得し、衣類情報に基づいて最適な洗浄プログラムを選択するが、取得不可能な場合にはＳ２を実行する。
【０４１３】
Ｓ２：制御装置は、識別装置が識別タグの唯一のタグ情報を取得可能か否かを判断する。そして、取得可能な場合、制御装置は、記憶装置から唯一のタグ情報に対応する衣類情報を呼び出し、衣類情報に基づいて最適な洗浄プログラムを選択するが、取得不可能な場合にはＳ３を実行する。
【０４１４】
Ｓ３：制御装置は、ユーザが情報編集装置で入力した少なくとも１つの衣類属性情報を取得し、衣類属性情報と識別不可能衣類データベース内のデータを照合することで、当該衣類の衣類情報を取得する。
【０４１５】
Ｓ４：制御装置は、各衣類属性情報にそれぞれ対応する洗浄プログラムを取得すると、複数の洗浄プログラムの優先レベルを比較して最適な洗浄プログラムを提案する。
【実施例１７】
【０４１６】
衣類処理システムの制御方法において、衣類処理システムは、洗浄装置、制御装置及び識別装置を含む。前記制御方法では、識別装置が、洗濯待ちの衣類上の識別タグを識別し、前記識別タグの唯一のタグ情報を読み取る。制御装置は、第１の規則に基づいて衣類情報を解析し、衣類情報に対応する洗浄プログラムを取得する。また、洗浄プログラムを論理的に判断することで、衣類の全ての衣類情報に適した最適な洗浄プログラムを取得する。洗浄装置は、前記最適な洗浄プログラムに基づいて対応する洗浄過程を実行する。前記第１の規則には、唯一のタグ情報と衣類情報との対応関係が含まれている。
【０４１７】
上記の方案において、衣類処理システムは、識別タグの唯一のタグ情報に基づいて衣類情報を取得する。これにより、各種の異なる識別タグに対応する衣類情報を取得可能となるため、衣類情報が記憶されていない識別タグから衣類情報を取得できないとの問題が回避される。
【０４１８】
衣類の属性の違いによって、属性の異なる衣類には異なる洗浄プログラムを用いて洗浄を行う必要がある。そこで、衣類の衣類情報を取得し、衣類情報に基づき衣類の全ての衣類情報に適した最適な洗浄方式を選択すれば、洗浄プログラムの選択ミスによる洗濯待ちの衣類の損傷確率が低下する。制御装置は、衣類情報に対応する洗浄プログラムを取得するとともに、洗浄プログラムを論理的に判断することで、衣類の全ての衣類情報に適した最適な洗浄プログラムを取得するため、衣類の損傷確率が低下する。
【０４１９】
更に、各衣類情報には洗浄プログラムが１つずつ対応付けられており、各洗浄プログラムには異なる優先レベルが対応付けられている。制御装置は、衣類情報に対応する洗浄プログラムを取得するとともに、複数の洗浄プログラムの優先レベルを比較することで、衣類の全ての衣類情報に適した最適な洗浄プログラムを取得する。
【０４２０】
各衣類情報には洗浄プログラムが１つずつ対応付けられており、各洗浄プログラムには異なる優先レベルが対応付けられている。そこで、洗浄プログラムの優先レベルを比較することで優先レベルが最も高い最適な洗浄プログラムを取得し、洗浄装置が当該最適な洗浄プログラムを実行するよう制御すれば、衣類の損傷確率が低下する。
【０４２１】
好ましくは、衣類情報には、衣類の色情報、衣類の種別情報、衣類の材質情報が含まれ、衣類の材質情報には、綿麻、デニム、ウール、絹織物が含まれる。
【０４２２】
更に、前記洗浄プログラムの優先レベルは、識別装置の回転速度及び／又は識別装置の加熱温度に対応している。
【０４２３】
好ましくは、識別装置の回転速度が小さいほど優先レベルが高くなるか、或いは、識別装置の加熱温度が低いほど優先レベルが高くなる。
【０４２４】
具体的に、洗浄装置の回転速度が小さいほど優先レベルは高くなる。例えば、洗浄プログラムは、強洗い、中洗い及び弱洗いを含む。洗浄装置において、パルセータ又は洗濯槽の回転を制御するモータの回転速度が大きいほど洗浄力は強くなり、回転速度が最大の場合が強洗い、回転速度が最小の場合が弱洗い、中速の場合が中洗いである。優先レベルは、弱洗い＞中洗い＞強洗いの順となる。
【０４２５】
更に、制御装置が、衣類の全ての衣類情報に適した最適な洗浄プログラムを取得する方法は次の通りである。
【０４２６】
方案１：制御装置は、第１の規則に基づいて各衣類の衣類情報を解析し、衣類情報に対応する洗浄プログラムを取得する。また、洗浄プログラムを論理的に判断することで、各衣類の最適な洗浄プログラムを取得する。そして、全ての衣類の最適な洗浄プログラムを論理的に判断することで、衣類の全ての衣類情報に適した最適な洗浄プログラムを取得する。
【０４２７】
更に、制御装置は、各衣類の最適な洗浄プログラムを取得したあと、ユーザが、唯一のタグ情報と、これに対応する衣類の最適な洗浄プログラムを第１の規則に記憶するか否かを判断し、記憶すると判断した場合には記憶する。そして、次に当該衣類を識別する際に、制御装置は、第１の規則に基づいて衣類情報と最適な洗浄プログラムを解析する。
【０４２８】
唯一のタグ情報と、これに対応する衣類の最適な洗浄プログラムを第１の規則に記憶することで、識別装置は、唯一のタグ情報を識別したあとに、第１の規則によって当該衣類の最適な洗浄プログラムを解析可能となる。これにより、制御装置の演算が減少するため、いっそうスピーディーとなる。
【０４２９】
方案２：制御装置は、第１の規則に基づいて全ての衣類の衣類情報を解析し、衣類情報に対応する洗浄プログラムを取得する。そして、洗浄プログラムを論理的に判断することで、衣類の全ての衣類情報に適した最適な洗浄プログラムを取得する。
【０４３０】
更に、以下のステップを含む。
【０４３１】
Ｓ１０１：制御装置は、１着の洗濯待ちの衣類の複数の衣類情報を取得する。各衣類情報には洗浄プログラムが１つずつ対応付けられている。制御装置は、各衣類情報にそれぞれ対応する洗浄プログラムを取得するとともに、上記複数の洗浄プログラムの優先レベルを比較する。そして、当該衣類の全ての衣類情報に適した最適な洗浄プログラムを取得する。
【０４３２】
Ｓ１０２：上記の方法に基づき、各洗濯待ちの衣類の最適な洗浄プログラムを取得する。制御装置は、各洗濯待ちの衣類の最適な洗浄プログラムの優先レベルを比較し、衣類の全ての衣類情報に適した最適な洗浄プログラムを取得する。
【０４３３】
好ましくは、ステップＳ１０１の具体的方法は以下の通りである。
【０４３４】
洗浄装置は、洗濯待ちの衣類の情報ＣＺ１、ＣＺ２・・・ＣＺｎと、これらに対応する洗浄プログラムが順に洗浄プログラムＣＸ１、ＣＸ２・・・ＣＸａ・・・ＣＸｎ（ｎは正の整数）である旨、及び、衣類情報ＫＳ１、ＫＳ２・・・ＫＳｍと、これらに対応する洗浄プログラムが順に洗浄プログラムＣＸ１、ＣＸ２・・・ＣＸｂ・・・ＣＸｍ（ｍは正の整数）である旨を予め設定する。洗浄プログラムＣＸにおけるａ、ｂの値が大きいほど優先レベルは高くなる。
【０４３５】
制御装置は１着目の洗濯待ちの衣類の衣類情報ＣＺａと衣類情報ＫＳｂを取得する。制御装置は、衣類情報ＣＺａと衣類情報ＫＳｂを洗浄装置に予め設定されている衣類属性と照合し、衣類情報ＣＺａ及び衣類情報ＫＳｂにそれぞれ対応する洗浄プログラムＣＸａ及びＣＸｂを取得する。次に、ａとｂの値を比較して、ａ≦ｂならば、当該衣類の全ての衣類情報に適した最適な洗浄プログラムは洗浄プログラムＣＸｂとなる。また、ａ＞ｂならば、当該衣類の全ての衣類情報に適した最適な洗浄プログラムは洗浄プログラムＣＸａとなる。
【０４３６】
言うまでもなく、洗浄プログラムのマッチング過程は次のようにしてもよい。即ち、制御装置は、洗濯待ちの衣類ごとに複数の衣類情報を取得して、各衣類情報にそれぞれ対応する洗浄プログラムを取得する。そして、全ての洗浄プログラムの優先レベルを比較することで、衣類の全ての属性に適した最適な洗浄プログラムを取得する。
【０４３７】
好ましくは、全ての洗浄プログラムの優先レベルを比較する前に、全ての洗浄プログラムの集合を求めてから、集合内の洗浄プログラムの優先レベルを比較して、全ての衣類の全衣類情報に適した最適な洗浄プログラムを取得する。
【０４３８】
例えば、以下のステップを含む。
【０４３９】
洗浄装置は、洗濯待ちの衣類の情報ＣＺ１、ＣＺ２・・・ＣＺｎと、これらに対応する洗浄プログラムＣＸ１、ＣＸ２・・・ＣＸａ・・・ＣＸｎ（ｎは正の整数）、及び、衣類情報ＫＳ１、ＫＳ２・・・ＫＳｍと、これらに対応する洗浄プログラムＣＸ１、ＣＸ２・・・ＣＸａ・・・ＣＸｍ（ｍは正の整数）を予め設定する。洗浄プログラムＣＸａにおけるａの値が大きいほど優先レベルは高くなる。
【０４４０】
制御装置は、１着目の洗濯待ちの衣類の衣類情報ＣＺ１ａと衣類情報ＫＳ１ｂを取得する。制御装置は、衣類情報ＣＺ１ａと衣類情報ＫＳ１ｂに基づいて、これらにそれぞれ対応する洗浄プログラムＣＸａ及びＣＸｂを取得する。
【０４４１】
また、２着目の洗濯待ちの衣類の衣類情報ＣＺ２ｃ及び衣類情報ＫＳ２ｄについて、制御装置は、衣類情報ＣＺ２ｃと衣類情報ＫＳ２ｄに基づいて、これらにそれぞれ対応する洗浄プログラムＣＸｃ及びＣＸｄを取得する。
【０４４２】
・・・そして、ｔ着目の洗濯待ちの衣類の衣類情報ＣＺｔｅ及び衣類情報ＫＳｔｆについて、制御装置は、衣類情報ＣＺｔｅと衣類情報ＫＳｔｆに基づいて、これらにそれぞれ対応する洗浄プログラムＣＸｅ及びＣＸｆを取得する。
【０４４３】
ａ、ｂ、ｃ、ｄ、ｅ、ｆの値を比較し、ａが最大ならば洗浄プログラムＣＸａを実行し、ｂが最大ならば洗浄プログラムＣＸｂを実行し、ｃが最大ならば洗浄プログラムＣＸｃを実行し、ｄが最大ならば洗浄プログラムＣＸｄを実行し、ｅが最大ならば洗浄プログラムＣＸｅを実行し、ｆが最大ならば洗浄プログラムＣＸｆを実行する。
【０４４４】
好ましくは、前記衣類情報は洗濯パラメータに影響を及ぼす衣類情報であり、衣類の色情報、及び／又は衣類の材質情報、及び／又は衣類の種別情報を含む。制御装置は、各洗濯待ちの衣類の衣類情報を取得すると、各衣類の属性に適した洗濯パラメータを算出し、実行可能な洗浄プログラムを生成する。或いは、制御装置は、洗浄装置に記憶されている複数の洗浄プログラムから、洗濯パラメータが各衣類情報に適した洗浄プログラムを選択する。例えば、解析された衣類情報の材質がウールの場合には、対応する洗浄水の温度を相応に設定する。また、解析した複数の衣類に下着が含まれている場合には、例えば、低めの脱水回転速度で脱水するというように、低強度の洗濯パラメータの洗浄プログラムを提案する。
【０４４５】
具体的に、制御装置は、前記衣類情報に基づいて洗浄プログラムを取得する過程において、各洗濯待ちの衣類の衣類情報に基づき適切な洗濯パラメータを選択する。前記洗濯パラメータには、洗浄パラメータ、及び／又はすすぎパラメータ、及び／又は脱水パラメータが含まれる。また、前記洗浄パラメータには、洗浄時間、及び／又は洗浄温度、及び／又は回転速度、及び／又は水位が含まれ、前記すすぎパラメータには、水位、すすぎ時間、すすぎ回数が含まれ、前記脱水パラメータには、回転速度、脱水時間が含まれる。
【０４４６】
上記の方案において、ユーザが編集する衣類情報には洗濯パラメータに影響を及ぼす衣類情報が含まれているため、制御装置が洗浄プログラムを取得するにあたってのデータ的根拠が提供される。
【実施例１８】
【０４４７】
本実施例では、実施例１７における第１の規則で衣類情報を解析する過程について更に限定する。前記唯一のタグ情報には世界で唯一のコードが含まれており、前記第１の規則には、世界で唯一のコードと衣類情報との対応関係が含まれている。制御装置は、前記対応関係に基づいて、前記世界で唯一のタグ情報に対応する衣類情報を取得する。そして、衣類情報に基づいて対応する洗浄プログラムを取得するとともに、洗浄プログラムを論理的に判断することで、衣類の全ての衣類情報に適した最適な洗浄プログラムを取得する。
【０４４８】
好ましくは、前記唯一のタグ情報とは、前記識別タグに記憶されて当該識別タグの唯一の個性を標識する固有の情報である。
【０４４９】
上記の方案において、唯一のタグ情報には世界で唯一のコードが含まれているため、識別による誤った衣類情報の取得が効果的に防止される。
【０４５０】
好ましくは、前記識別タグは、唯一のタグ情報を含む図形コードであり、識別装置は前記図形コードをスキャンすることで対応する唯一のタグ情報を取得する。
【０４５１】
上記の方案において、好ましくは、当該識別タグは衣類に縫い付けられた小型のタグであり、タグに前記図形コードが印刷されている。洗浄の過程で、識別装置は前記図形コードをスキャンして対応する唯一のタグ情報を取得する。
【０４５２】
好ましくは、前記図形コードはＱＲコード又はバーコードである。
【０４５３】
好ましくは、前記識別タグは電子タグであり、内部に前記唯一のタグ情報が記憶されている。識別装置は、前記識別タグを読み取ることで内部に記憶されている唯一のタグ情報を取得する。
【０４５４】
好ましくは、前記識別タグはＲＦＩＤ電子タグであり、前記識別装置にＲＦＩＤリーダが含まれている。前記唯一のタグ情報はＲＦＩＤ電子タグのＴＩＤ番号であり、前記第１の規則にはＴＩＤ番号と衣類情報との対応関係が含まれている。制御装置は、ＲＦＩＤリーダがＲＦＩＤ電子タグのＴＩＤ番号を読み取り、第１の規則に基づいて対応する衣類情報を取得するよう制御する。
【０４５５】
好ましくは、衣類処理システムは端末を含む。前記識別装置は洗浄装置又は端末に設置され、前記制御装置は洗浄装置又は端末に設置される。洗浄装置と端末はクラウドサーバを介して通信接続する。また、前記第１の規則は、洗浄装置／端末／クラウドサーバに記憶される。
【０４５６】
当該端末は洗浄装置にワイヤレス接続される。端末は、当該洗浄装置を遠隔制御するために用いられる。第１の規則が端末に記憶されている場合、洗濯時において、識別装置は、唯一のタグ情報を識別したあとこれを端末に送信する。端末は、当該唯一のタグ情報を受信すると、第１の規則に基づいて解析し、解析の結果を洗浄装置に送信するとともに、洗浄装置から衣類情報に基づいて洗浄プログラムを取得する。
【０４５７】
好ましくは、前記第１の規則はクラウドサーバに記憶される。洗濯時には、制御装置が前記クラウドサーバに接続し、識別された唯一のタグ情報を前記クラウドサーバに送信することで衣類情報の解析を行うとともに、解析された衣類情報をクラウドサーバから取得する。
【０４５８】
上記の方案では、第１の規則をクラウドサーバに記憶することでデータの安全性を保障しているため、ＩｏＴ衣類処理システムの利用に適している。且つ、端末及び洗浄装置が対応する衣類情報を取得するのにも便利である。
【０４５９】
好ましくは、前記識別タグには衣類情報コード記憶領域が含まれている。識別装置は、当該記憶領域に記憶されているデータを優先的に読み取り、第２の規則を用いて衣類情報の解析を行う。そして、解析に成功した場合には、当該衣類情報に基づいて洗浄プログラムを取得するが、解析に失敗した場合には、識別タグの唯一のタグ情報を取得して、第１の規則に基づき衣類情報の解析を行う。
【０４６０】
上記の方案において、識別タグに衣類情報コードが記憶されている場合には、優先的に当該衣類情報コードに基づき、第２の規則を用いて解析することで衣類情報を取得する。制御装置は、第２の規則による衣類情報の解析に失敗した場合、更に第１の規則を用いて衣類情報を解析する。これにより、衣類情報コードが記憶されている識別タグと衣類情報コードが記憶されていない識別タグの双方を識別して衣類情報を取得することが可能となる。
【０４６１】
好ましくは、前記識別タグ内の衣類情報コードは所定の形式で書き込まれ、前記第２の規則には所定の解析規則が含まれている。前記制御装置は、前記所定の解析規則に基づいて、前記衣類情報コードを識別可能な衣類情報に解析する。
【０４６２】
前記第２の規則に基づいて衣類情報を解析する際、制御装置は、識別タグ内の衣類情報コードが所定の形式で書き込まれているか否かを判断する。そして、所定の形式の場合には、そのまま読み込んで衣類情報を解析する。一方、所定の形式でない場合、制御装置は識別タグの唯一のタグ情報に基づき、第１の規則を用いて衣類情報を解析する。
【０４６３】
好ましくは、制御装置が前記第２の規則に基づく衣類情報の解析に失敗する場合には、前記衣類情報コードを解析できない場合、又は、誤った衣類情報が解析される場合が含まれる。制御装置は、第２の規則では前記衣類情報コードを解析できない場合、或いは、誤った衣類情報が解析された場合には、識別装置が識別タグの唯一のタグ情報を読み取り、第１の規則に基づいて対応する衣類情報を取得するよう制御する。
【０４６４】
好ましくは、制御装置は、第１の規則に基づく衣類情報の解析に失敗した場合、ユーザに対し、前記唯一のタグ情報について対応する衣類情報を編集するとともに、前記唯一のタグ情報とユーザが編集した衣類情報を対応付けて第１の規則に追加するよう提示する。これにより、次に対応する衣類を洗浄する際には、ユーザが編集した衣類情報が第１の規則に基づき取得されるとともに、当該衣類情報に基づいて洗浄プログラムが取得される。
【０４６５】
好ましくは、前記端末は、ユーザによる対応する衣類情報の編集又は情報の入力に用いられる情報編集装置を含む。ユーザは衣類情報を自由に編集してもよいし、ユーザが既定の形式に従い衣類情報を編集するよう端末で制御してもよい。
【０４６６】
衣類処理システムの制御方法は、以下のステップを含む。
【０４６７】
Ｓ１：識別装置が識別タグに記憶されている衣類情報コードを読み取り、制御装置が第２の規則を用いて前記衣類情報コードを解析する。
【０４６８】
Ｓ２：制御装置は解析に成功したか否かを判断し、成功した場合には、解析した衣類情報をそのまま取得してステップＳ６に進むが、成功しなかった場合にはステップＳ３に進む。
【０４６９】
Ｓ３：制御装置は、識別装置が前記識別タグの唯一のタグ情報を読み取り、第１の規則に基づいて対応する衣類情報を解析するよう制御する。
【０４７０】
Ｓ４：制御装置は解析に成功したか否かを判断し、成功した場合には解析した衣類情報をそのまま取得してステップＳ６に進むが、成功しなかった場合には、ユーザに対し、当該唯一のタグ情報について対応する衣類情報を編集するよう提示する。
【０４７１】
Ｓ５：制御装置は、前記唯一のタグ情報とユーザが編集した衣類情報との対応関係を第１の規則に追加するよう制御する。
【０４７２】
Ｓ６：制御装置は、前記衣類情報に基づいて最適な洗浄プログラムを取得する。
【０４７３】
更に、制御装置は、第１の規則及び第２の規則に基づく衣類情報の解析のいずれにも失敗した場合、ユーザに対し、当該衣類について対応する衣類情報を編集するとともに、各衣類に衣類番号を１つずつ対応付けるよう提示する。制御装置は、衣類番号と衣類情報を対応付けて記憶することで、識別不可能衣類データベースを形成する。これにより、次に解析する際には、制御装置がユーザにより入力／選択された情報を取得し、識別不可能衣類データベースから当該衣類の衣類情報を取得する。
【０４７４】
上記の方案では、識別タグが破損していると、第１の規則でも第２の規則でも衣類情報の解析は実現し得ない。このような場合、制御装置は、識別できなかった衣類について、衣類情報を編集するとともに、各衣類に衣類番号を１つずつ対応付けるようユーザに提示する。制御装置は、衣類番号と衣類情報を対応付けて記憶することで識別不可能衣類データベースを形成する。これにより、次に解析する際には、制御装置がユーザにより入力／選択された情報を取得し、識別不可能衣類データベースから当該衣類の衣類情報を取得することで、洗浄プログラムの提案を実現する。
【０４７５】
好ましくは、情報編集装置が取得するユーザにより入力／選択される情報には、衣類描写情報／衣類情報／衣類情報に対応する衣類番号が含まれる。制御装置は、衣類描写情報／衣類情報／衣類番号に基づいて、識別不可能衣類データベースから対応する衣類の衣類情報を呼び出す。
【０４７６】
方案１：識別装置が当該衣類を再び識別する場合、情報編集装置はユーザが入力した衣類情報を取得する。また、制御装置は、ユーザが入力した衣類情報に基づいて、識別不可能衣類データベースから対応する衣類の衣類情報を呼び出す。
【０４７７】
例えば、衣類Ａの衣類情報が、綿１００％、白色、シャツ、海瀾之家（Ｈｅｉｌａｎ Ｈｏｍｅ，ＨＬＡ）であるとする。識別装置は衣類Ａを再び識別する際に、情報編集装置に情報を入力するようユーザに提示する。ユーザが、情報編集装置に、シャツ、ＨＬＡと入力すると、制御装置は、衣類Ａの衣類情報（白色、シャツ、ＨＬＡ）を識別不可能衣類データベースから呼び出す。
【０４７８】
方案２：識別装置が当該衣類を再び識別する場合、情報編集装置はユーザが入力した衣類描写情報を取得する。また、制御装置は、ユーザが入力した衣類描写情報に基づいて、識別不可能衣類データベースから対応する衣類の衣類情報を呼び出す。
【０４７９】
具体的に、識別装置が当該衣類を再び識別する場合、情報編集装置はユーザが入力した衣類描写情報を取得する。制御装置は、衣類描写情報からキーワードを抽出することで少なくとも１つの衣類情報を取得し、衣類情報に基づいて、識別不可能衣類データベースから対応する衣類の衣類情報を呼び出す。
【０４８０】
ユーザは、衣類情報を正確に入力する必要はなく、衣類描写情報を入力するだけで、制御装置が衣類描写情報に基づいてキーワードを抽出し、衣類情報を取得することが可能である。当該方法はよりスマートであり、いっそう使用しやすい。
【０４８１】
例えば、ユーザが「白色のＨＬＡの衣類」と入力すると、制御装置は、キーワードとして「白色」及び「ＨＬＡ」を抽出することで、衣類Ａに対応する衣類情報を識別不可能衣類データベースから呼び出すことができる。
【０４８２】
方案３：情報編集装置には、所定の形式の衣類情報の選択肢が設定されている。識別装置が当該衣類を再び識別する場合、情報編集装置はユーザが選択した衣類情報を取得する。また、制御装置は、ユーザが選択した衣類情報に基づいて、ユーザが選択した衣類情報に対応する衣類の衣類情報を識別不可能衣類データベースから呼び出す。
【０４８３】
ユーザは、情報編集装置に設定された所定の形式の衣類情報の選択肢に基づいて衣類属性情報を選択可能なため、時間と手間が更に節約される。
【０４８４】
方案４：識別装置が当該衣類を再び識別する場合、情報編集装置はユーザが入力／選択した衣類番号を取得する。また、制御装置は、ユーザが入力／選択した衣類番号に基づいて、識別不可能衣類データベースから衣類番号に対応する衣類の衣類情報を呼び出す。
【０４８５】
衣類番号を入力して衣類の衣類情報を取得する方式は、より直接的且つスピーディーである。しかし、ユーザにとっては、識別不可能な衣類の衣類番号を覚えねばならないため、やや面倒となる。この問題を解決するためには、衣類に衣類番号を標記することで、ユーザが衣類番号を覚える手間を省けばよい。
【０４８６】
なお、衣類番号は下記の方式で取得可能である。
【０４８７】
第１の方式：識別装置が衣類に設けられた識別タグを識別しても何の情報も得られなかった場合、情報編集装置は、ユーザが編集した衣類情報及び衣類番号を受信する。また、制御装置は、衣類情報と入力された衣類番号を対応付けて識別不可能衣類データベースに記憶する。
【０４８８】
第２の方式：情報編集装置がユーザにより編集された衣類情報を受信し、当該衣類の衣類番号を生成する。また、制御装置は、衣類情報と生成された衣類番号を対応付けて識別不可能衣類データベースに記憶する。
【０４８９】
方案５：識別装置が当該衣類を再び識別する場合、制御装置は識別不可能衣類データベースの全データを呼び出す。また、情報編集装置は、ユーザが全データから選択した当該衣類の衣類情報を取得する。
【０４９０】
制御装置が識別不可能衣類データベースの全データを呼び出すと、ユーザは衣類情報を選択して識別不可能衣類データベースから呼び出す。しかし、識別不可能な衣類があまりにも多い場合、このような方式はやや面倒である。
【０４９１】
更に、識別装置が衣類に設けられた識別タグを識別しても、識別タグの唯一のタグ情報及び衣類情報を得られない場合には、識別装置が識別タグから何の情報も取得できないと判定する。
【０４９２】
具体的に、識別装置が衣類の識別タグを識別すると、制御装置は、まず、識別装置が識別タグ上の衣類情報を取得可能か否かを判断する。そして、取得不可能な場合には、識別装置が識別タグ上の唯一のタグ情報を取得可能か否かを判断し、取得不可能な場合には、識別装置が識別タグから何の情報も取得できないと判定する。
【０４９３】
図８に示すように、衣類処理システムの制御方法は、以下のステップを含む。
【０４９４】
Ｓ１：識別装置が識別タグに記憶されている衣類情報コードを読み取り、制御装置が第２の規則を用いて前記衣類情報コードを解析する。
【０４９５】
Ｓ２：制御装置は解析に成功したか否かを判断し、成功した場合には、解析した衣類情報をそのまま取得してステップＳ６に進むが、成功しなかった場合にはステップＳ３に進む。
【０４９６】
Ｓ３：制御装置は、識別装置が前記識別タグの唯一のタグ情報を読み取り、第１の規則に基づいて対応する衣類情報を解析するよう制御する。
【０４９７】
Ｓ４：制御装置は解析に成功したか否かを判断し、成功した場合には解析した衣類情報をそのまま取得してステップＳ６に進むが、成功しなかった場合には、ユーザに対し、当該唯一のタグ情報について対応する衣類情報を編集するよう提示する。
【０４９８】
Ｓ５：制御装置は、前記唯一のタグ情報とユーザが編集した衣類情報との対応関係を第１の規則に追加するよう制御する。
【０４９９】
Ｓ６：制御装置は、前記衣類情報に基づいて各衣類情報に対応する洗浄プログラムを取得するとともに、複数の洗浄プログラムの優先レベルを比較することで、衣類の全ての衣類情報に適した最適な洗浄プログラムを取得する。
【実施例１９】
【０５００】
実施例１９は、実施例１７を元に、当該衣類処理システムの制御方法における衣類情報の編集制御について更に詳細に開示する。制御装置は、識別装置が識別タグの唯一のタグ情報を読み取るよう制御するとともに、衣類情報編集装置（好ましくは、例えばスマートフォンのようなユーザが携帯可能な端末とする）が、前記唯一のタグ情報に対するユーザによる衣類情報の編集操作を受け付けるよう制御する。また、ユーザが編集した衣類情報を情報処理することで、所定の形式の衣類情報コードを生成するとともに、前記唯一のタグ情報と、対応する所定の形式の衣類情報コードとを対応付けて第１の規則に追加するよう制御する。
【０５０１】
好ましくは、ユーザが入力する衣類情報は自由に編集した衣類情報である。制御装置は、ユーザが編集した衣類情報からキーワードを抽出することで衣類の衣類情報を取得するとともに、前記衣類の衣類情報を所定の形式の衣類情報コードに変換する。
【０５０２】
好ましくは、制御装置が所定の形式の衣類情報コードを生成する過程では、ユーザが編集した衣類情報からキーワードを抽出することで各衣類情報を取得し、所定の規則で各衣類情報をそれぞれ所定のコードに変換する。且つ、各所定のコードを直列に組み合わせることで、前記所定の形式の衣類情報コードを形成する。
【０５０３】
好ましくは、制御装置は、ユーザが編集した衣類情報における衣類の材質の衣類情報、衣類の色の衣類情報、衣類の種別の衣類情報、衣類の規格の衣類情報、衣類のメーカーの衣類情報を抽出し、所定の規則で各衣類情報をそれぞれ所定の材質情報コード、色情報コード、種別情報コード、規格情報コード、メーカー情報コードに変換する。且つ、所定の順序及び形式で各情報コードを直列に組み合わせることで前記所定の形式の衣類情報コードを形成するとともに、前記第１の規則に追加する。
【０５０４】
好ましくは、識別タグが識別され、衣類情報が編集及び記憶されたあとに、再び識別装置により識別される場合、制御装置は、識別装置が識別した唯一のタグ情報に基づいて、第１の規則により対応する衣類情報コードを取得するとともに、所定の解析規則（第２の規則）を用いて識別可能な衣類情報に解析する。即ち、本実施例では、識別タグに記憶されている衣類情報コードと、ユーザが編集した衣類情報を制御装置又は衣類情報編集装置により情報処理することで生成される所定の形式の衣類情報コードとが同じ規則及び形式で記憶される。これにより、衣類情報を解析する際には、同一の解析規則（即ち、第２の規則）で衣類情報が解析される。
【０５０５】
好ましくは、前記制御装置が所定の解析規則（第２の規則）を用いて識別可能な衣類情報に解析する際には、所定の解析規則における長さの形式に基づいて、所定の形式の衣類情報コードを複数のサブコードに分割するとともに、各サブコードをそれぞれ対応する衣類属性情報に解析する。
【０５０６】
好ましくは、前記識別タグは衣類情報を記憶する記憶領域を含んでおり、当該記憶領域に所定の形式の衣類情報コードが記憶される。前記制御装置は、識別装置が前記記憶領域を読み取って所定の形式の衣類情報コードを直接取得するよう制御する。或いは、制御装置は、識別装置が識別タグの唯一のタグ情報を読み取って、第１の規則により対応する所定の形式の衣類情報コードを間接的に取得するよう制御する。その後、制御装置は、所定の解析規則（第２の規則）に基づいて、識別可能な衣類情報に解析する。
【０５０７】
好ましくは、前記制御装置は、識別装置が優先的に前記記憶領域を読み取り、第２の規則を用いて当該記憶領域に記憶されているデータを解析するよう制御する。そして、解析に成功した場合には制御を終了するが、成功しなかった場合には、識別装置が更に前記唯一のタグ情報を読み取り、前記第１の規則により所定の形式の衣類情報コードを取得するとともに、第２の規則を用いて前記所定の形式の衣類情報コードを解析するよう制御する。
【０５０８】
好ましくは、前記制御装置は、第１の規則で所定の形式の衣類情報コードを取得できなかった場合、ユーザに対し、前記唯一のタグ情報について衣類情報を編集するよう提示する。そして、ユーザが編集した衣類情報を情報処理することで所定の形式の衣類情報コードを取得し、前記第１の規則に追加する。
【実施例２０】
【０５０９】
図９に示すように、本実施例では、実施例１〜実施例２を元に、衣類処理システムの制御方法を提供する。衣類処理システムは、洗浄装置、識別装置及び制御装置を含み、複数の衣類を分類したあと、同じグループに属する複数の衣類を取りまとめて共通のグループ別識別タグを設定する。前記制御方法では、識別装置がグループ別識別タグを読み取ると、制御装置は、当該グループ別識別タグに対応する当該グループの衣類の情報を解析するとともに、衣類情報に基づいて対応する洗浄プログラムを提案する。そして、洗浄装置が洗浄プログラムを実行する。
【０５１０】
本方案において、識別装置と制御装置はそれぞれ別個に設置してもよいし、１つを洗浄装置に集積してもよいし、全てを洗浄装置に集積してもよい。また、識別装置と制御装置はモバイル端末に集積してもよい。本方案は、大量の衣類を処理するのに特に有利であり、例えば、コインランドリー等の大量の衣類を洗浄せねばならない場所で実施される。
【０５１１】
複数の衣類を分類したあと、同じ種別に属する衣類を同じグループとし、同じグループに属する複数の衣類を取りまとめて共通のグループ別識別タグを設定する。衣類を洗浄する際、識別装置は当該グループ別識別タグを識別し、当該グループの衣類の情報を取得するとともに、適切な洗浄プログラムを提案する。そして、洗浄装置が対応する洗浄プログラムを実行する。これによれば、大量の衣類を記憶するのに有利であり、異なるグループの衣類の情報が入り混じることがない。また、洗浄効率の大幅な向上が可能になるほか、識別タグの数を節約することもでき、コストダウンとなる。且つ、大量の衣類を分類して記憶し、且つ衣類情報をシンプルに管理・分類することで、洗浄装置の利用率の向上にも有利となり得る。
【０５１２】
本方案で設定するグループ別識別タグは電子タグとすればよく、電子タグに衣類情報が記憶されている。電子タグが識別されると、制御装置は衣類情報を直接取得することができる。また、グループ別識別タグは唯一のタグ情報を含んでいてもよい。唯一のタグ情報が識別されると、制御装置は、一定の規則に基づいてその他の場所から衣類情報を間接的に取得可能である。どのような方式であったとしても、識別装置がグループ別識別タグのいずれかの領域を識別したあとに、衣類情報を直接的又は間接的に取得できればよい。これにより、制御装置が適切な洗浄プログラムを提案し、洗浄装置が対応する洗浄過程を実行するよう、同一グループの衣類について共通の情報の読み取りが実現される。
【０５１３】
複数の衣類を分類する方式としては、衣類処理システムを用いてスマート分類を行ってもよいし、人為的に衣類の情報を判断して手動分類を行ってもよい。いずれの方式であっても、衣類処理システムが洗浄処理を行うために、大量の衣類を異なるグループに分けたあと、同一グループの衣類に対しグループ別識別タグを設定するとともに、対応する衣類情報を記憶する。
【０５１４】
具体的に、衣類処理システムによるスマート分類の方法には以下が含まれる。
【０５１５】
各衣類には各々の識別タグがそれぞれ設けられており、識別装置は各識別タグを識別して読み取る。制御装置は、各衣類の衣類情報を取得するとともに、分類規則に基づいて複数の衣類を異なるグループに分ける。
【０５１６】
衣類情報には、衣類の色情報、及び／又は材質情報、及び／又は種別情報、及び／又は規格情報、及び／又はメーカー情報等が含まれている。識別装置は、各識別タグを識別して読み取ったあと、各衣類の各情報を直接的又は間接的に取得する。分類規則は既定の規則とし、制御装置に予め書き込んでおく。分類規則では、優先的にいずれかの衣類情報に基づいて分類したあと、更に別の衣類情報に基づいて次のレベルの分類を行ってもよい。例えば、制御装置は衣類の材質情報に基づいて分類することで、同種の材質に属する衣類を同じグループに分けたあと、当該グループの衣類を色情報に基づいて再び分類する。具体的には、分類が完了すると、淡色の毛素材の衣類が１つのグループに、濃色の毛素材の衣類が１つのグループに、淡色の綿素材の衣類が１つのグループに、濃色の綿素材の衣類が１つのグループになる。
【０５１７】
手動分類の方法としては、衣類の情報に基づき手動でグループ分けして取りまとめ、各グループにそれぞれグループ別識別タグを設定する。
【０５１８】
更なる方案として、衣類処理システムは表示装置を更に含む。識別装置が各衣類の識別タグを識別して読み取ると、制御装置は、各衣類の衣類情報を取得したあとに、分類規則に従って複数の衣類を異なるグループに分けてから、分類後の各グループの情報を表示装置に表示する。そして、表示された分類情報に基づき、手動による仕分け及び取りまとめを行うか、機械的な仕分け及び取りまとめを行うとともに、各グループの衣類に対しそれぞれグループ別識別タグを設定する。
【０５１９】
表示装置は単独で設置してもよいし、識別装置に集積してもよいし、洗浄装置に集積してもよいし、モバイル端末に集積してもよい。表示装置は、識別装置が各衣類の識別タグを読み取ることで取得した各衣類の各衣類情報を表示するために用いられる。識別装置が各衣類の識別タグをそれぞれスキャンすると、制御装置は、衣類の各情報を直接的又は間接的に取得するとともに、処理演算を実行する。そして、分類規則に従って当該衣類が属するグループを提案し、表示装置に表示する。ユーザは、表示装置上で各衣類が属するグループをチェック可能である。これにより、衣類の分類情報を取得したあと、少量の衣類については手動で仕分けすればよい。一方、大量の衣類については機械的に仕分けし、自動的且つスマートに衣類をグループ分けして取りまとめればよい。
【０５２０】
このように、スマート分類を実現可能なため、分類がより科学的となり、情報の表示もいっそう視覚的となる。このほか、ユーザは、必要に応じてスマート分類のみを利用し、手動で仕分けを行ってもよいし、完全なスマート分類、スマート仕分けを行ってもよい。よって、融通が利き、簡単・便利である。
【０５２１】
更なる方案において、衣類処理システムは仕分け装置を更に含む。識別装置が識別タグを識別して読み取ると、制御装置は、各衣類の衣類情報を取得したあとに、分類規則に従って、仕分け装置が複数の衣類を異なるグループに仕分けしてから、各グループの衣類をそれぞれ取りまとめるとともに、各グループの衣類に対しそれぞれグループ別識別タグを設定して記憶するよう制御する。
【０５２２】
本方案では、仕分け装置を更に含んでおり、完全なスマート化による衣類の分類、取りまとめ、グループ別識別タグの設定を実現可能である。これにより、人為的な作業量を減らすことができ、ヒューマンエラーも減少するため、衣類分類の精度が向上する。制御装置は、各衣類の衣類情報を取得したあと、分類規則に従って、仕分け装置が複数の衣類を異なるグループに仕分けして取りまとめ、且つグループ別識別タグを設定してから記憶するよう制御する。これにより、複数のグループの衣類を取りまとめて記憶したあとは、当該グループ別識別タグを読み取ることで、当該グループの衣類の情報を取得可能となる。よって、記憶に有利であるとともに、更に混乱なく洗浄プログラムを提案するためにも有利である。
【０５２３】
識別装置が各グループの衣類のグループ別識別タグを再び識別する際に、当該グループの衣類の情報を直接的又は間接的に取得可能となるよう、衣類の分類が完了し、取りまとめてグループ別識別タグを設定するときには、対応する当該グループの衣類の情報を記憶する必要がある。これにより、次の識別が容易になる。
【０５２４】
グループ別識別タグに対応する衣類情報を記憶する過程では、制御装置が取得した同一グループの衣類の情報に基づいて共通の情報を抽出し、自動的に書き込んで記憶してもよいし、分類後に表示装置に表示された分類情報に基づいて、手動で人為的に編集し、記憶してもよい。具体的には、以下の方案を含んでいればよいが、これらに限らない。
【０５２５】
方案１：衣類処理システムは記憶装置を更に含む。グループ別識別タグには唯一のタグ情報及び／又は記憶領域が設けられており、前記記憶領域に所定の形式の衣類情報コードが記憶される。同一グループの複数の衣類を取りまとめ、グループ別識別タグを設定したあとに、識別装置はグループ別識別タグにおける唯一のタグ情報及び／又は記憶領域を読み取る。制御装置は、分類時に取得した当該グループの各衣類の情報に基づいて共通の情報を抽出し、対応する所定の形式の衣類情報コードを生成するとともに、記憶領域に直接書き込む。或いは、共通の情報から生成した対応する所定の形式の衣類情報コードと、唯一のタグ情報とを対応付けて記憶装置に記憶する。
【０５２６】
実際のところ、本方案には、制御装置が、共通の情報を抽出して対応する所定の形式の衣類情報コードを生成し、グループ別識別タグの記憶領域に直接書き込む第１の方案と、制御装置が、共通の情報を抽出して生成した対応する所定の形式の衣類情報コードと、唯一のタグ情報とを対応付けて記憶装置に記憶する第２の方案と、記憶領域及び記憶装置に同時に記憶する第３の方案が具体的に含まれる。
【０５２７】
上記の方案において、制御装置は、衣類情報をスマート抽出し、グループ別識別タグに対応付けて記憶することが可能である。よって、ユーザが改めて編集する必要がなく、プロセス全体が完全にスマート化されるため、ユーザの作業量が減少する。
【０５２８】
方案２：制御装置は、分類時に取得した当該グループの各衣類の情報に基づいて共通の情報を抽出すると、記憶するか否かを選択及び確認するようユーザに提示する。そして、ユーザが記憶すると選択した場合には、記憶領域に書き込むか、唯一のタグ情報に対応付けて記憶装置に記憶する。また、ユーザが記憶しないと選択した場合には、ユーザに対し編集し直すよう提示する。
【０５２９】
本方案において、制御装置は、分類時に取得した当該グループの各衣類の情報に基づいて共通の情報を抽出する。しかし、直ちに記憶したり書き込んだりするのではなく、ユーザに対し一定の選択権を与えるために、記憶するか否かを選択及び確認するようユーザに提示する。そして、ユーザが確認すると、制御装置は方案１のいずれかの方式で記憶する。一方、ユーザが記憶しない旨を選択した場合には、強制的に編集することなく、ユーザに対し自由な編集の余地を与える。よって、ユーザは、記憶したい情報を必要に応じて修正、編集してから保存することができる。
【０５３０】
方案３：制御装置は、各衣類の衣類情報を取得したあとに、分類規則に従って複数の衣類を異なるグループに分けてから、分類後の各グループの情報を表示装置に表示する。ユーザは、グループ分け情報に基づき、各グループ別識別タグに対応する衣類情報を編集して記憶したあと、取りまとめた衣類に対しグループ別識別タグを設定する。
【０５３１】
本方案において、ユーザは、グループ別識別タグの衣類情報を自身で編集する必要がある。また、表示装置に表示された分類情報に基づき記憶すればよい。
【０５３２】
方案４：衣類情報に基づき手動でグループ分けしたあと、各グループの衣類に対しグループ別識別タグをそれぞれ設定する。識別装置は、グループ別識別タグにおける唯一のタグ情報を識別して読み取る。また、ユーザは、当該グループの衣類にとって共通の属性を判断し、衣類情報を自身で編集する。制御装置は、受信した衣類情報を処理することで唯一のタグ情報に対応する所定の形式の衣類情報コードを生成し、記憶装置に記憶する。或いは、リーダライタを利用し、衣類情報を編集してグループ別識別タグの記憶領域に記憶する。
【０５３３】
上記の方案のうちいくつかの方案において、ユーザは自身で情報を編集可能であり、制御装置はユーザが編集した情報を処理してから記憶する必要がある。ユーザの編集方式の違いに応じて、制御装置はそれぞれ処理を行う。
【０５３４】
更なる方案として、ユーザが衣類情報を編集すると、制御装置は、ユーザにより編集された衣類情報からキーワードを抽出することで衣類の属性情報を取得するとともに、前記衣類の属性情報を所定の形式の衣類情報コードに変換する。或いは、ユーザは、所定の形式に従って、衣類情報の選択肢から衣類の属性に対応する各情報を選択する。制御装置は、受信した各衣類情報から対応する衣類情報コードを生成したあと、記憶領域に書き込むか、唯一のタグ情報に対応付けて記憶装置に記憶する。
【０５３５】
この方案では、ユーザが情報を自由に編集するか、所定の形式に従って情報を編集するかにかかわらず、ユーザの編集が完了したあとに、制御装置が編集された衣類情報を衣類情報コードに変換して記憶する。これにより、衣類情報の記憶容量が節約されるため、従来の記憶方式と比較して、本方案によれば小さな記憶空間に多くの衣類情報が記憶される。
【０５３６】
更に、制御装置が情報を処理することで衣類情報コードを生成する過程において、制御装置は、ユーザが各衣類情報の選択肢から選択した衣類情報、及び／又は、ユーザが自由に入力した情報からキーワードを抽出することで取得した各衣類属性情報を、それぞれ所定の規則で所定の対応するサブコードに変換するとともに、各サブコードを所定の順序で直列に接続することで前記衣類情報コードを形成する。
【０５３７】
衣類の異なる属性のうちの各実際の属性にはそれぞれ所定のコードが対応付けられているため、１着の衣類の複数の属性情報を迅速且つ容易に所定のコードに変換可能である。例えば、比較的少ないバイナリーディジット（ｂｉｔ）で具体的な衣類属性情報を代替することで、記憶空間を節約するとの作用が奏されるとともに、その後の衣類情報の解析過程にも有利となる。
【０５３８】
好ましくは、衣類の異なる属性情報ごとの具体的な種別数に基づいて、衣類の各属性情報に適切なビット数を割り当てることで相応の情報を記憶する。
【０５３９】
好ましくは、制御装置は、衣類情報を、対応する材質情報サブコード、色情報サブコード、種別情報サブコード、規格情報サブコード、メーカー情報サブコードにそれぞれ所定の規則で変換するとともに、各サブコードを所定の順序で直列に接続することで前記衣類情報コードを形成し、記憶装置に記憶する。
【０５４０】
好ましくは、メーカー情報コードの占有ビット＞種別情報コードの占有ビット＞色情報コードの占有ビット≧規格情報コードの占有ビット＞材質情報コードの占有ビットとする。より具体的には、前記メーカー情報コードが１２ビットを占有し、規格情報コードが５ビットを占有し、種別情報コードが６ビットを占有し、前記色情報コードが５ビットを占有し、前記材質情報コードが４ビットを占有する。
【０５４１】
上記の各属性コードには、衣類の属性自体の具体的な種別数に基づいて適切なビット数が割り当てられ、相応の情報が記憶される。これらの割り当て方式は、膨大な統計・研究の中で総括されたものであり、記憶空間を節約し、且つ解析を簡単・便利にするとの作用を奏し得る。
【０５４２】
更なる方案として、洗浄時に、洗浄装置はグループ別識別タグにおける唯一のタグ情報を読み取ったあと、記憶装置から対応する衣類情報コードを取得するか、記憶領域から衣類情報コードを直接取得する。そして、当該衣類情報コードを衣類の異なる属性情報を表す複数のサブコードに分解し、各サブコードを具体的な情報に翻訳することで、当該衣類情報コードが表す具体的な衣類属性情報を取得する。その後、対応する洗浄プログラムを提案すると、洗浄装置が洗浄プログラムを実行する。
【０５４３】
好ましくは、前記衣類属性情報には、衣類の色情報、及び／又は材質情報、及び／又は種別情報、及び／又は規格情報、及び／又はメーカー情報が含まれている。
【０５４４】
更なる方案として、取得した各衣類の属性情報には洗浄プログラムが１つずつ対応付けられており、各洗浄プログラムには異なる優先レベルが対応付けられている。制御装置は、各衣類属性情報にそれぞれ対応する洗浄プログラムを取得すると、複数の洗浄プログラムの優先レベルを比較して最適な洗浄プログラムを選択する。
【０５４５】
好ましくは、前記洗浄プログラムの優先レベルは、洗浄装置の回転速度及び／又は洗浄装置の加熱温度に対応している。
【０５４６】
好ましくは、洗浄装置の回転速度が小さいほど優先レベルが高くなるか、或いは、洗浄装置の加熱温度が低いほど優先レベルが高くなる。
【０５４７】
好ましくは、ステップＳ１０１の具体的方法は以下の通りである。
【０５４８】
洗浄装置は、洗濯待ちの衣類の属性情報ＣＺ１、ＣＺ２・・・ＣＺｎと、これらに対応する洗浄プログラムが順に洗浄プログラムＣＸ１、ＣＸ２・・・ＣＸａ・・・ＣＸｎ（ｎは正の整数）である旨、及び、属性情報ＫＳ１、ＫＳ２・・・ＫＳｍと、これらに対応する洗浄プログラムが順に洗浄プログラムＣＸ１、ＣＸ２・・・ＣＸｂ・・・ＣＸｍ（ｍは正の整数）である旨を予め設定する。洗浄プログラムＣＸにおけるａ、ｂの値が大きいほど優先レベルは高くなる。
【０５４９】
洗浄装置又は洗浄装置と通信接続する端末は、１着の洗濯待ちの衣類の属性情報ＣＺａ及び属性情報ＫＳｂを識別する。制御装置は、属性情報ＣＺａと属性情報ＫＳｂを洗浄装置に予め設定されている属性と照合し、属性情報ＣＺａ及び属性情報ＫＳｂにそれぞれ対応する洗浄プログラムＣＸａ及びＣＸｂを取得する。次に、ａとｂの値を比較して、ａ≦ｂならば、当該衣類の全ての属性情報に適した最適な洗浄プログラムは洗浄プログラムＣＸｂとなる。また、ａ＞ｂならば、当該衣類の全ての属性情報に適した最適な洗浄プログラムは洗浄プログラムＣＸａとなる。
【０５５０】
更なる方案として、異なるグループの衣類を一緒に洗浄したい場合には、識別装置が、各グループの衣類におけるグループ別識別タグの唯一のタグ情報及び／又は記憶領域をそれぞれ読み取る。そして、制御装置は、各記憶領域から衣類情報を直接取得するか、記憶装置から各唯一のタグ情報に対応する衣類情報をそれぞれ取得することで、異なるグループの衣類属性情報にそれぞれ対応する洗浄プログラムを更に取得する。且つ、洗浄プログラムを論理的に判断することで、各グループの衣類に適した最適な洗浄プログラムを選択する。そして、洗浄装置が洗浄プログラムを実行する。
【０５５１】
本方案において、制御装置は、各グループの洗濯待ちの衣類の衣類属性情報を取得すると、各グループの衣類の属性に適した洗濯パラメータを算出し、実行可能な洗浄プログラムを生成する。或いは、制御装置は、洗浄装置に記憶されている複数の洗浄プログラムから、洗濯パラメータが各グループの衣類属性情報に適した洗浄プログラムを選択する。例えば、解析されたグループの衣類情報の材質がウールの場合には、対応する洗浄水の温度を相応に設定する。また、解析したその他のグループの衣類に下着が含まれている場合には、例えば、低めの脱水回転速度で脱水するというように、低強度の洗濯パラメータの洗浄プログラムを提案する。
【０５５２】
具体的に、制御装置は、前記衣類情報に基づいて洗浄プログラムを取得する過程において、各グループの洗濯待ちの衣類の衣類属性情報に基づき適切な洗濯パラメータを選択する。前記洗濯パラメータには、洗浄パラメータ、及び／又はすすぎパラメータ、及び／又は脱水パラメータが含まれる。また、前記洗浄パラメータには、洗浄時間、及び／又は洗浄温度、及び／又は回転速度、及び／又は水位が含まれ、前記すすぎパラメータには、水位、すすぎ時間、すすぎ回数が含まれ、前記脱水パラメータには、回転速度、脱水時間が含まれる。
【０５５３】
好ましくは、識別装置は優先的に前記記憶領域を読み取り、当該記憶領域に記憶されているデータを解析する。そして、解析に成功した場合には制御を終了するが、成功しなかった場合には、識別装置が更に前記唯一のタグ情報を読み取り、前記記憶装置から所定の形式の衣類情報コードを取得するとともに、解析により衣類情報を取得して洗浄プログラムを提案するよう制御する。
【０５５４】
グループ別識別タグに記憶されている衣類情報コードと、ユーザが編集した衣類情報を制御装置により情報処理することで生成されて記憶装置に記憶される所定の形式の衣類情報コードは、同じ規則及び形式で記憶されるため、衣類情報を解析する際には、同一の解析規則で対応する衣類情報を解析可能である。これによれば、１つの解析規則（即ち、前記所定の解析規則）で記憶位置の異なる２種類の衣類情報コードを解析可能となるため、衣類情報を解析する際のデータ処理方法が簡略化される。よって、２つの解析規則を設けて識別タグに記憶されている衣類情報コードと記憶装置内の衣類情報コードを別々に解析することで、制御装置の作業量が増加する結果、制御装置の制御過程が複雑化し、迅速且つ正確な衣類情報の解析に不利になるとの事態が生じない。
【０５５５】
更なる方案として、前記識別タグは、唯一のタグ情報を含む図形コードであり、制御装置は、識別装置が前記図形コードをスキャンすることで対応する唯一のタグ情報を取得するよう制御する。好ましくは、前記図形コードはＱＲコード又はバーコードである。
【０５５６】
或いは、前記識別タグには前記唯一のタグ情報が記憶されている。前記識別装置は、前記識別タグを読み取ることで内部に記憶されている唯一のタグ情報を取得する。好ましくは、識別装置はＲＦＩＤリーダを含む。前記識別タグはＲＦＩＤ電子タグであり、前記唯一のタグ情報はＲＦＩＤ電子タグのＴＩＤ番号である。前記記憶装置は、ＴＩＤ番号及び対応する所定の形式の衣類情報コードを記憶する。
【０５５７】
更なる方案として、衣類処理システムは、端末とクラウドサーバを更に含む。前記制御装置及び／又は識別装置は、洗浄装置に設置されるか、端末に設置される。また、洗浄装置と端末はクラウドサーバを介して通信接続する。グループ別識別タグにおける唯一のタグ情報とその衣類情報コードとの対応関係は、端末又はクラウドサーバに記憶される。
【０５５８】
好ましくは、グループ別識別タグにおける唯一のタグ情報とその衣類情報コードとの対応関係は、クラウドサーバに記憶される。洗濯時には、制御装置が前記クラウドサーバに接続し、識別された唯一のタグ情報を前記クラウドサーバに送信することで衣類情報の解析を行うとともに、解析された衣類情報をクラウドサーバから取得する。
【０５５９】
上記の方案では、グループ別識別タグにおける唯一のタグ情報とその衣類情報コードとの対応関係をクラウドサーバに記憶することでデータの安全性を保障しているため、ＩｏＴ衣類処理システムでの使用に適している。且つ、端末及び洗浄装置が対応する衣類情報を取得するのにも便利である。
【実施例２１】
【０５６０】
図１０に示すように、本実施例は、スマート衣類収容システムを含む衣類情報管理システムの制御方法を提供する。スマート衣類収容システムは、衣類収納装置、識別装置及び制御装置を含み、衣類収納装置には複数の衣類収容領域が設けられている。識別装置が衣類に設けられた識別タグを識別すると、制御装置は対応する衣類属性情報を取得して、衣類属性情報に基づき対応する衣類収容領域に収容するよう提案する。
【０５６１】
本実施例の衣類収納装置には複数の衣類収容領域が設けられている。これらの衣類収容領域は異なる機能及び／又は設置方式を有している。異なる機能及び／又は設置方式の衣類収容領域によれば、任意の種類の衣類を収容するのにいっそう有利となり、収容期間が長くなった場合でも、衣類を良好な状態に維持できる。本実施例のスマート衣類収容システムは、衣類の情報を取得したあと、衣類の属性の違いにスマートに応じて、適切な衣類収容領域に収容するよう科学的に提案することが可能である。よって、ユーザが衣類を素早く収容するのに都合がよく、且つ衣類のメンテナンスにも有利である。これにより、ユーザエクスペリエンスが改善される。
【０５６２】
識別装置と制御装置はそれぞれ別個に設置してもよいし、管理しやすいよう、一方又は両方を衣類収納装置に集積してもよいし、モバイル端末に集積してもよい。
【０５６３】
更に、前記衣類収納装置における衣類収容領域にはメイン収容領域が含まれている。制御装置は、取得した衣類属性情報に基づいてメイン衣類属性情報を抽出するとともに、当該メイン衣類属性情報に対応するメイン収容領域を提案する。
【０５６４】
衣類収容領域は細かく区画され、メイン収容領域を含んでいる。メイン収容領域には、複数の異なる収容環境が形成され、属性の異なる衣類の収容にいっそう適するよう、異なる装置が設置される。衣類の収容過程では、衣類の各属性によって受ける影響が大きく異なる。例えば、衣類のメーカー情報、ブランド情報であれば所望の収容環境に対する影響は大きくないが、衣類の材質、デザイン又は種別は、収容環境の選択にとって非常に重要となる。そこで、制御装置は、衣類の全衣類情報を取得したあと、所定の規則に従って、衣類のメイン属性情報に基づき対応するメイン収容領域を優先的に提案することで、衣類のメンテナンス及び長期収容の基盤を提供する。
【０５６５】
好ましくは、領域の機能に基づいてメイン収容領域を区画する。好ましくは、メイン衣類収容領域には、換気収容領域、乾燥収容領域、殺菌収容領域、アイロン収容領域、防虫収容領域が含まれ、更に、例えば芳香収容領域、温度制御収容領域等のその他の収容領域を含んでもよい。
【０５６６】
各メイン収容領域の機能を実現するために、主として、メイン収容領域の違いによって異なる装置が設置される。例えば、換気収容領域には換気／送風装置が、乾燥収容領域には乾燥／熱乾燥装置、湿度検出装置等が、殺菌収容領域には消毒殺菌装置、フローラ検出装置等が、アイロン収容領域にはアイロン装置等が、防虫収容領域には防虫剤、防虫装置等が、芳香収容領域には芳香剤等が、温度制御収容領域には温度検出装置等が設置されている。
【０５６７】
各メイン収容領域の機能は１つだけ設定してもよいし、複数の方案を組み合わせて設定してもよい。メイン収容領域に複数の機能が存在する場合には、複数の機能の強度を等しく設定してもよいし、１つの機能をメインとし、その他の機能により補足することで、主要機能を有しつつその他複数の機能も実現するとの目的を達成してもよい。例えば、メイン収容領域内に換気装置と防虫装置を設ける場合、当該収容領域は換気機能と防虫機能を有することになる。また、換気機能をメインとし、防虫機能で補足してもよい。制御装置は、取得した衣類の属性情報に基づいてメイン衣類属性情報を抽出するとともに、所定の規則及び優先度に従って、当該メイン衣類属性情報に対応するメイン収容領域を提案する。
【０５６８】
或いは、その他の方案では、衣類の種別に基づいてメイン収容領域を区画する。好ましくは、メイン収容領域には、アウター収容領域、下着収容領域、スーツ収容領域、スカート収容領域、パンツ収容領域、上着収容領域が含まれる。
【０５６９】
衣類上のタグが識別されたあと、制御装置は、同じ種別又はデザインの衣類情報を取得して、同一の収容領域に収容するよう提案する。これにより、ユーザは自身で手間をかけて分類しなくても、識別タグをスキャンするだけで対応する収容領域を取得可能となる。従って、ユーザは、衣類を収容又は取り出す際に、対応するメイン収容領域を素早く見つけやすくなる。また、更なる方案として、各メイン収容領域はサブ収容領域を更に含む。制御装置は、取得した衣類情報に基づいてメイン属性情報を取得し、メイン収容領域を提案したあとに、サブ衣類属性情報に基づいて当該属性情報に対応するサブ収容領域を提案する。
【０５７０】
収容環境に影響を及ぼす重要要素は、衣類のメイン属性情報によって決定される。また、これをベースに、衣類のサブ属性情報も衣類の収容状態に影響を及ぼす。例えば、衣類の収容環境の換気が良好であり、カビは発生しないが、衣類を折り畳んで収容する場合、衣類によっては折り目が衣類の見た目や着用性に大きな影響を及ぼす。或いは、その他の衣類との色移りの発生もまた衣類の収容に影響を及ぼす。この問題を解決するために、本方案の制御装置は、取得した衣類情報に基づいてメイン属性情報を取得し、メイン収容領域を提案したあとに、サブ衣類属性情報に基づいて当該属性情報に対応するサブ収容領域を提案する。これにより、衣類にとってより適切で良好な収容環境を更に取得可能とすることで、衣類が損傷しないよう保証するだけでなく、衣類の見た目を最大限に保証可能とする。
【０５７１】
具体的に、前記サブ収容領域は、対応するメイン収容領域の機能を有するとともに、衣類の属性情報に基づいて更に細かく区画される。
【０５７２】
好ましくは、サブ収容領域は、衣類を掛けて収容するための懸架領域、衣類を折り畳んで収容するための折り畳み領域、衣類の色移りを回避するための淡色領域・濃色領域、或いはその他の分類による領域を含む。これにより、衣類の折り目や色移り等が見た目に影響を及ぼすとの問題が回避される。
【０５７３】
より好ましくは、折り畳み領域は、１着の衣類を折り畳んで収容するための単層折り畳み領域と、複数の衣類を折り畳み、重ねて収容するための多層折り畳み領域を更に含む。これにより、圧に弱い衣類を単独で収容可能とすることで、衣類が押圧されたり変形したりしないよう保証する。
【０５７４】
更なる方案として、衣類属性情報は、衣類の材質情報、色情報、種別情報、規格情報、メーカー情報を含む。制御装置がメイン衣類属性情報に基づいて提案する収容領域の優先度は、サブ衣類属性情報よりも高い。
【０５７５】
好ましくは、メイン衣類属性情報は、材質情報、及び／又は色情報、及び／又は種別情報を含み、より好ましくは材質情報とする。また、サブ衣類属性情報は、材質情報、及び／又は色情報、及び／又は種別情報を含み、より好ましくは種別情報とする。
【０５７６】
衣類は、収容が不適切な場合には、材質の違いによってカビや虫食い或いは腐食等が深刻となり、衣類を損傷するとの問題が非常に発生しやすい。また、衣類の色の濃淡によって色移りの問題も発生しやすい。且つ、種別（即ち、デザイン及び材質）もまた衣類の折り目の発生しやすさに大きな影響を及ぼす。そのため、材質情報、及び／又は色情報、及び／又は種別情報が、メイン衣類属性情報又はサブ衣類属性情報に分けられる。このほか、メーカーは、更に製品を販売、生産する地域環境又はその他の影響要因に基づいて、衣類収納装置の収容領域を設定し、且つ収容領域が参照するメイン衣類属性情報又はサブ衣類属性情報を提案する。これにより、衣類を最適な収容環境に収容可能となる。
【０５７７】
説明の便宜上、本実施例では２つの具体的な方案を提供する。
【０５７８】
方案１：衣類処理システムの識別装置が衣類に設けられた識別タグを識別すると、制御装置は衣類の属性情報を取得するとともに、衣類の材質情報に基づいて対応するメイン収容領域を提案する。そして、次に、色情報又は種別情報に基づいてサブ収容領域を提案する。
【０５７９】
衣類の材質は、衣類の使用寿命と収容寿命に影響を及ぼす最重要因子である。衣類の材質に応じてメイン収容領域を提案することで、衣類にカビや腐食等の深刻な損傷が発生しないよう保証する。また、色情報又は種別情報に基づいてサブ収容領域を提案することで、衣類に色移りや変形、深刻な折り目等が発生し、衣類の着用性や見た目に影響を及ぼすとの問題を回避する。
【０５８０】
好ましくは、より具体的な方案として、以下のようにすればよい。即ち、取得した衣類の材質情報が革製であると判断された場合には、換気収容領域に収容することで、密閉された換気の悪い環境で革製の衣類にカビや腐食が発生するとの事態を回避する。また、材質情報が毛製であると判断された場合には、乾燥収容領域に収容することで、タンパク質を豊富に含む衣類における細菌の繁殖を回避する。また、材質情報がシルクであると判断された場合には、防虫収容領域に収容することで虫食いを回避する。また、材質情報が綿麻であると判断された場合には、アイロン収容領域に収容すれば、衣類の形を平坦に整えて維持しやすくなる。
【０５８１】
好ましくは、衣類の色情報が淡色であると判断された場合には淡色領域に収容し、色情報が濃色であると判断された場合には濃色領域に収容することで、濃色と淡色の衣類が混在することによる色移り、色落ち、着色の問題を回避する。或いは、衣類の種別情報が懸架収容必須であると判断された場合には懸架領域に収容し、衣類の種別情報が折り畳み収容必須であると判断された場合には折り畳み領域に収容する。例えば、毛織物製のコートは懸架する必要があるが、変形しやすい毛製の編物は折り畳んで収容する。
【０５８２】
方案２：衣類処理システムの識別装置が衣類に設けられた識別タグを識別すると、制御装置は衣類の属性情報を取得するとともに、衣類の種別情報に基づいて対応するメイン収容領域を提案する。そして、次に、色情報又は材質情報に基づいてサブ収容領域を提案する。
【０５８３】
好ましくは、制御装置によって、取得した衣類の種別又はデザインがコートやウインドブレーカーであると判断された場合にはアウター収容領域に収容し、下着であると判断された場合には下着収容領域に収容する。また、スーツであると判断された場合にはスーツ収容領域に収容し、ワンピースであると判断された場合にはスカート収容領域に収容する。また、パンツであると判断された場合にはパンツ収容領域に収容し、シャツ又はセーターであると判断された場合には上着収容領域に収容する。
【０５８４】
更に、衣類の色情報が淡色であると判断された場合には淡色領域に収容し、色情報が濃色であると判断された場合には濃色領域に収容することで、濃色と淡色の衣類が混在することによる色移り、色落ち、着色の問題を回避する。或いは、例えばシャツ又はセーターが上着収容領域に収容されたあと、材質について更に判断する。そして、衣類がセーターであると判断された場合には、折り畳み領域に収容することで変形を回避する。また、衣類がシャツであると判断された場合には、懸架領域に収容することで、シャツに皺が生じて見た目に影響を及ぼすことを回避する。
【実施例２２】
【０５８５】
本実施例は、実施例２１を更に限定する。識別装置が識別タグをスキャンしたときに、制御装置が衣類情報を取得可能となるよう、衣類上の識別タグには識別可能な領域を設ける必要がある。また、識別装置が識別タグをスキャンし、制御装置が衣類情報を取得する方式は複数存在し得る。具体的に、本実施例では以下のいくつかの方案を提供するが、これらに限らない。
【０５８６】
方案１：衣類上の識別タグは唯一のタグ情報を有し、識別装置は唯一のタグ情報を識別する。制御装置は、その他の記憶位置から、解析により唯一のタグ情報に対応する衣類属性情報を取得し、衣類属性情報に基づいて収容領域を提案する。唯一のタグ情報と衣類情報との対応関係は記憶装置に記憶すればよい。また、記憶装置は、端末としてもよいし、クラウドプラットフォーム等の位置としてもよい。
【０５８７】
唯一のタグ情報と衣類情報との対応関係を構築することで、識別タグ内に衣類情報を予め記憶しておかなくても、識別装置が識別タグの唯一のタグ情報を識別するだけで、データ情報記憶装置から対応する衣類情報を取得可能である。前記唯一のタグ情報とは、前記識別タグに記憶されて当該識別タグの唯一の個性を標識する固有の情報である。
【０５８８】
前記記憶装置に記憶される唯一のタグ情報に対応する衣類情報は、ユーザが編集して取得したもの及び／又はメーカー独自のものである。
【０５８９】
好ましくは、前記唯一のタグ情報には世界で唯一のコードが含まれており、前記情報記憶装置には、各世界で唯一のコードと衣類情報との対応関係が含まれている。前記端末／識別装置は、前記世界で唯一のコードに基づいて、情報記憶装置から対応する衣類情報を取得する。
【０５９０】
上記の方案では、唯一のタグ情報として世界で唯一のコードを用いるため、誤った衣類情報の識別が効果的に防止される。
【０５９１】
好ましくは、前記識別タグは、唯一のタグ情報を含む図形コードであり、前記識別装置は前記図形コードをスキャンすることで対応する唯一のタグ情報を取得する。
【０５９２】
上記の方案において、識別タグは唯一のタグ情報を含む図形コードとされる。当該図形コードは、衣類に直接印刷してもよいし、衣類の洗濯タグに印刷してもよい。当該技術方案によればコストの節約となる。これは、ユーザが衣類ごとに電子タグを設ける必要がなく、コストが低下するためである。
【０５９３】
好ましくは、前記図形コードはＱＲコード又はバーコードである。
【０５９４】
或いは、前記識別タグには前記唯一のタグ情報が記憶されている。制御装置は、前記識別装置が前記識別タグを読み取ることで内部に記憶されている唯一のタグ情報を取得するよう制御する。
【０５９５】
好ましくは、前記識別タグは電子タグであり、内部に世界で唯一のコードが記憶されている。前記識別装置は、前記電子タグを読み取ることで、内部に記憶されている世界で唯一のコードを取得する。
【０５９６】
好ましくは、前記唯一のタグ情報は電子タグのＴＩＤ番号であり、前記情報記憶装置には、前記ＴＩＤ番号及び対応する衣類情報が記憶されている。
【０５９７】
方案２：識別タグは記憶領域を有し、識別装置は記憶領域を識別する。制御装置は、記憶領域に記憶されている衣類属性情報を直接解析して取得するとともに、衣類属性情報に基づいて収容領域を提案する。
【０５９８】
方案３：衣類上の識別タグは、唯一のタグ情報と記憶領域を有する。識別装置は優先的に記憶領域を読み取り、第１の規則に基づいて、当該記憶領域に記憶されている衣類情報コードを解析する。そして、解析に成功した場合には衣類収容領域を提案するが、成功しなかった場合には、識別装置が更に前記唯一のタグ情報を読み取り、第２の規則に基づいて衣類属性情報を解析するよう制御する。前記第１の規則とは、所定の解析規則に基づいて、衣類情報コードに含まれる衣類属性情報を解析することをいう。前記第２の規則とは、唯一のタグ情報と衣類属性情報との対応関係に基づいて衣類属性情報を解析することをいう。
【０５９９】
記憶領域内の衣類情報コードの記憶規則は、唯一のタグ情報及び衣類属性情報に対応付けて記憶される衣類情報コードの記憶規則と同じである。そのため、制御装置は、１つの解析規則で異なる記憶位置の衣類情報コードを解析し、解析によって衣類属性情報を取得することが可能である。これにより、制御装置の演算が簡略化され、速度がよりスピーディーとなり、且ついっそう簡略化される。
【０６００】
衣類の識別タグには唯一のタグ情報が設けられている。識別装置が初めて当該唯一のタグ情報を識別したが、制御装置によって、当該唯一のタグ情報に対応する衣類情報が記憶されていないと判断された場合、或いは、ユーザがある衣類の識別タグを他の衣類に付け替えて使用したために、衣類情報を変更する必要がある場合には、ユーザは、制御装置の提示又は自身のニーズに基づいて衣類情報を自身で編集可能である。
【０６０１】
上記の目的を実現するために、図１１に示すように、スマート衣類収容システムは記憶装置と情報編集装置を更に含む。識別装置は、衣類に設けられた識別タグを識別し、識別タグの唯一のタグ情報を取得すると、ユーザに対し、衣類の情報を編集するよう提示する。情報編集装置は、ユーザが編集した情報を受信すると制御装置に伝送し、制御装置は、これを処理することで唯一のタグ情報に対応する衣類情報コードを生成するとともに、記憶装置に記憶する。また、衣類属性情報に基づいて、対応する衣類収容領域に収容するよう提案する。当該方式によれば、唯一のタグ情報に対し、ユーザは衣類情報を編集及び変更することが可能なため、識別タグを何度も利用することが可能であり、コストダウンにもなる。
【０６０２】
好ましくは、ユーザが衣類情報を編集する方式として、ユーザは、情報編集装置の所定の形式に従って衣類属性情報を選択する。及び／又は、ユーザは情報編集装置において衣類情報を自由に入力する。
【０６０３】
ユーザは、所定の形式に従って情報を編集及び選択する場合、一定の自由度をもって選択できるだけでなく、こうした所定の規則に基づく入力方式によれば、情報コードを正確に生成して記憶することも可能となる。よって、エラーの発生を回避可能となり、情報を記憶するのに有利である。
【０６０４】
ユーザは、情報編集装置を通じて衣類情報を自由に入力する場合、必要に応じて衣類の情報を任意に入力すればよく、所定の形式の衣類情報を入力する必要はない。この場合には、規制がより少なく、柔軟性がいっそう高まる。
【０６０５】
上記２種類の編集方式によれば、ユーザが編集を終えたあと、制御装置は、編集された衣類情報を衣類情報コードに変換して記憶するため、衣類情報の記憶容量が節約される。よって、従来の記憶方式と比較して、本方案によれば小さな記憶空間に多くの衣類情報が記憶される。
【０６０６】
更に、ユーザが情報編集装置において所定の形式に従って衣類情報を選択する際、前記情報編集装置には衣類情報の選択肢が設定されている。ユーザは、各衣類情報の選択肢から衣類の属性に対応する各情報をそれぞれ選択し、制御装置は、受信した各衣類情報から対応する衣類情報コードを生成する。
【０６０７】
本方案の情報編集装置は、単独で設置してもよいし、モバイル端末に設置してもよいし、衣類収納装置に設置してもよい。また、モバイル端末又は衣類収納装置に表示部を設け、各衣類情報の選択肢を表示してもよい。又は、情報編集装置は単独で設置され、且つ表示機能を有する表示装置に一体的に集積される。これにより、ユーザによるメニューのチェック及び編集が容易となる。また、複数の衣類情報の選択肢によって衣類情報メニューが形成される。ユーザは、選択肢から衣類に対応する情報を１つずつ選ぶことで選択を完了してもよいし、必要な衣類情報の選択肢の選択を完了してから保存してもよい。これにより、各衣類情報は既定の規則通りに配列されるため、制御装置は、保存された所定の形式の衣類情報を受信したあと、既定の規則に従って対応する衣類情報コードを生成可能である。これによれば、余分な情報の干渉を受けないため、制御装置の情報処理量を減らすことが可能であるとともに、情報の精度を保証することも可能である。
【０６０８】
好ましくは、複数の衣類情報の選択肢は所定の順序で配列される。ユーザは、各衣類情報の選択肢から衣類の属性に対応する各情報をそれぞれ選択したあと、生成した所定の形式の衣類情報を保存する。
【０６０９】
複数の衣類情報の選択肢は既定の順序で配列されるため、例えば、最初を材質情報とする、或いは最後をメーカー情報とするなど、衣類ごとに入力される情報の属性を既定の規則通りに順に配列することが可能である。これにより、制御装置が情報を処理することで所定の形式の衣類情報コードを生成するための前提が提供されるため、情報の記憶及び解析の精度が保証される。
【０６１０】
ユーザは、衣類情報を選択する際に、衣類情報の選択肢からプルダウンリストによる選択、及び／又は、スワイプによる選択、及び／又は、キーワード検索による選択で選択を行ったあと、対応する衣類情報を確認して保存する。各衣類情報の選択肢から、ユーザは、プルダウンリストによる選択、及び／又は、スワイプによる選択、及び／又は、キーワード検索による選択を用いて当該選択肢の全ての情報を呼び出し、それらの中から衣類に対応する情報を探し出したあと、選択して決定すればよい。これにより、ユーザに自由な編集の余地が与えられるとともに、ユーザによる入力も容易となる。選択は形式に従って行うだけでよいため、エラーの確率が大幅に減少する。各衣類情報の選択肢の全て、或いは、少なくとも必要な衣類情報の選択肢の全てについて選択を行い、保存すると、制御装置が情報を処理可能となって、衣類情報コードを生成し、記憶する。
【０６１１】
ユーザが情報編集装置で衣類情報を自由に入力すると、制御装置は、ユーザが編集した衣類情報からキーワードを抽出することで衣類の属性情報を取得するとともに、前記衣類の属性情報を所定の形式の衣類情報コードに変換して記憶装置に記憶する。
【０６１２】
更に、前記情報編集装置とモバイル端末を一体的に集積し、ユーザが携帯するのに適した独立構造を構成する一方、前記識別装置を衣類収納装置に設置する。
【０６１３】
上記の方案において、識別装置は衣類収納装置に設置され、唯一のタグ情報を識別するとともに、ユーザが携帯するモバイル端末に送信する。ユーザは、モバイル端末上で衣類情報を編集し、記憶装置に記憶することが可能である。また、当該方案において、識別装置は唯一のタグ情報を識別したあとモバイル端末に送信し、モバイル端末は記憶装置から対応する衣類情報を取得する。記憶装置は、クラウドプラットフォームとしてもよい。
【０６１４】
好ましくは、前記識別装置と情報編集装置、記憶装置は一体的に集積され、衣類収納装置に装着されるとともに、収納装置の制御装置のデータに接続する。
【０６１５】
上記の方案では、ユーザが情報編集装置で衣類情報を編集し、情報編集装置が、ユーザにより編集された衣類情報を制御装置に送信するとともに、記憶装置に記憶する。このように設けることの利点として、衣類収納装置上の識別装置は、唯一のタグ情報を読み取ったあと、モバイル端末やクラウドプラットフォームにワイヤレス接続することなく、記憶装置から衣類情報を直接取得可能となる。
【０６１６】
更なる方案として、制御装置が情報を処理することで衣類情報コードを生成する過程において、制御装置は、ユーザが自由に編集した衣類情報からキーワードを抽出することで取得した各衣類属性情報、或いは、ユーザが情報編集装置に設定された各衣類情報の選択肢から選択した各衣類属性情報を、それぞれ所定の規則で所定の対応するサブコードに変換する。そして、各サブコードを所定の順序で直列に接続することで前記衣類情報コードを形成し、情報記憶装置に記憶する。
【０６１７】
衣類の異なる属性のうちの各実際の属性にはそれぞれ所定のコードが対応付けられているため、１着の衣類の複数の属性情報を迅速且つ容易に所定のコードに変換可能である。例えば、比較的少ないバイナリーディジット（ｂｉｔ）で具体的な衣類属性情報を代替することで、記憶空間を節約するとの作用が奏されるとともに、その後の衣類情報の解析過程にも有利となる。
【０６１８】
好ましくは、衣類の異なる属性情報ごとの具体的な種別数に基づいて、衣類の各属性情報に適切なビット数を割り当てることで相応の情報を記憶する。
【０６１９】
好ましくは、制御装置は、衣類情報を、対応する材質情報サブコード、色情報サブコード、種別情報サブコード、規格情報サブコード、メーカー情報サブコードにそれぞれ所定の規則で変換するとともに、各サブコードを所定の順序で直列に接続することで前記衣類情報コードを形成し、記憶装置に記憶する。
【０６２０】
好ましくは、メーカー情報コードの占有ビット＞種別情報コードの占有ビット＞色情報コードの占有ビット≧規格情報コードの占有ビット＞材質情報コードの占有ビットとする。より具体的には、前記メーカー情報コードが１２ビットを占有し、規格情報コードが５ビットを占有し、種別情報コードが６ビットを占有し、前記色情報コードが５ビットを占有し、前記材質情報コードが４ビットを占有する。
【０６２１】
上記の各属性サブコードには、衣類の属性自体の具体的な種別数に基づいて適切なビット数が割り当てられ、相応の情報が記憶される。これらの割り当て方式は、膨大な統計・研究の中で総括されたものであり、記憶空間を節約し、且つ解析を簡単・便利にするとの作用を奏し得る。
【０６２２】
更なる方案として、衣類上の識別タグが識別され、衣類情報が編集及び記憶されたあとに、再び識別装置により識別される場合、制御装置は、識別装置が識別した唯一のタグ情報に基づいて、対応する衣類情報コードを記憶装置から取得するとともに、所定の解析規則を用いて対応する衣類属性情報に解析する。且つ、当該衣類を収容するメイン収容領域とサブ収容領域を表示する。
【０６２３】
好ましくは、制御装置が所定の解析規則を用いて識別可能な衣類情報に解析する際には、所定の解析規則における長さの形式に基づいて、所定の形式の衣類情報コードを複数のサブコードに分割するとともに、各サブコードをそれぞれ対応する衣類属性情報に解析する。
【０６２４】
以上は本発明の好ましい実施例にすぎず、本発明を何らかの形式に限定するものではない。本発明については好ましい実施例によって上記のように開示したが、本発明を限定するとの主旨ではない。本発明の技術方案を逸脱しない範囲において、当業者が上記で提示した技術内容を用いて行うわずかな変形或いは補足は、同等に変形された等価の実施例とみなされ、いずれも本発明の技術方案の内容を逸脱するものではない。また、本発明の技術的本質に基づいて上記の実施例に加えられる簡単な修正、同等の変形及び補足は、いずれも本発明の方案の範囲内とされる。
【図１】
2021519959.tif 000003
【図２】
2021519959.tif 000004
【図３】
2021519959.tif 000005
【図４】
2021519959.tif 000006
【図５】
2021519959.tif 000007
【図６】
2021519959.tif 000008
【図７】
2021519959.tif 000009
【図８】
2021519959.tif 000010
【図９】
2021519959.tif 000011
【図１０】
2021519959.tif 000012
2021519959.tif 000013
【図１１】
2021519959.tif 000014
【国際調査報告】
2021519959.tif 000015
2021519959.tif 000016
2021519959.tif 000017
2021519959.tif 000018
2021519959.tif 000019